(57)【要約】      （修正有）【課題】快適さ、コスト、効率、使いやすさおよび製造の容易性の改善のうちの１つ以上を有する、呼吸器疾患の診断、寛解、治療または予防に使用される医療デバイスを提供する。【解決手段】圧縮された空気の流れを加湿するための装置中で使用するための液体の容量を保持するように構成されたリザーバー５１１０は、ベース部およびリッド部を含む。リザーバー５１１０は、圧縮された空気の流れを使用して、ヒータープレート５２４０に対する熱接触のレベルを改善するように構成されてもよい。リザーバー５１１０は、加湿器とリザーバー５１１０との係合時に予め圧縮することにより、リザーバー５１１０とヒータープレート５２４０との間の熱接触を改善するように構成されてもよい。【選択図】図５ａ
2020049255.tif 000002
【特許請求の範囲】
【請求項１】
空気の流れを加湿するための装置のためのウォーターリザーバーであって、水の予め定められた最大容量を保持するように構成された底部を備え、前記底部は、前記水の最大容量を上回って前記底部を充填することを防ぐように構成および配置された過剰充填保護エレメントを含む、ウォーターリザーバー。
【請求項２】
開構成と閉構成との間で前記ウォーターリザーバーを変換可能にさせる前記底部に移動可能に接続されたリッド部をさらに含む、請求項１に記載のウォーターリザーバー。
【請求項３】
前記過剰充填保護エレメントは、前記ウォーターリザーバーが前記開構成および／または前記閉構成にあるときに、前記水の最大容量を上回って前記底部を充填することを防ぐように構成および配置される、請求項２に記載のウォーターリザーバー。
【請求項４】
前記リザーバーが前記閉構成にあるときに、リッド部と前記底部とを密封するように係合させるように構成されたコンプライアント部をさらに含む、請求項２または３に記載のウォーターリザーバー。
【請求項５】
前記コンプライアント部は前記リザーバーへの流体の伝達および前記リザーバーからの流体の伝達を防ぐように、前記過剰充填保護エレメントをブロックまたは密封するように構成される、請求項４に記載のウォーターリザーバー。
【請求項６】
前記過剰充填保護エレメントは、前記水の最大容量が超過し、前記底部が通常の作動の向きにあるときに、前記過剰充填保護エレメントを介して前記水の最大容量を上回る過剰な水がこぼれるように構成される、請求項１〜５のいずれか一項に記載のウォーターリザーバー。
【請求項７】
前記過剰充填保護エレメントは、前記水の最大容量が超過しているときの水の排出経路を規定する、少なくとも１つのオリフィスを含む、請求項６に記載のウォーターリザーバー。
【請求項８】
前記過剰充填保護エレメントは、前記水の最大容量が超過しているときに、前記少なくとも１つのオリフィスを通して水のみがこぼれるように構成される、請求項７に記載のウォーターリザーバー。
【請求項９】
前記少なくとも１つのオリフィスは、前記底部の周囲長に沿った１つ以上のポジションに提供される、請求項７または８に記載のウォーターリザーバー。
【請求項１０】
前記少なくとも１つのオリフィスは、前記底部の周囲長に沿って提供される上側のリップまたはフランジを通して提供される、請求項７〜９のいずれか一項に記載のウォーターリザーバー。
【請求項１１】
前記少なくとも１つのオリフィスは、前記リザーバーへの流体の伝達および前記リザーバーからの流体の伝達を可能にする、１つ以上の開口部、孔、スリットまたはスロットを含む、請求項７〜１０のいずれか一項に記載のウォーターリザーバー。
【請求項１２】
前記リザーバーが前記閉構成にあるときに前記底部を密封するように係合するように構成されるコンプライアント部を含み、前記コンプライアント部は、前記リザーバーへの流体の伝達および前記リザーバーからの流体の伝達を防ぐように前記少なくとも１つのオリフィスをブロックまたは密封するように構成される、請求項７〜１１のいずれか一項に記載のウォーターリザーバー。
【請求項１３】
前記コンプライアント部は、前記少なくとも１つのオリフィスの外側にある底部を密封するように係合する、請求項１２に記載のウォーターリザーバー。
【請求項１４】
前記過剰充填保護エレメントは、前記水の最大容量が超過しているときの水の排出経路を規定する、前記底部の側面のプロファイル中のスロープのついたプロファイルを含む、請求項６に記載のウォーターリザーバー。
【請求項１５】
前記スロープのついたプロファイルは、１つ以上の方向に拡張される、請求項１４に記載のウォーターリザーバー。
【請求項１６】
前記過剰充填保護エレメントは、前記水の最大容量が超過しているときに、前記スロープのついたプロファイルを通して水のみがこぼれるように構成される、請求項１４または１５に記載のウォーターリザーバー。
【請求項１７】
前記リザーバーが前記閉構成にあるときに前記底部を密封するように係合するように構成されるコンプライアント部を含み、前記コンプライアント部は、前記リザーバーへの流体の伝達および前記リザーバーからの流体の伝達を防ぐように前記スロープのついたプロファイルをブロックまたは密封するように構成される、請求項１４〜１６のいずれか一項に記載のウォーターリザーバー。
【請求項１８】
前記コンプライアント部は、前記スロープのついたプロファイルの外側の端にある前記底部を密封するように係合する、請求項１７に記載のウォーターリザーバー。
【請求項１９】
前記過剰充填保護エレメントは、前記ウォーターリザーバーが前記開構成にあるときに、前記水の最大容量を上回って前記底部を充填することを防ぐように構成および配置される、請求項３〜１８のいずれか一項に記載のウォーターリザーバー。
【請求項２０】
前記過剰充填保護エレメントは、前記ウォーターリザーバーが前記閉構成にあるときに、前記水の最大容量を上回って前記底部を充填することを防ぐように構成および配置される、請求項３〜１８のいずれか一項に記載のウォーターリザーバー。
【請求項２１】
前記過剰充填保護エレメントは、前記水の最大容量に達したときに、前記底部への水のさらなる移入を防ぐための１つ以上の空気ロックを形成する、請求項１に記載のウォーターリザーバー。
【請求項２２】
前記開構成と前記閉構成との間で前記ウォーターリザーバーを変換可能にさせる前記底部に移動可能に接続されたリッド部をさらに含む、請求項２１に記載のウォーターリザーバー。
【請求項２３】
前記過剰充填保護エレメントは、前記ウォーターリザーバーが前記閉構成にあるときに、前記１つ以上の空気ロックを形成するように構成および配置される、請求項２２に記載のウォーターリザーバー。
【請求項２４】
前記底部と伝達する入口チューブおよび出口チューブをさらに含み、前記入口チューブおよび前記出口チューブは、前記水の最大容量に達したときに、前記リザーバー中の空気が、前記入口チューブおよび前記出口チューブを通して逃げるのを防ぎ、それにより、前記底部への水のさらなる移入を防ぐように配置される、請求項２１〜２３のいずれか一項に記載のウォーターリザーバー。
【請求項２５】
空気の流れを加湿するための装置であって、前記装置は、ウォーターリザーバードック、および前記ウォーターリザーバードックに提供される請求項１〜２４のいずれか一項に記載のウォーターリザーバーを備える、装置。
【請求項２６】
前記ウォーターリザーバードックは、前記ウォーターリザーバーを受け入れるキャビティを形成する、請求項２５に記載の装置。
【請求項２７】
前記ウォーターリザーバードックは、前記ウォーターリザーバーに提供される伝導部を熱的に関与させるように適合されるヒータープレートを含む、請求項２５または２６のいずれか一項に記載の装置。
【請求項２８】
加湿器リザーバーにおいて過剰充填を防ぐ方法であって、前記方法は、（ｉ）加湿器リザーバーの底部に過剰充填保護エレメントを組み込むステップと、（ｉｉ）水の予め定められた最大容量が超過し、前記底部が通常の作動の向きにあるときに、前記過剰充填保護エレメントを介して前記水の最大容量を上回る過剰な水がこぼれるように、前記過剰充填保護エレメントを構成するステップとを含む、方法。
【請求項２９】
前記過剰充填保護エレメントは、少なくとも１つのオリフィスを含む、請求項２８に記載の方法。
【請求項３０】
前記過剰充填保護エレメントは、スロープのついたプロファイルを含む、請求項２８に記載の方法。
【請求項３１】
前記水の最大容量が超過しているときに前記過剰充填保護エレメントを介して水のみがこぼれるように、前記過剰充填保護エレメントを構成するステップをさらに含む、請求項２８に記載の方法。
【発明の詳細な説明】
【技術分野】
【０００１】
関連出願に対する相互参照
本願はオーストラリア仮特許出願からの優先権を主張する：２０１３年３月１５日に出願された、オーストラリア仮特許出願第２０１３９００９０１号、２０１３年５月３１日に出願された、オーストラリア仮特許出願第２０１３９０１９６５号、２０１３年７月１５日に出願された、オーストラリア仮特許出願第２０１３９０２６０１号、２０１３年１２月１７日に出願された、オーストラリア仮特許出願第２０１３９０４９２３号。これらの出願のそれぞれの内容全てが参照により本明細書に組み込まれている。
【０００２】
本技術は、呼吸器関連疾患の検出、診断、治療、予防および寛解のうちの１以上に関する。特に、本技術は、医療機器または装置、ならびに医療機器または装置の使用に関する。
【背景技術】
【０００３】
ヒトの呼吸器系
身体の呼吸器系はガス交換を促進する。鼻および口は、患者の気道への入口を形成する。
【０００４】
気道は、肺深部に進むほど、より狭く、短くなり、数が増える、一連の枝分かれした管である。肺の主な機能はガス交換であり、酸素を空気から静脈血に移動させ、二酸化炭素を静脈血から空気に移動させることができる。気管は左右の主気管支に分かれ、さらに、最終的に終末細気管支に分かれる。気管支は、導管の気道を作り、ガス交換には参加しない。気道のさらなる分岐は、呼吸細気管支となり、最終的に肺胞となる。肺の肺胞領域はガス交換が行われる場所であり、肺ガス交換部と呼ばれる。Ｗｅｓｔ，Ｒｅｓｐｉｒａｔｏｒｙ  Ｐｈｙｓｉｏｌｏｇｙ−ｔｈｅ  ｅｓｓｅｎｔｉａｌｓを参照されたい。
【０００５】
幅広い呼吸器疾患が存在する。
【０００６】
閉塞型睡眠時無呼吸（ＯＳＡ）は、睡眠呼吸障害（ＳＤＢ）の一形態であり、睡眠中の上気道路の閉鎖または閉塞が特徴である。ＯＳＡは、睡眠中の、異常に小さい上気道と、舌、軟口蓋および中咽頭後壁領域の正常な筋緊張喪失の併発により生ずる。この状態は、罹患患者の呼吸を通常３０〜１２０秒の持続した期間の間停止させ、これは時には１晩２００〜３００回になる。日中の過剰な傾眠を引き起こすことが多く、心血管系疾患および脳損傷を引き起こすこともある。本症候群は、特に中年の肥満男性に一般的な疾患であるが、罹患患者にこの問題の自覚がないことがある。米国特許第４，９４４，３１０号（Ｓｕｌｌｉｖａｎ）を参照されたい。
【０００７】
チェーン・ストークス呼吸（ＣＳＲ）は、患者の呼吸調節疾患であり、換気の漸増および漸減が周期的に交互に起こる期間があり、動脈血の反復的な脱酸素および再酸素負荷を引き起こす。ＣＳＲは反復性低酸素症のため有害である可能性がある。患者の中には、ＣＳＲが睡眠からの反復的な覚醒を伴っていることもあり、これにより、重度の不眠、交感神経機能亢進および後負荷の悪化が引き起こされる。米国特許第６，５３２，９５９号（Ｂｅｒｔｈｏｎ−Ｊｏｎｅｓ）を参照されたい。
【０００８】
肥満低換気症候群（ＯＨＳ）は、他の既知の低換気の原因がない状態下での、重度の肥満および覚醒時の慢性高炭酸ガス血症の併発と定義されている。症状は、呼吸困難、起床時の頭痛（ｍｏｒｎｉｎｇ  ｈｅａｄａｃｈｅ）および日中の過剰な眠気である。
【０００９】
慢性閉塞性肺疾患（ＣＯＰＤ）は、共通したある特徴を有する下気道疾患のグループのうちのいずれかを含む。これらには、空気の移動に対する抵抗の増加、呼吸の呼気期の延長および肺の正常な弾力の喪失が含まれる。ＣＯＰＤの例は、肺気腫および慢性気管支炎である。ＣＯＰＤは、慢性的なタバコの喫煙（主要なリスク因子）、職業被曝、空気汚染および遺伝的要因により引き起こされる。症状は、労作時呼吸困難、慢性咳嗽および喀痰産生である。
【００１０】
神経筋疾患（ＮＭＤ）は、内因性の筋性病態により直接的に、または、神経性病態により間接的に、筋機能を損なわせる、多くの疾患および病気を含む広い用語である。ＮＭＤ患者の中には、歩行運動喪失、車椅子への束縛、嚥下困難、呼吸筋低下、および、最終的に呼吸不全による死亡につながる、進行性筋障害を特徴とする者もいる。神経筋疾患は、急速に進行するものと、緩徐に進行するものに分けられる：（ｉ）急速進行疾患：数カ月かけて悪化し、数年以内に死亡につながる筋障害を特徴とする（例えば、十代での筋萎縮性側索硬化症（ＡＬＳ）およびデュシェンヌ型筋ジストロフィー（ＤＭＤ））、（ｉｉ）可変性または緩徐に進行する疾患：数年かけて悪化し、平均余命を軽度にのみ減少させる筋障害を特徴とする（例えば、肢帯型筋ジストロフィー、顔面肩甲上腕型筋ジストロフィーおよび筋緊張性ジストロフィー）。ＮＭＤにおける呼吸不全の症状は、全身状態低下の悪化、嚥下障害、労作時および安静時呼吸困難、疲労、眠気、起床時の頭痛ならびに集中困難および気分変化である。
【００１１】
胸壁疾患は、呼吸筋と胸郭との間の結合が不十分となる胸郭変形のグループである。疾患は、通常、限定的な欠損を特徴とし、長期にわたる高炭酸ガス血性呼吸不全の可能性となる。脊柱側弯症および／または脊柱後側弯症は重度の呼吸不全を引き起こすことがある。呼吸不全の症状は、労作時呼吸困難、末梢浮腫、起座呼吸、反復性胸部感染、起床時の頭痛、疲労、睡眠の質の低下および食欲喪失である。
【００１２】
これ以外の健常な個人は、システムおよびデバイスを利用することで、呼吸器疾患の発症を予防できる可能性がある。
【００１３】
治療法
経鼻持続気道陽圧（ＣＰＡＰ）療法は、閉塞型睡眠時無呼吸（ＯＳＡ）の治療として使用されてきた。仮説として、持続気道陽圧が含気性の副木として作用し、軟口蓋および舌を前に押し出し、中咽頭後壁から離れるようにすることで、上気道閉塞を防ぐことができる。
【００１４】
非侵襲性換気（ＮＩＶ）は、患者が十分な呼吸を行うことおよび／または体内の酸素レベルを適切に維持することを支援するために、上気道を通して患者に換気補助を提供する。換気補助は患者インターフェースを介して提供される。ＮＩＶは、ＣＳＲ、ＯＨＳ、ＣＯＰＤ、ＭＤおよび胸壁障害の治療に使用されてきた。
【００１５】
侵襲性換気（ＩＶ）は、もはや効果的に自力呼吸ができない患者に対する換気補助を提供し、気管切開術のチューブを使用して提供される。
【００１６】
人工呼吸器は、患者に注入される呼吸のタイミングおよび圧力を制御し、患者が行う呼吸を監視してもよい。制御および患者の監視方法は、通常、従量式の方法および従圧式の方法を含む。従量式の方法は、とりわけ、圧制御従量式換気（ＰＲＶＣ）、量換気（ＶＶ）および従量式調節持続強制換気（ＶＣ−ＣＭＶ）技術を含んでもよい。従圧式の方法は、とりわけ、補助調節（ＡＣ）、同期的間欠的強制呼吸（ＳＩＭＶ）、調節機械換気（ＣＭＶ）、圧支持換気（ＰＳＶ）、持続気道陽圧（ＣＰＡＰ）または終末呼気陽圧（ＰＥＥＰ）技術を含んでもよい。
【００１７】
システム
治療システムは、呼吸圧療法デバイス（ＲＰＴデバイス）、空気回路、加湿器、患者インターフェースおよびデータ管理を含んでもよい。
【００１８】
患者インターフェース
患者インターフェースは、例えば、空気の流れを提供することにより、呼吸機器をユーザにインターフェース接続するために使用されてもよい。空気の流れは、マスクを介して鼻および／または口に提供されてもよく、あるいは、気道切開術チューブを介して、ユーザの気管に提供されてもよい。適用されることになる療法に依存して、患者インターフェースは、例えば、約１０ｃｍのＨ２Ｏの陽圧のような、療法を実施する周囲圧力を有する十分な変数の圧での空気の伝達を促進するために、例えば、患者の顔領域との密封を形成してもよい。酸素の伝達のような、他の形態の療法については、患者インターフェースは、約１０ｃｍのＨ２Ｏの陽圧での、空気の供給の気道への伝達を促進するのに十分な密封を含まなくてもよい。いくつかのマスクは、閉鎖、美的な好ましくなさ、高額であること、フィットが不良であること、使用が難しいこと、ならびに、長時間身につけなければならないとき、または、患者がシステムに慣れていないときに特に、不快であることのうちの１以上に苦しんでいる。単に、パーソナル保護機器の一部としてのアビエイターのため、または、麻酔薬の投与のために設計されたマスクは、これらの本来の適用に忍容性があるが、延長された期間、例えば、睡眠中または日中を通して身につけるのは、好ましくなく不快であることがある。
【００１９】
呼吸圧療法デバイス（ＲＰＴデバイス）
睡眠呼吸障害を治療するのに使用される１つの既知のＲＰＴデバイスは、ＲｅｓＭｅｄ社により製造された、Ｓ９  Ｓｌｅｅｐ  Ｔｈｅｒａｐｙ  Ｓｙｓｔｅｍである。ＲＰＴデバイスの別の例は人工呼吸器である。成人および小児用の人工呼吸器である、ＲｅｓＭｅｄ社のＳｔｅｌｌａｒ（商標）シリーズのような、人工呼吸器は、これらに限定されないが、ＮＭＤ、ＯＨＳおよびＣＯＰＤのような多数の状態を治療するために、幅広い範囲の患者に、侵襲性および非侵襲性の非依存性換気に対するサポートを提供してもよい。
【００２０】
ＲｅｓＭｅｄ  Ｅｌｉｓｅｅ（商標）１５０人工呼吸器およびＲｅｓＭｅｄ  ＶＳ  ＩＩＩ（商標）人工呼吸器は、多数の状態を治療するために、成人または小児用の患者に適した侵襲性および非侵襲性依存性換気に対するサポートを提供してもよい。これらの人工呼吸器は、単脚支持または両脚支持の回路に、容量および気体の換気を提供する。
【００２１】
ＲＰＴデバイスは、通常、モーター駆動のブロワまたは圧縮ガスリザーバーのような、圧力発生器を備え、患者の気道に空気の流れを供給するよう構成される。いくつかのケースでは、気体の流れは、陽圧にて患者の気道に供給されてもよい。ＲＰＴデバイスの出口は、先に説明したもののような、患者インターフェースに空気回路を介して接続される。
【００２２】
ＲＰＴデバイスはさらに、通常、入口フィルタ、様々なセンサおよびマイクロプロセッサベースの制御装置を備える。ブロワは、サーボ制御されたモーター、渦巻きおよびインペラを備えてもよい。いくつかのケースでは、モーターのブレーキは、モーターおよびインペラの慣性を克服するために、ブロワのスピードをさらに急速に低下させるように実現されてもよい。ブレーキングにより、ブロワが、慣性にもかかわらず、呼気との同期化に合ったより低圧の条件をさらに急速に達成できるようになる。いくつかのケースでは、圧力発生器はさらに、モータースピード制御に対する代替手段として、患者に運ばれる圧力を変化させるための手段として、発生された空気を大気に排出可能なバルブを備えてもよい。センサは、例えば、圧力変換器またはこれに類するものとともに、とりわけ、モータースピード、マスフローレートおよび出口の圧力を測定する。制御装置は、一体化したデータ抽出および表示機能の有無にかかわらず、データ記憶容量を含んでもよい。
【００２３】
これまでのＲＰＴデバイスのノイズ出力レベルの表（１検体のみ、１０ｃｍＨ２ＯでＣＰＡＰモードにてＩＳＯ３７４４に規定された検査方法を使用して測定）。
【００２４】
【表１】
2020049255.tif 000003
【００２５】
加湿器
加湿することなく空気の流れを患者の気道に伝えることは、気道の乾燥を引き起こすことがある。医療加湿器は、必要なときに、通常、患者が（例えば、病院で）眠っているまたは休んでいるときに、周囲の空気に関連して、空気の流れの湿度および／または温度を増加させるのに使用される。結果として、医療加湿器は、ベッドサイドの配置に対して小さいことがあり、患者の周囲を加湿および／または加熱することなく、患者に伝えられる空気の流れを加湿ならびに／あるいは加熱するように構成されてもよい。例えば、部屋ベースのシステム（例えば、サウナ、空気調節器、蒸発冷却器）もまた、患者に吸入される空気を加湿および／または加熱できるが、これらのシステムは、部屋全体を加湿および／または加熱することによって行うため、居住者に対する不快感を引き起こすことがある。
【００２６】
ＲＰＴデバイスおよび患者インターフェースを有する加湿器の使用は、鼻の粘膜の乾燥を最小化し、患者の気道の快適さを増加させる、加湿された空気を生成する。寒冷な気候に加えて、患者インターフェース中および患者インターフェース周囲の顔面エリアに通常あてられる温暖な空気は、冷たい空気よりさらに快適である。
【００２７】
呼吸器系加湿器は、多くの形態で利用可能であり、空気導管を介してＲＰＴデバイスに結合されるスタンドアローンなデバイスであってもよく、ＲＰＴデバイスと一体化され、あるいは、関連ＲＰＴデバイスに直接結合されるように構成される。既知の受動加湿器は、多少救済をもたらすことがあるが一般に、熱加湿器は、患者が快適になるように、十分な湿度および温度を空気に提供するために使用されてもよい。通常、加湿器は、数百ミリリットル（ｍＬ）の容量を有するウォーターリザーバーまたはウォータータブ、リザーバー中の水を加熱する熱エレメント、加湿のレベルを変化させることができるコントロール、ＲＰＴデバイスから空気を受け取る空気入口、および、患者インターフェースに加湿された空気を伝える空気回路に接続されるように適合された空気出口を備える。
【００２８】
熱パスオーバー型加湿は、ＲＰＴデバイスとともに使用される１つの一般的な形態の加湿である。このような加湿器では、熱エレメントは、ウォータータブ下にあり、ウォータータブと温熱的に接触するヒータープレートに組み込まれてもよい。したがって、熱は、伝導により主にヒータープレートからウォーターリザーバーに伝達される。ＲＰＴデバイスからの空気の流れは、加熱された水をウォータータブにパスオーバーし、結果的に、空気の流れにより含まれる水蒸気となる。ＲｅｓＭｅｄ  Ｈ４ｉ（商標）およびＨ５ｉ（商標）加湿器は、ＲｅｓＭｅｄ  Ｓ８およびＳ９  ＣＰＡＰデバイスとの組み合わせでそれぞれ使用されるこのような熱パスオーバー型加湿器の例である。
【００２９】
バブルまたはディフューザー加湿器、ジェット加湿器またはウィッキング加湿器のような、他の加湿器もまた使用されてもよい。バブルまたはディフューザー加湿器では、空気は水面下で伝導され、上面にバブルが戻ることを可能にする。ジェット加湿器は、水の噴霧を生成し、整流装置またはフィルタは、加湿器から離れる前に粒子が除去または蒸発するように使用されてもよい。ウィッキング加湿器は、キャピラリー作用により水を吸収するために、スポンジまたは紙のような、水吸収物質を使用する。水吸収物質は、空気の流れに含まれることになる吸収物質中の水の蒸発を可能にする空気の流れ経路の少なくとも一部の中、または、こうした経路の隣に位置する。
【００３０】
加湿の代替的な形態は、大きな表面エリアにわたって空気の流れを第１の方向に向かわせ、加熱された水を大きな表面エリアに対して第２の反対方向に供給するＣｏｕｎｔｅｒＳｔｒｅａｍ（商標）技術を使用するＲｅｓＭｅｄ  ＨｕｍｉＣａｒｅ（商標）Ｄ９００により提供される。ＲｅｓＭｅｄ  ＨｕｍｉＣａｒｅ（商標）Ｄ９００加湿器は、侵襲性および非侵襲性の幅広い人工呼吸器とともに使用されてもよい。
【００３１】
通常、熱エレメントは、ウォータータブ下にあり、ウォータータブと温熱的に接触するヒータープレートに組み込まれる。したがって、熱は、伝導により主にヒータープレートからウォーターリザーバーに伝達される。
【発明の概要】
【発明が解決しようとする課題】
【００３２】
技術の簡単な説明
本技術は、快適さ、コスト、効率、使いやすさおよび製造の容易性の改善のうちの１つ以上を有する、呼吸器疾患の診断、寛解、治療または予防に使用される医療デバイスを提供することに向けられている。
【課題を解決するための手段】
【００３３】
本技術の第１の態様は、呼吸器疾患の診断、寛解、治療または予防に使用される装置に関する。
【００３４】
本技術の別の態様は、患者インターフェース、空気回路および陽圧での空気源を含む、呼吸器疾患の治療用装置に関する。
【００３５】
本技術の別の態様は、呼吸器疾患の診断、寛解、治療または予防に使用される方法に関する。
【００３６】
本技術の１つの態様は、空気の流れを加湿するための装置に関し、ヒータープレート、空気の流れと流体伝達しているチャンバ、およびヒータープレートと熱関与する伝導部を含むリザーバーを備え、装置は、チャンバ中の空気の流れの第１の圧力を変化させることにより、伝導部とヒータープレートとの間の熱関与のレベルを変化させるように構成される。
【００３７】
１つの形態では、リザーバーはさらに入口および出口を含む。
【００３８】
１つの形態では、熱関与は、伝導部の表面に実質的に垂直な第１の方向である。
【００３９】
１つの形態では、装置はさらに、第１の圧力が変化するときに伝導部とヒータープレートとの間の力の大きさを第１の方向に変化させるように構成される。
【００４０】
１つの形態では、チャンバはリザーバーの一部である。
【００４１】
１つの形態では、チャンバはさらにコンプライアント部を備える。
【００４２】
１つの形態では、装置はさらに、リザーバーを受け入れるように構成されたドックを備え、ドックはヒータープレートを含む。
【００４３】
１つの形態では、ドックはさらに、上部と底部とを有するキャビティを含み、底部は底部に位置するヒータープレートを有し、キャビティは、キャビティにあるリザーバーの少なくとも一部を保持するように構成される。
【００４４】
１つの形態では、コンプライアント部は、ドックのキャビティへのリザーバーの挿入を可能にするように圧縮される。
【００４５】
１つの形態では、キャビティの上部は、リザーバーのキャビティへの挿入を促進するために、開構成と閉構成との間で移動可能である。
【００４６】
１つの形態では、コンプライアント部は、ヒータープレートと伝導部との間の熱関与のレベルを変化させるために第１の圧力を変化させるために、サイズを調整するように構成される。
【００４７】
１つの形態では、リザーバーはさらに、ベースおよびリッドを含み、ベースは、液体の容量を保持するように構成され、伝導部を含む。
【００４８】
１つの形態では、ベースおよびリッドは、共に旋回可能に結合される。
【００４９】
１つの形態では、コンプライアント部は、ベースとリッドとの間に密封を形成する。
【００５０】
１つの形態では、リザーバーはさらに、ベースとリッドを共に固定するためのラッチを含む。
【００５１】
１つの形態では、リザーバーはさらに、リザーバーのドックへの結合を促進するための少なくとも１つのハンドルを含む。
【００５２】
１つの形態では、リザーバーはさらに、ドックのキャビティにリザーバーを保持するために、ドック上の陥凹部と係合するように適合される保持クリップを含む。
【００５３】
１つの形態では、リザーバーは、リザーバーがドックに結合されるときに、リザーバーの再充填を防ぐように構成される。
【００５４】
１つの形態では、リザーバーの少なくとも一部は、リザーバーがドックに結合されるときに開くのが防がれる。
【００５５】
１つの形態では、リザーバーは、再充填キャップを含む。
【００５６】
１つの形態では、装置はさらに、水の予め定められた最大容量を上回ってリザーバーが充填されるのを防ぐように構成された過剰充填保護エレメントを備える。
【００５７】
１つの形態では、過剰充填保護エレメントは、リザーバーの壁に形成される少なくとも１つのオリフィスを含み、少なくとも１つのオリフィスは、水の予め定められた最大容量が超過しているときの水の排出経路を規定する。
【００５８】
１つの形態では、過剰充填保護エレメントは、リザーバーの壁の側面のプロファイルにあるスロープのついたプロファイルを含み、スロープのついたプロファイルは、水の予め定められた最大容量が超過しているときの水の排出経路を規定する。
【００５９】
本技術の１つの態様は、空気の流れを加湿するための加湿システム中のヒータープレートとリザーバーとの間の熱的接触を変化させる方法に関し、方法は、ヒータープレートとリザーバーとの間の力を変化させるために、空気の流れと流体伝達する、リザーバー中の空気の流れの圧力を変化させることを含む。
【００６０】
本技術の別の態様は、空気の流れを加湿するための装置に関し、ヒータープレート、ならびに空気の流れを受け取る入口、出口、およびヒータープレートと熱接触する伝導部を含むリザーバーを備え、装置は、リザーバー中の空気の流れの圧力を変化させることが、熱的接触の方向に、ヒータープレートと伝導部との間の力を変化させるように構成される。
【００６１】
１つの形態では、装置はさらに、リザーバーと接続可能なドックを備える。
【００６２】
１つの形態では、ドックは、熱的接触の方向に、リザーバーが開くのを制約するように構成される。
【００６３】
本技術の別の態様は、圧力をかけられた空気の流れを加湿するための液体の容量を含むように構成されたリザーバーに関し、伝導部を含む底部、入口および出口を含むリッド部ならびにコンプライアント部を備え、ここで、底部およびリッド部は、旋回可能に係合し、旋回可能に係合しながら、開構成および閉構成で構成可能であり、密封は、リザーバーが閉構成にあるときに底部およびリッド部を密封するように係合させる。
【００６４】
１つの形態では、コンプライアント部は、出口チューブおよび整流装置を備え、整流装置は、入口チューブに接続するように構成される。
【００６５】
本技術の１つの態様は、空気の流れを加湿するための装置に関し、ヒータープレートと、入口、出口、コンプライアント部、およびヒータープレートと熱接触する伝導部を含むリザーバーとを備え、装置は、コンプライアント部の高さを変化させることで、伝導部とヒータープレートとの間の熱的関与のレベルを変化させるように構成される。
【００６６】
１つの形態では、装置は、熱関与が、伝導部の表面に実質的に垂直な第１の方向であるように構成される。
【００６７】
本技術の別の態様は、加湿器装置における熱的関与のレベルを変化させる方法に関し、方法は、（ｉ）リザーバーの伝導部とヒータープレートとを熱的に関与させることと、（ｉｉ）リザーバーのコンプライアント部の高さを変化させることで、伝導部とヒータープレートとの間の熱的関与のレベルを変化させることとを含む。
【００６８】
本技術の別の態様は、空気の流れを加湿するための装置のためのウォーターリザーバーに関し、水の予め定められた最大容量を保持するように構成された底部を備え、底部は、水の最大容量を上回って底部を充填することを防ぐように構成および配置された過剰充填保護エレメントを含む。
【００６９】
１つの形態では、ウォーターリザーバーはさらに、開構成と閉構成との間でウォーターリザーバーを変換可能にさせる底部に移動可能に接続されたリッド部を含む。
【００７０】
１つの形態では、過剰充填保護エレメントは、ウォーターリザーバーが開構成および／または閉構成にあるときに、水の最大容量を上回って底部を充填することを防ぐように構成および配置される。
【００７１】
１つの形態では、ウォーターリザーバーはさらに、リザーバーが閉構成にあるときに、リッド部と底部とを密封するように係合させるように構成されたコンプライアント部を含む。
【００７２】
１つの形態では、コンプライアント部は、リザーバーへの流体の伝達およびリザーバーからの流体の伝達を防ぐように、過剰充填保護エレメントをブロックまたは密封するように構成される。
【００７３】
１つの形態では、過剰充填保護エレメントは、水の最大容量が超過し、底部が通常の作動の向きにあるときに、過剰充填保護エレメントを介して水の最大容量を上回る過剰な水がこぼれるように構成される。
【００７４】
１つの形態では、過剰充填保護エレメントは、水の最大容量が超過しているときの水の排出経路を規定する、少なくとも１つのオリフィスを含む。
【００７５】
１つの形態では、過剰充填保護エレメントは、水の最大容量が超過しているときに、少なくとも１つのオリフィスを通して水のみがこぼれるように構成される。
【００７６】
１つの形態では、少なくとも１つのオリフィスは、底部の周囲長に沿った１以上のポジションに提供される。
【００７７】
１つの形態では、少なくとも１つのオリフィスは、底部の周囲長に沿って提供される上側のリップまたはフランジを通して提供される。
【００７８】
１つの形態では、少なくとも１つのオリフィスは、リザーバーへの流体の伝達およびリザーバーからの流体の伝達を可能にする、１以上の開口部、孔、スリットまたはスロットを含む。
【００７９】
１つの形態では、ウォーターリザーバーは、リザーバーが閉構成にあるときに底部を密封するように係合するように構成されるコンプライアント部を含み、コンプライアント部は、リザーバーへの流体の伝達およびリザーバーからの流体の伝達を防ぐように少なくとも１つのオリフィスをブロックまたは密封するように構成される。
【００８０】
１つの形態では、コンプライアント部は、少なくとも１つのオリフィスの外側にある底部を密封するように係合する。
【００８１】
１つの形態では、過剰充填保護エレメントは、水の最大容量が超過しているときの水の排出経路を規定する、底部の側面のプロファイル中のスロープのついたプロファイルを含む。
【００８２】
１つの形態では、スロープのついたプロファイルは、１以上の方向に拡張する。
【００８３】
１つの形態では、過剰充填保護エレメントは、水の最大容量が超過しているときに、スロープのついたプロファイルを通して水のみがこぼれるように構成される。
【００８４】
１つの形態では、ウォーターリザーバーはさらに、リザーバーが閉構成にあるときに底部を密封するように係合するように構成されるコンプライアント部を含み、コンプライアント部は、リザーバーへの流体の伝達およびリザーバーからの流体の伝達を防ぐようにスロープのついたプロファイルをブロックまたは密封するように構成される。
【００８５】
１つの形態では、コンプライアント部は、スロープのついたプロファイルの外側端にある底部を密封するように係合する。
【００８６】
１つの形態では、過剰充填保護エレメントは、ウォーターリザーバーが開構成にあるときに、水の最大容量を上回って底部を充填することを防ぐように構成および配置される。
【００８７】
１つの形態では、過剰充填保護エレメントは、ウォーターリザーバーが閉構成にあるときに、水の最大容量を上回って底部を充填することを防ぐように構成および配置される。
【００８８】
１つの形態では、過剰充填保護エレメントは、水の最大容量に達したときに、底部への水のさらなる移入を防ぐための１以上の空気ロックを形成する。
【００８９】
１つの形態では、ウォーターリザーバーはさらに、開構成と閉構成との間でウォーターリザーバーを変換可能にさせる底部に移動可能に接続されたリッド部を含む。
【００９０】
１つの形態では、過剰充填保護エレメントは、ウォーターリザーバーが閉構成にあるときに、１以上の空気ロックを形成するように構成および配置される。
【００９１】
１つの形態では、ウォーターリザーバーはさらに、底部と伝達する入口チューブおよび出口チューブを含み、入口チューブおよび出口チューブは、水の最大容量に達したときに、リザーバー中の空気が、入口チューブおよび出口チューブを通して逃げるのを防ぎ、それにより、底部への水のさらなる移入を防ぐように配置される。
【００９２】
本技術の別の態様は、空気の流れを加湿するための装置に関し、ウォーターリザーバードックおよび上述したようにウォーターリザーバードックに実質的に提供されるウォーターリザーバーを備える。
【００９３】
１つの形態では、ウォーターリザーバードックは、ウォーターリザーバーを受け入れるキャビティを形成する。
【００９４】
１つの形態では、ウォーターリザーバードックは、ウォーターリザーバーに提供される伝導部を熱的に関与させるように適合されるヒータープレートを含む。
【００９５】
本技術の別の態様は、加湿器リザーバーにおいて過剰充填を防ぐ方法に関し、方法は、（ｉ）加湿器リザーバーの底部に過剰充填保護エレメントを組み込むことと、（ｉｉ）水の予め定められた最大容量が超過し、底部が通常の作動の向きにあるときに、過剰充填保護エレメントを介して水の最大容量を上回る過剰な水がこぼれるように、過剰充填保護エレメントを構成することとを含む。
【００９６】
１つの形態では、過剰充填保護エレメントは、少なくとも１つのオリフィスを含む。
【００９７】
１つの形態では、過剰充填保護エレメントは、スロープのついたプロファイルを含む。
【００９８】
１つの形態では、加湿器リザーバー中の過剰充填を防ぐ方法はさらに、水の最大容量が超過しているときに過剰充填保護エレメントを介して水のみがこぼれるように、過剰充填保護エレメントを構成することを含む。
【００９９】
本技術の別の態様は、水の予め定められた最大容量を保持するように構成されたリザーバーに関し、水の予め定められた最大容量を保持するように構成されるキャビティを形成する複数の壁と、入口内側端および入口外側端を有する、キャビティに空気の供給を伝えるように構成された入口チューブと、出口内側端および出口外側端を有する、加湿された空気の供給をキャビティから伝えるように構成される出口チューブとを含み、入口内側端および出口内側端は、キャビティ内に位置し、入口外側端および出口外側端は、キャビティの複数の壁のうちの１つに位置し、第１の軸は入口内側端および入口外側端により規定され、第２の軸は出口内側端および出口外側端により規定され、リザーバーが通常の作動方向に対して約９０度傾いたときに、第１の軸は、入口内側端および入口外側端が異なる高さに位置付けられるような第１の角度にあり、これにより、入口チューブを通して水がこぼれるのを防ぐために、水の予め定められた最大容量が入口内側端または入口外側端のうちの少なくとも１つを下回る。
【０１００】
１つの形態では、リザーバーはさらに、リザーバーが通常の作動方向に対して約９０度傾いたときに、第２の軸は、出口内側端および出口外側端が異なる高さに位置付けられるような第２の角度にあり、これにより、出口チューブを通して水の戻りを防ぐために、水の予め定められた最大容量が出口内側端または出口外側端のうちの少なくとも１つを下回る。
【０１０１】
当然、態様の一部は、本技術の下位態様を形成してもよい。さらに、下位態様および／または態様の様々なものを様々な方法で組み合わせてもよく、さらに、本技術の追加の態様または下位態様を構築してもよい。
【０１０２】
技術の他の特徴は、以下の詳細な説明、要約、図面および特許請求の範囲に含まれる情報を考慮すれば明らかであろう。
【０１０３】
本技術は、添付の図面の図において、例として示されているが、限定されるものではなく、添付図面の図において、同様の参照番号は同様のエレメントのことを指す。
【図面の簡単な説明】
【０１０４】
【図１ａ】図１ａは、患者インターフェース３０００を装着した患者１０００を含むシステムを示し、経鼻ピローの形で、ＲＰＴデバイス４０００から陽圧で空気の供給を受け取る。ＲＰＴデバイスからの空気は、加湿器５０００において加湿され、空気回路４１７０に沿って患者１０００にパスされる。
【図１ｂ】図１ｂは、患者インターフェース３０００を装着した患者１０００を含むシステムを示し、経鼻マスクの形で、ＲＰＴデバイス４０００から陽圧で空気の供給を受け取る。ＲＰＴデバイスからの空気は、加湿器５０００において加湿され、空気回路４１７０に沿って患者１０００にパスされる。
【図１ｃ】図１ｃは、患者インターフェース３０００を装着した患者１０００を含むシステムを示し、フルフェイスマスクの形で、ＲＰＴデバイスから陽圧で空気の供給を受け取る。ＲＰＴデバイスからの空気は、加湿器５０００において加湿され、空気回路４１７０に沿って患者１０００にパスされる。
【図２ａ】図２ａは、鼻腔および口腔、喉頭、声帯ヒダ、食道、気道、気管支、肺、肺胞嚢、心臓および横隔膜を含むヒト呼吸器系の概要を示す。
【図２ｂ】図２ｂは、鼻腔、鼻骨、側鼻軟骨、大鼻翼軟骨、鼻孔、上唇、下唇、喉頭、硬口蓋、軟口蓋、中咽頭、舌、喉頭蓋、声帯ヒダ、食道および気道を含むヒトの上気道の概要を示す。
【図３ａ】図３ａは、本技術の１つの形態にしたがった、患者インターフェースを示す。
【図４ａ】図４ａは、本技術の１つの形態にしたがった、ＲＰＴデバイスを示す。
【図４ｂ】図４ｂは、本技術の１つの形態にしたがった、ＲＰＴデバイスの含気性回路の概略図を示す。上流および下流の方向を示す。
【図４ｃ】図４ｃは、本技術の１つの形態にしたがった、ＲＰＴデバイスの電気コンポーネントの概略図を示す。
【図４ｄ】図４ｄは、本技術の１つの形態にしたがった、ＲＰＴデバイスで実現されるアルゴリズムの概略図を示す。この図では、実線の矢印は、例えば、電気信号を介しての情報の実際の流れを示す。
【図４ｅ】図４ｅは、本技術の１つの形態にしたがった、図４ｄの治療エンジンにより実行される方法を示すフローチャートである。
【図５ａ】図５ａは、空気回路４１７０を介して圧力発生器４１４０に接続される加湿器の簡略図を示す。
【図５ｂ】図５ｂは、加湿器の概略を示す。
【図６ａ】図６ａは、睡眠中の人間の通常の呼吸波形モデルを示す。横軸は時間であり、縦軸は呼吸の流れである。パラメータ値は変化することがある一方、通常の呼吸は以下の近似値を有してもよい：一回換気量（Ｖｔ）０．５Ｌ、吸息時間（Ｔｉ）１．６ｓ、ピーク吸入気流（Ｑｐｅａｋ）０．４Ｌ／ｓ、呼息時間（Ｔｅ）２．４ｓ、ピーク呼気流（Ｑｐｅａｋ）−０．５Ｌ／ｓ。呼吸の総持続時間（Ｔｔｏｔ）は約４ｓである。人間は通常、１分間に約１５回（ＢＰＭ）の割合で呼吸し、換気（Ｖｅｎｔ）は約７．５Ｌ／分である。通常のデューティーサイクルである、Ｔｉ対Ｔｔｏｔ比は約４０％である。
【図７】図７は、ＲＰＴデバイス４０００および加湿器５０００の先行技術の例を示す。
【図８】図８は、本技術の例にしたがった、ＲＰＴデバイス４０００と一体化された加湿器５０００とを示す。
【図９】図９は、本技術の例にしたがった、加湿器リザーバー５１１０の図を示し、「閉」構成にある加湿器リザーバー５１１０を示す。
【図１０】図１０は、本技術の例にしたがった、加湿器リザーバー５１１０の図を示し、「閉」構成にある加湿器リザーバー５１１０を示す。
【図１１】図１１は、本技術の例にしたがった、加湿器リザーバー５１１０の図を示し、「開」構成にある加湿器リザーバー５１１０を示す。
【図１２】図１２は、本技術の例にしたがった、加湿器リザーバー５１１０の図を示し、加湿器リザーバー５１１０の分解立体図である。
【図１３】図１３は、ある観点からの加湿器５０００を示し、本技術の例にしたがった、リザーバードック５１３０と加湿器リザーバー５１１０との係合および／または空気回路４１７０と加湿器５０００の係合を示す。
【図１４】図１４は、ある観点からの加湿器５０００を示し、本技術の例にしたがった、リザーバードック５１３０と加湿器リザーバー５１１０との係合および／または空気回路４１７０と加湿器５０００の係合を示す。
【図１５】図１５は、ある観点からの加湿器５０００を示し、本技術の例にしたがった、リザーバードック５１３０と加湿器リザーバー５１１０との係合および／または空気回路４１７０と加湿器５０００の係合を示す。
【図１６】図１６は、ある観点からの加湿器５０００を示し、本技術の例にしたがった、リザーバードック５１３０と加湿器リザーバー５１１０との係合および／または空気回路４１７０と加湿器５０００の係合を示す。
【図１７ａ】図１７ａは、本技術の例にしたがった、空気が入口５１１８から加湿器リザーバー５１１０へ入ったときの例示的な空気の流れの経路の経時的チャートを示す。
【図１７ｂ】図１７ｂは、本技術の例にしたがった、空気が入口５１１８から加湿器リザーバー５１１０へ入ったときの例示的な空気の流れの経路の経時的チャートを示す。
【図１７ｃ】図１７ｃは、本技術の例にしたがった、空気が入口５１１８から加湿器リザーバー５１１０へ入ったときの例示的な空気の流れの経路の経時的チャートを示す。
【図１８ａ】図１８ａは、本技術の例にしたがった、空気が加湿器リザーバー５１１０の内側を通って横切るときの例示的な空気の流れの経路の経時的チャートを示す。
【図１８ｂ】図１８ｂは、本技術の例にしたがった、空気が加湿器リザーバー５１１０の内側を通って横切るときの例示的な空気の流れの経路の経時的チャートを示す。
【図１８ｃ】図１８ｃは、本技術の例にしたがった、空気が加湿器リザーバー５１１０の内側を通って横切るときの例示的な空気の流れの経路の経時的チャートを示す。
【図１９ａ】図１９ａは、本技術の例にしたがった、空気が加湿器リザーバー５１１０の内側を通って横切った後、出口５１２２を通って出るときの例示的な空気の流れの経路の経時的チャートを示す。
【図１９ｂ】図１９ｂは、本技術の例にしたがった、空気が加湿器リザーバー５１１０の内側を通って横切った後、出口５１２２を通って出るときの例示的な空気の流れの経路の経時的チャートを示す。
【図１９ｃ】図１９ｃは、本技術の例にしたがった、空気が加湿器リザーバー５１１０の内側を通って横切った後、出口５１２２を通って出るときの例示的な空気の流れの経路の経時的チャートを示す。
【図２０】図２０は、本技術の例にしたがったある構成での、加湿器リザーバー５１１０における圧力／力の例示的な分散を示す。
【図２１】図２１は、本技術の例にしたがったある構成での、加湿器リザーバー５１１０における圧力／力の例示的な分散を示す。
【図２２】図２２は、本技術の例にしたがった、入口チューブ５１２４および出口チューブ５１２６の構成の特定のバリエーションにおける、リザーバーリッド５１１４の可変の構成を示す。
【図２３】図２３は、本技術の例にしたがった、入口チューブ５１２４および出口チューブ５１２６の構成の特定のバリエーションにおける、リザーバーリッド５１１４の可変の構成を示す。
【図２４】図２４は、本技術の例にしたがった、入口チューブ５１２４および出口チューブ５１２６の構成の特定のバリエーションにおける、リザーバーリッド５１１４の可変の構成を示す。
【図２５】図２５は、本技術の例にしたがった、入口チューブ５１２４および出口チューブ５１２６の構成の特定のバリエーションにおける、リザーバーリッド５１１４の可変の構成を示す。
【図２６】図２６は、本技術の例にしたがった、入口チューブ５１２４および出口チューブ５１２６の構成の特定のバリエーションにおける、リザーバーリッド５１１４の可変の構成を示す。
【図２７】図２７は、本技術の例にしたがった、入口チューブ５１２４および出口チューブ５１２６の構成の特定のバリエーションにおける、リザーバーリッド５１１４の可変の構成を示す。
【図２８】図２８は、本技術の例にしたがった、入口チューブ５１２４および出口チューブ５１２６の構成の特定のバリエーションにおける、リザーバーリッド５１１４の可変の構成を示す。
【図２９】図２９は、本技術の例にしたがった、入口チューブ５１２４および出口チューブ５１２６の構成の特定のバリエーションにおける、リザーバーリッド５１１４の可変の構成を示す。
【図３０ａ】図３０ａは、本技術の例にしたがった、加湿器リザーバー５１１０および特にオリフィス５１３８を示す。
【図３０ｂ】図３０ｂは、本技術の例にしたがった、加湿器リザーバー５１１０および特にオリフィス５１３８を示す。
【図３０ｃ】図３０ｃは、本技術の例にしたがった、加湿器のベース５１１２および特にスロープのついたプロファイル５１３９を示す。
【図３０ｄ】図３０ｄは、本技術の例にしたがった、加湿器のベース５１１２および特にスロープのついたプロファイル５１３９を示す。
【図３１ａ】図３１ａは、本技術の例にしたがった、加湿器リザーバー５１１０および特に特にオリフィス５１３８を示す。
【図３１ｂ】図３１ｂは、本技術の例にしたがった、加湿器リザーバー５１１０および特にスロープのついたプロファイル５１３９を示す。
【図３２】図３２は、本技術の例にしたがった加湿器ドック５１３０および加湿器リザーバー５１１０を示し、特に、リッド貯留突起５１４２とドックロッキング陥凹部５１４４との間の相互作用を示す。
【図３３】図３３は、本技術の例にしたがった加湿器ドック５１３０および加湿器リザーバー５１１０を示し、特に、リッド貯留突起５１４２とドックロッキング陥凹部５１４４との間の相互作用を示す。
【図３４】図３４は、本技術の別の例にしたがった加湿器リザーバー５１１０を示し、加湿器リザーバー５１１０は、共に添付されてもよい再充填キャップ５１８０ならびに底部、上部およびコンプライアント部とともに構成される。
【図３５】図３５は、本技術の例にしたがった加湿器リザーバー５１１０の他の表現を示し、特に、入口チューブ５１２４および出口チューブ５１２６の配置に関する。
【図３６】図３６は、本技術の例にしたがった加湿器リザーバー５１１０の他の表現を示し、特に、入口チューブ５１２４および出口チューブ５１２６の配置に関する。
【図３７】図３７は、本技術の例にしたがった加湿器リザーバー５１１０の他の表現を示し、特に、入口チューブ５１２４および出口チューブ５１２６の配置に関する。
【図３８】図３８は、本技術の例にしたがった加湿器リザーバー５１１０の他の表現を示し、特に、入口チューブ５１２４および出口チューブ５１２６の配置に関する。
【図３９】図３９は、本技術の例にしたがった、リザーバーリッド５１１４およびコンプライアント部５１１６の断面図を示す。
【図４０】図４０は、本技術の別の例にしたがった加湿器リザーバー５１１０の例を示し、加湿器リザーバー５１１０はラッチ５１８６とともに構成される。
【図４１ａ】図４１ａは、本技術の別の例にしたがった加湿器リザーバー５１１０を示す。
【図４１ｂ】図４１ｂは、本技術の別の例にしたがった加湿器リザーバー５１１０を示す。
【図４２】図４２は、本技術の別の例にしたがった加湿器リザーバー５１１０を示す。この構成では、リザーバー５１１０は、入口チューブ５１２４と、（図４２では分解立体図で示されるような）底部５１１２と、出口チューブ５１２６を含む中間部５２０２とを有するリザーバーリッド５１１４を含む。
【図４３ａ】図４３ａは、本技術の例にしたがった、ある角度からの、リザーバー５１１０の中間部５２０２を示す。特に、整流装置５１９２、出口チューブ５１２６およびサポートスポーク５１９４を示す目的がある。
【図４３ｂ】図４３ｂは、本技術の例にしたがった、ある角度からの、リザーバー５１１０の中間部５２０２を示す。特に、整流装置５１９２、出口チューブ５１２６およびサポートスポーク５１９４を示す目的がある。
【図４４】図４４は、本技術の例にしたがった、リザーバー５１１０の中間部５２０２の側底図を示す。
【図４５ａ】図４５ａは、共に接続されたリザーバーリッド５１１４および中間部５２０２の断面を示す。
【図４５ｂ】図４５ｂは、共に接続されたリザーバーリッド５１１４および中間部５２０２の断面を示す。図４５ｂは、整流装置５１９２のさらに詳細な断面を示し、特に、入口チューブ５１２４の垂直部、整流装置５１９２の位置付け部５１９６および整流装置５１９２の偏向部５１９８の配置を示す。
【図４５ｃ】図４５ｃは、本技術の例にしたがった、図４５ａおよび図４５ｂに示した断面を示すリザーバーリッド５１１４を示す。
【図４６】図４６は、本技術の別の例にしたがった加湿器リザーバー５１１０の上部を示す。この構成では、リザーバー５１１０は、リザーバーリッド部５１１４、底部（示されてない）、ならびに出口チューブ５１２６、入口チューブ５１２４および壁部５２０６を備える中間部５２０２を含む。
【図４７ａ】図４７ａは、本技術の別の例にしたがった加湿器リザーバー５１１０の一部を示す。中間部５２０２に接続されたリザーバーリッド５１１４を示し、特に、入口チューブ５１２４、出口チューブ５１２６、偏向部５１９８およびフローダイレクター５１９５を示すことを目的としている。
【図４７ｂ】図４７ｂは、本技術の別の例にしたがった加湿器リザーバー５１１０の一部を示す。中間部５２０２に接続されたリザーバーリッド５１１４を示し、特に、入口チューブ５１２４、出口チューブ５１２６、偏向部５１９８およびフローダイレクター５１９５を示すことを目的としている。
【図４８ａ】図４８ａは、本技術の別の例にしたがった中間部５２０２を示し、特に、偏向部５１９８、フローダイレクター５１９５、位置付け部５１９６およびコンプライアント部５１１６を示すことを目的としている。
【図４８ｂ】図４８ｂは、本技術の別の例にしたがった中間部５２０２を示し、特に、偏向部５１９８、フローダイレクター５１９５、位置付け部５１９６およびコンプライアント部５１１６を示すことを目的としている。
【図４９】図４９は、本技術の別の例にしたがった加湿器リザーバー５１１０の一部を示す。特に、図４９は、液体の予め定められた最大容量がリザーバー５１１０にあるときに、空気ロックが、リザーバー５１１０へのさらなる移入を防ぐように形成される水レベル５１８４を示す。
【図５０ａ】図５０ａは、本技術の例にしたがった、加湿器リザーバー５１１０の図を示し、「閉」構成にある加湿器リザーバー５１１０を示す。
【図５０ｂ】図５０ｂは、本技術の例にしたがった、加湿器リザーバー５１１０の図を示し、「閉」構成にある加湿器リザーバー５１１０を示す。
【図５１ａ】図５１ａは、本技術の例にしたがった、加湿器リザーバー５１１０の図を示し、「閉」構成にある加湿器リザーバー５１１０を示す。
【図５１ｂ】図５１ｂは、本技術の例にしたがった、加湿器リザーバー５１１０の図を示し、「開」構成にある加湿器リザーバー５１１０を示す。
【図５２ａ】図５２ａは、本技術の例にしたがった、加湿器リザーバー５１１０の図を示す。図５２ａは、図５２ｂにおいて示されている断面を示す、「開」構成にある加湿器リザーバー５１１０の平面図を示す。
【図５２ｂ】図５２ｂは、本技術の例にしたがった、加湿器リザーバー５１１０の図を示す。図５２ｂは、可視的な断面とともに図５２ａの線５２ｂ〜５２ｂを通したリザーバー５１１０の断面を示す。
【図５３】図５３は、本技術の例にしたがった、リザーバー底部５１１２の図を示す。
【図５４】図５４は、本技術の例にしたがった、リザーバー底部５１１２の図を示す。
【図５５ａ】図５５ａは、本技術の例にしたがった、折り畳み可能なチューブ５２０８を示す。図５５ａは、「開」構成にある折り畳み可能なチューブ５２０８を示す。
【図５５ｂ】図５５ｂは、本技術の例にしたがった、折り畳み可能なチューブ５２０８を示す。図５５ｂは、「閉」構成にある折り畳み可能なチューブ５２０８を示す。
【図５６】図５６は、本技術の例にしたがった、加湿器リザーバーリッド５１１４を示し、リザーバーリッド５１１４の入口チューブ５１２４は、軟性部５２１０および硬性部５２１２を含む。
【図５７ａ】図５７ａは、本技術の例にしたがった、（底部５１１２のみを示す）加湿器リザーバー５１１０の側面図を示し、図５７ｂにおいて示された断面５７ｂ〜５７ｂを示す。
【図５７ｂ】図５７ｂは、図５７ａに示すような断面を示す、（底部５１１２のみを示す）加湿器リザーバー５１１０の斜視図を示す。特に、図５７ｂは、オリフィス５１３８および水充填表示マーク５１４０を示す。
【図５８ａ】図５８ａは、本技術の例にしたがった、加湿器リザーバー５１１０の上面図を示し、図５８ｂにおいて示された断面５８ｂ〜５８ｂを示す。
【図５８ｂ】図５８ｂは、図５８ａに示すような断面を示す、加湿器リザーバー５１１０の側面図を示す。特に、図５８ｂは、オリフィス５１３８、水の予め定められた最大容量における水レベル５１４１＿１および水のしきい値の容積での水レベル５１４１＿２を示す。
【図５９】図５９は、本技術の例にしたがった、ＲＰＴデバイス４０００、一体化された加湿器５０００および加湿器端キャップ５３００の分解斜視図を示す。
【図６０】図６０は、本技術の例にしたがった、加湿器端キャップ５３００の斜視図である。
【発明を実施するための形態】
【０１０５】
本技術をさらに詳細に説明する前に、技術が本明細書で説明する特定の例に限定されず、変更可能であることを理解すべきである。さらに、本開示において使用される技術用語は、本明細書で論じる特定の例のみを説明することを目的としており、限定を意図していないことを理解すべきである。
【０１０６】
以下の説明は、共通の特徴および機能を共有し得る複数の例に関して提供される。任意の１つの例の１以上の機能は、他の例の１以上の機能と組み合わせてもよいことを理解すべきである。さらに、単一の機能または例のうちの任意のものの機能の組み合わせは、追加の例を構築してもよい。
【０１０７】
治療システム
１つの形態では、本技術は、ＲＰＴデバイスのような呼吸器疾患を治療するための装置を含む。装置またはデバイスは、患者インターフェース３０００に至る空気回路を介して患者１０００に空気の流れを供給するための圧力発生器またはブロワを備えてもよい。
【０１０８】
治療法
１つの形態では、本技術は、患者１０００の気道の入口に陽圧を適用するステップを含む、呼吸器疾患を治療するための方法を含む。
【０１０９】
ＯＳＡに対する経鼻ＣＰＡＰ
１つの形態では、本技術は、患者に経鼻持続気道陽圧を適用することにより、患者の閉塞型睡眠時無呼吸（ＯＳＡ）を治療する方法を含む。
【０１１０】
本技術のある例では、陽圧での空気の供給は、１つまたは双方の鼻孔を介して患者の経鼻路に提供される。
【０１１１】
患者インターフェース３０００
本技術の１つの態様にしたがった非侵襲性患者インターフェース３０００は、以下の機能的側面を含む：密封形成構造３１００、プレナムチャンバ３２００、ポジショニングおよび安定化構造３３００ならびに空気回路４１７０に接続するための接続ポート３６００。いくつかの形態では、機能的側面は、１以上の物理的コンポーネントにより提供されてもよい。いくつかの形態では、１つの物理的コンポーネントは、１以上の機能的側面を提供してもよい。使用時に、密封形成構造３１００は、空気の陽圧での気道への供給を促進するために、患者の気道への入口を囲むように構成される。
【０１１２】
呼吸装置
本技術の１つの態様にしたがったＲＰＴデバイス４０００を図４ａに示す。ＲＰＴデバイス４０００は、機械的および含気性コンポーネント４１００、電気コンポーネント４２００を含み、１以上のアルゴリズム４３００を実行するようにプログラミングされている。ＲＰＴデバイスは、２つの部分で形成されてもよい外部ハウジング４０１０、上部４０１２および下部４０１４を含んでもよい。さらに、外部ハウジング４０１０は、１以上のパネル４０１５を含んでもよい。ＲＰＴデバイス４０００は、ＲＰＴデバイス４０００の１以上の内部コンポーネントをサポートするシャーシ４０１６を含んでもよい。１つの形態では、含気性ブロック４０２０は、シャーシ４０１６によりサポートされるか、または、シャーシ４０１６の一部として形成される。ＲＰＴデバイス４０００はハンドル４０１８を含んでもよい。
【０１１３】
本技術の例にしたがったＲＰＴデバイス４０００の含気性回路の概略図を図４ｂに示す。ＲＰＴデバイス４０００の含気性経路は、入口空気フィルタ４１１２、入口マフラー４１２２、陽圧で空気を供給可能な圧力発生器４１４０（好ましくはブロワ４１４２）、含気性ブロック４０２０および出口マフラー４１２４を含んでもよい。圧力センサ４２７２およびフローセンサ４２７４のような、１以上の変圧器４２７０は、含気性経路に含まれてもよい。
【０１１４】
含気性ブロック４０２０は、外部ハウジング４０１０内に位置する含気性経路の一部を含んでもよく、圧力発生器４１４０をハウジングしてもよい。
【０１１５】
ＲＰＴデバイス４０００は、電力源４２１０、１以上の入力デバイス４２２０、中央制御装置４２３０、治療デバイス制御装置４２４０、圧力発生器４１４０、１以上の保護回路４２５０、メモリ４２６０、変圧器４２７０、データ通信インターフェース４２８０および１以上の出力デバイス４２９０を含んでもよい。電気コンポーネント４２００は、単一のプリント回路板アセンブリ（ＰＣＢＡ）４２０２上にマウントされてもよい。代替的な形態では、ＲＰＴデバイス４０００は、１より多いＰＣＢＡ４２０２を含んでもよい。
【０１１６】
図７は、加湿器５０００に接続可能な、ＲＰＴデバイス４０００の先行技術の実施形態を示す。ＲＰＴデバイスはまた、外部ハウジング４０１０が、ＲＰＴデバイス４０００の同等な機能を実行するコンポーネントとともに加湿器５０００の同等な機能を実行するコンポーネントを包むように、加湿器５０００と一体化してもよい。
【０１１７】
図８は、本技術の例にしたがった、ＲＰＴデバイス４０００と加湿器５０００とを含むこのような一体化されたデバイスの実施形態を示す。加湿器５０００に対する後続の参照は一体化されたデバイス、特に、加湿器５０００の同等な機能を実行するコンポーネントを指すことを理解すべきである。
【０１１８】
ＲＰＴデバイスの機械的および含気性コンポーネント４１００
空気フィルタ４１１０
本技術の１つの形態にしたがったＲＰＴデバイスは、１以上の空気フィルタ４１１０を含んでもよい。
【０１１９】
１つの形態では、入口空気フィルタ４１１２は、ブロワ４１４２の含気性経路上流の開始地点に位置する。図４ｂ参照。
【０１２０】
１つの形態では、出口空気フィルタ４１１４、例えば、抗細菌フィルタは、含気性ブロック４０２０の出口と患者インターフェース３０００との間に位置する。図４ｂ参照。
【０１２１】
マフラー４１２０
本技術の１つの形態では、入口マフラー４１２２はブロワ４１４２の含気性経路上流に位置する。図４ｂ参照。
【０１２２】
本技術の１つの形態では、出口マフラー４１２４はブロワ４１４２と患者インターフェース３０００との間の含気性経路上に位置する。図４ｂ参照。
【０１２３】
圧力発生器４１４０
本技術の好ましい形態では、陽圧での空気の流れを生成するための圧力発生器４１４０はブロワ４１４２である。例えば、ブロワは、渦巻きにハウジングされた１以上のインペラを伴うブラッシュレスＤＣモニター４１４４を含んでもよい。ブロワは、好ましくは、例えば、最大約１２０リットル／分まで、４ｃｍＨ２Ｏから約２０ｃｍＨ２Ｏ、または、他の形態では最高３０ｃｍＨ２Ｏの範囲の陽圧で、空気の供給を伝えることができてもよい。適切なブロワの例は、以下の特許または特許出願のうちのいずれか１つに記載されるようなブロワを含んでもよく、その内容の全てが本明細書に組み込まれている：米国特許番号第７，８６６，９４４号、米国特許番号第８，６３８，０１４号、米国特許番号第８，６３６，４７９号およびＰＣＴ特許出願公開番号ＷＯ２０１３／０２０１６７。
【０１２４】
圧力発生器４１４０は、治療デバイス制御装置４２４０の制御下にある。
【０１２５】
他の形態では、圧力発生器４１４０は、ピストン駆動ポンプ、高圧力源（例えば、圧縮された空気リザーバー）に接続された圧力レギュレータ、または、ベローズであってもよい。
【０１２６】
変圧器４２７０
変圧器は、ＲＰＴデバイスの内側、または、ＲＰＴデバイスの外側であってもよい。外側変圧器は、空気回路、例えば、患者インターフェースの一部に例えば位置し、または、空気回路、例えば、患者インターフェースの一部を形成してもよい。外側変圧器は、ＲＰＴデバイスにデータを送信または転送するドップラーレーダー動きセンサのような、非接触センサの形であってもよい。
【０１２７】
本技術の１つの形態では、１以上の変圧器４２７０は、圧力発生器４１４０の上流および／または下流のような、含気性経路に位置してもよい。１以上の変圧器４２７０は、含気性経路におけるそのポイントでの空気の流れのフローレート、圧力、温度または湿度のような特性を測定するように構築および配置される。
【０１２８】
本技術の１つの形態では、１以上の変圧器４２７０は、空気回路４１７０中のような、患者インターフェース３０００に近接して位置する。
【０１２９】
本技術の別の形態では、１以上の変圧器４２７０は周囲の空気の特性を測定するように配置されてもよい。
【０１３０】
１つの形態では、変圧器４２７０からの信号がフィルタリングされてもよく、例えば、ローパスフィルタリング、ハイパスフィルタリングまたはバンドパスフィルタリングされてもよい。
【０１３１】
フロー変圧器４２７４
本技術にしたがったフローレート変圧器４２７４は、差圧変圧器、例えば、ＳＥＮＳＩＲＩＯＮ社からのＳＤＰ６００シリーズの差圧変圧器に基づいてもよい。
【０１３２】
１つの形態では、フロー変圧器４２７４からの総フローＱｔのような、フローレートを表す信号が中央制御装置４２３０により受信される。
【０１３３】
圧力変換器４２７２
本技術にしたがった圧力変換器４２７２は、含気性経路と流体伝達するよう位置される。適切な圧力変換器の例は、ＨＯＮＥＹＷＥＬＬ  ＡＳＤＸシリーズからのセンサである。代替的な適切な圧
力変換器は、ＧＥＮＥＲＡＬ  ＥＬＥＣＴＲＩＣ社によるＮＰＡシリーズからのセンサである。
【０１３４】
１つの形態では、圧力変換器４２７２からの信号は、中央制御装置４２３０により受信される。
【０１３５】
モータースピード変圧器４２７６
本技術の１つの形態では、モータースピード変圧器４２７６は、モーター４１４４および／またはブロワ４１４２の回転速度を決定するように使用される。モータースピード変圧器４２７６からのモータースピード信号は、好ましくは、治療デバイス制御装置４２４０に提供される。モータースピード変圧器４２７６は、例えば、ホール効果センサのような、スピードセンサであってもよい。
【０１３６】
抗戻りバルブ４１６０
本技術の１つの形態では、抗戻りバルブは、加湿器５０００と含気性ブロック４０２０の間に位置する。抗戻りバルブは、水が加湿器５０００から、例えば、モーター４１４４に、上流に流れるリスクを減少させるように構成および配置される。
【０１３７】
空気回路４１７０
本技術の態様にしたがった空気回路４１７０は、含気性ブロック４０２０および患者インターフェース３０００のような、２つのコンポーネント間を空気の流れが移動することができるよう使用されるように構成および配置される導管あるいはチューブである。
【０１３８】
特に、空気回路４１７０は、含気性ブロックの出口および患者インターフェースと流体伝達してもよい。空気回路は空気伝達チューブと呼ばれてもよい。いくつかのケースでは、吸気および呼気のための回路の別々の脚があってもよい。他の形態では、単脚が使用される。
【０１３９】
追加の酸素４１８０
本技術の１つの形態では、追加の酸素４１８０は、含気性ブロック４０２０の上流、空気回路４１７０および／または患者インターフェース３０００のような、含気性経路における１以上のポイントに、伝達される。
【０１４０】
電力源４２１０
電力源（またはＰＳＵ）４２１０は、ＲＰＴデバイス４０００の外部ハウジング４０１０の内側または外側に位置してもよい。
【０１４１】
本技術の１つの形態では、電力源４２１０は、ＲＰＴデバイス４０００のみに電力を提供する。本技術の別の形態では、電力源４２１０は、ＲＰＴデバイス４０００および加湿器５０００の双方に電力を提供する。
【０１４２】
入力デバイス４２２０
本技術の１つの形態では、ＲＰＴデバイス４０００は、人間がデバイスと相互作用できるように、ボタン、スイッチまたはダイアルの形で、１以上の入力デバイス４２２０を含む。ボタン、スイッチまたはダイアルは、タッチスクリーンを介してアクセス可能な、物理的なデバイスまたはソフトウェアデバイスであってもよい。１つの形態では、ボタン、スイッチまたはダイアルは、外部ハウジング４０１０に物理的に接続されてもよく、または、別の形態では、中央制御装置４２３０に電気接続された受信機とワイヤレス通信してもよい。
【０１４３】
１つの形態では、入力デバイス４２２０は、値および／またはメニューオプションを人間が選択することができるように構成ならびに配置されてもよい。
【０１４４】
中央制御装置４２３０
本技術の１つの形態では、中央制御装置４２３０は、ＲＰＴデバイス４０００を制御するのに適した１つまたは複数のプロセッサである。
【０１４５】
適切なプロセッサは、ｘ８６  ＩＮＴＥＬプロセッサ、ＡＲＭホールディングスからのＡＲＭ  Ｃｏｒｔｅｘ−Ｍプロセッサに基づくプロセッサ、例えば、ＳＴ  ＭＩＣＲＯＥＬＥＣＴＲＯＮＩＣ社からのＳＴＭ３２シリーズのマイクロ制御装置を含んでもよい。本技術のある代替的な形態では、３２ビットＲＩＳＣ  ＣＰＵ、例えば、ＭＩＣＲＯＥＬＥＣＴＲＯＮＩＣ社からのＳＴＲ９シリーズのマイクロ制御装置、または、１６ビットＲＩＳＣ  ＣＰＵ、例えば、ＴＥＸＡＳ  ＩＮＳＴＲＵＭＥＮＴＳ社により製造される、ＭＳＰ４３０ファミリーのマイクロ制御装置からのプロセッサが適切なものであってもよい。
【０１４６】
本技術の１つの形態では、中央制御装置４２３０は専用電子回路である。
【０１４７】
１つの形態では、中央制御装置４２３０は、特定用途向け集積回路である。別の形態では、中央制御装置４２３０は、離散電子コンポーネントを含む。
【０１４８】
中央制御装置４２３０は、１以上の変圧器４２７０および１以上の入力デバイス４２２０から入力信号を受け取るように構成されてもよい。
【０１４９】
中央制御装置４２３０は、出力デバイス４２９０、治療デバイス制御装置４２４０、データ通信インターフェース４２８０および加湿器制御装置５２５０のうちの１以上に出力信号を提供するように構成されてもよい。
【０１５０】
本技術のいくつかの形態では、中央制御装置４２３０は、１以上のアルゴリズム４３００のような、本明細書に記載される１以上の方法を実現するように構成される。本技術のいくつかの形態では、中央制御装置４２３０は、ＲＰＴデバイス４０００と一体化してもよい。しかし、本技術のいくつかの形態では、中央制御装置４２３０は、例えば、呼吸器治療の伝達を直接制御することなく、本明細書に記載される方法のいずれかを実行する目的のために、ＲＰＴデバイス４０００のフロー発生コンポーネントから離散的に実現されてもよい。例えば、中央制御装置４２３０は、本明細書に記載される変圧器４２７０のいずれかからのような、記憶されたデータの解析により、人工呼吸器または他の呼吸器関連事象に対する制御設定を決定する目的のために、本明細書に記載される方法のいずれかを実行してもよい。
【０１５１】
クロック４２３２
好ましくは、ＲＰＴデバイス４０００は、中央制御装置４２３０に接続されるクロック４２３２を含む。
【０１５２】
治療デバイス制御装置４２４０
本技術の１つの形態では、治療デバイス制御装置４２４０は、中央制御装置４２３０により実行されるアルゴリズム４３００の一部を形成する制御モジュール４３３０である。
【０１５３】
本技術の１つの形態では、治療デバイス制御装置４２４０は、専用モーター制御集積回路である。例えば、１つの形態では、ＯＮＳＥＭＩ社により製造される、ＭＣ３３０３５ブラッシュレスＤＣモーター制御装置が使用される。
【０１５４】
保護回路４２５０
本技術にしたがった１以上の保護回路４２５０は、電気保護回路、温度および／または圧力安全回路を含んでもよい。
【０１５５】
メモリ４２６０
本技術の１つの形態にしたがって、ＲＰＴデバイス４０００は、メモリ４２６０、好ましくは、不揮発性メモリを含む。いくつかの形態では、メモリ４２６０は、バッテリー電源静的ＲＡＭを含んでもよい。いくつかの形態では、メモリ４２６０は、揮発性ＲＡＭを含んでもよい。
【０１５６】
好ましくは、メモリ４２６０は、ＰＣＢＡ４２０２に位置する。メモリ４２６０は、ＥＥＰＲＯＭまたはＮＡＮＤフラッシュの形であってもよい。
【０１５７】
さらにまたは代替的に、ＲＰＴデバイス４０００は、メモリ４２６０の取り外し可能な形態、例えば、セキュアデジタル（ＳＤ）標準規格にしたがって作製されたメモリカードを含む。
【０１５８】
本技術の１つの形態では、メモリ４２６０は、１以上のアルゴリズム４３００のような、本明細書に記載される１以上の方法を表現するコンピュータプログラム命令がその上に記憶される、一時的でないコンピュータ読み取り可能記憶媒体として作動する。
【０１５９】
データ通信システム４２８０
本技術の１つの好ましい形態では、データ通信インターフェース４２８０が提供され、中央制御装置４２３０に接続される。データ通信インターフェース４２８０は、好ましくは、リモート外部通信ネットワーク４２８２および／またはローカル外部通信ネットワーク４２８４に接続可能である。好ましくは、リモート外部通信ネットワーク４２８２は、リモート外部デバイス４２８６に接続可能である。好ましくは、ローカル外部通信ネットワーク４２８４は、ローカル外部デバイス４２８８に接続可能である。
【０１６０】
１つの形態では、データ通信インターフェース４２８０は、中央制御装置４２３０の一部である。別の形態では、データ通信インターフェース４２８０は、中央制御装置４２３０とは別個であり、集積回路またはプロセッサを含んでもよい。
【０１６１】
１つの形態では、リモート外部通信ネットワーク４２８２は、インターネットである。データ通信インターフェース４２８０は、（イーサネット（登録商標）または光ファイバを介する）ワイヤード通信あるいはインターネットに接続するためのワイヤレスプロトコール（例えば、ＣＤＭＡ、ＧＳＭ（登録商標）、ＬＴＥ）を使用してもよい。
【０１６２】
１つの形態では、ローカル外部通信ネットワーク４２８４は、ブルートゥース（登録商標）のような、１以上の通信標準規格、または、消費者の赤外線プロトコールを利用する。
【０１６３】
１つの形態では、リモート外部デバイス４２８６は、１以上のコンピュータ、例えば、ネットワーク接続されたコンピュータのクラスターである。１つの形態では、リモート外部デバイス４２８６は、物理コンピュータよりむしろ、仮想コンピュータであってもよい。いずれのケースでも、このようなリモート外部デバイス４２８６は、臨床医のような適切に認可を受けた人間がアクセス可能であってもよい。
【０１６４】
好ましくは、ローカル外部デバイス４２８８は、パーソナルコンピュータ、移動体電話機、タブレットまたはリモートコントロールである。
【０１６５】
出力デバイス４２９０（光学ディスプレイ、アラームを含む）
本技術にしたがった出力デバイス４２９０は、視覚、聴覚および触角ユニットのうちの１以上の形態をとってもよい。視覚ディスプレイは、液晶ディスプレイ（ＬＣＤ）または発光ダイオード（ＬＥＤ）ディスプレイであってもよい。
【０１６６】
ディスプレイドライバ４２９２
ディスプレイドライバ４２９２は、ディスプレイ４２９４上に表示することを意図したキャラクタ、シンボルまたは画像を入力として受け取り、それらを、こうしたキャラクタ、シンボルまたは画像をディスプレイ４２９４に表示させるコマンドに変換する。
【０１６７】
ディスプレイ４２９４
ディスプレイ４２９４は、ディスプレイドライバ４２９２から受け取ったコマンドに対応して、キャラクタ、シンボルまたは画像を視覚的に表示するように構成される。例えば、ディスプレイ４２９４は、８セグメントディスプレイであってもよく、この場合、ディスプレイドライバ４２９２が、数字「０」のような、各キャラクタまたはシンボルを、８のそれぞれのセグメントが特定のキャラクタまたはシンボルを表示するために作動されることになるか否かを示す、８論理信号に変換する。
【０１６８】
ＲＰＴデバイスアルゴリズム４３００
前処理モジュール４３１０
本技術の１つの形態にしたがった前処理モジュール４３１０は、入力として、例えば、フロー変圧器４２７４または圧力変換器４２７２のような、変圧器４２７０から信号を受け取り、好ましくは、例えば、治療エンジンモジュール４３２０のような、別のモジュールに、入力として使用される１以上の出力値を計算するための１以上のプロセスステップを実行する。
【０１６９】
本技術の１つの形態では、出力値は、患者インターフェースまたはマスクの圧力Ｐｍ、呼吸フローＱｒ、および意図しないリークフローＱｌを含む。
【０１７０】
本技術の様々な形態では、前処理モジュール４３１０は、以下のアルゴリズムのうちの１以上を含む：圧力補償アルゴリズム４３１２、ベントフローアルゴリズム４３１４（例えば、意図的なリーク）、リークフローアルゴリズム４３１６（例えば、意図しないリーク）および呼吸フローアルゴリズム４３１８。
【０１７１】
圧力補償４３１２
本技術の１つの形態では、圧力補償アルゴリズム４３１２は、入力として、含気性ブロックの出口に近接した含気性経路中の圧力を示す信号を受け取る。圧力補償アルゴリズム４３１２は、空気回路４１７０を通る圧力の低下を推定し、出力として、患者インターフェース３０００における推定圧力Ｐｍを提供する。
【０１７２】
ベントフロー４３１４
本技術の１つの形態では、ベントフロー計算アルゴリズム４３１４は、入力として、患者インターフェース３０００における推定圧力Ｐｍを受け取り、空気のベントフロー（Ｑｖ）を、患者インターフェース３０００におけるベント３４００から推定する。
【０１７３】
リークフロー４３１６
本技術の１つの形態では、リークフローアルゴリズム４３１６は、入力として、総フローＱｔおよびベントフローＱｖを受け取り、複数の呼吸サイクルを含むのに十分長い期間、例えば、約１０秒にわたるＱｔ〜Ｑｖの平均を計算することにより、出力として、意図しないリーク、すなわち、リークフローＱｌの推定を提供する。
【０１７４】
１つの形態では、リークフローアルゴリズム４３１６は、入力として、患者インターフェース３０００における、総フローＱｔ、ベントフローＱｖおよび推定圧力Ｐｍを受け取り、出力として、リークコンダクタンスを計算することと、リークコンダクタンスおよび圧力Ｐｍの関数であるリークフローＱｌを決定することとによりリークフローＱｌを提供する。好ましくは、リークコンダクタンスは、ローパスフィルタリングされた非ベントフローＱｔＱｖと圧力Ｐｍのローパスフィルタリングされた平方根の商として計算され、ローパスフィルタ時間定数は、複数の呼吸サイクルを含むのに十分長い値、例えば、約１０秒を有する。
【０１７５】
呼吸フロー４３１８
本技術の１つの形態では、呼吸フローアルゴリズム４３１８は、入力として、総フローＱｔ、ベントフローＱｖおよびリークフローＱｌを受け取り、ベントフローＱｖおよびリークフローＱｌを総フローＱｔから減算することにより、患者に対する空気の呼吸の流れＱｒを推定する。
【０１７６】
治療エンジンモジュール４３２０
本技術の１つの形態では、治療エンジンモジュール４３２０は、入力として、患者インターフェース３０００における圧力Ｐｍおよび患者に対する空気の呼吸の流れＱｒのうちの１以上を受け取り、出力として、１以上の治療パラメータを提供する。
【０１７７】
本技術の１つの形態では、治療パラメータはＣＰＡＰ治療圧力Ｐｔである。
【０１７８】
本技術の１つの形態では、治療パラメータは、圧力サポートのレベルおよび目標換気のうちの１以上である。
【０１７９】
本技術の様々な形態では、治療エンジンモジュール４３２０は、以下のアルゴリズムのうちの１以上を含む：相決定アルゴリズム４３２１、波形決定アルゴリズム４３２２、換気決定アルゴリズム４３２３、フロー制限決定アルゴリズム４３２４、無呼吸／低呼吸決定アルゴリズム４３２５、いびき決定アルゴリズム４３２６、開存性決定アルゴリズム４３２７および治療パラメータ決定アルゴリズム４３２８。
【０１８０】
相決定４３２１
本技術の１つの形態では、ＲＰＴデバイス４０００は相を決定しない。
【０１８１】
本技術の別の形態では、ＲＰＴデバイス４００は、相決定アルゴリズム４３２１を使用して、相を決定する。相決定アルゴリズム４３２１は、入力として、呼吸フローＱｒを示す信号を受け取り、出力として、患者１０００の呼吸サイクルの相を提供する。
【０１８２】
いくつかの形態では、相出力は、吸気、吸気中期の停止および呼気のうちの１以上の値とともに離散変数を含んでもよい。例えば、相出力は、呼吸フローＱｒが、正のしきい値を超える正の値を有するときに、吸気の離散値を有するように決定されてもよく、相は、呼吸フローＱｒが負のしきい値より低い負の値を有するときに、呼気の離散値を有するように決定されてもよい。
【０１８３】
１つの形態では、相出力は、例えば、０〜１、または、０〜２Ｐｉで変化する、連続変数を含んでもよい。
【０１８４】
波形決定４３２２
本技術の１つの形態では、制御モジュール４３３０は、患者の呼吸サイクル全体を通しておおよそ持続的気道陽圧を提供するために圧力発生器４１４０を制御する。
【０１８５】
本技術の他の形態では、制御モジュール４３３０は、圧力対相の予め定められた波形にしたがって気道陽圧を提供するために圧力発生器４１４０を制御する。１つの形態では、波形は、相の全ての値に対して、おおよそ一定のレベルで維持される。１つの形態では、波形は、相のいくつかの値に対して、より高い値を有し、相の他の値にしたいしてより低い値を有する、方形波である。
【０１８６】
本技術のいくつかの形態では、波形決定アルゴリズム４３２２は、入力として、現在の患者の換気（Ｖｅｎｔ）を示す値を受け取り、出力として、圧力対相の波形を提供する。例えば、換気決定アルゴリズム４３２３は、入力として、呼吸フローＱｒを受け取ってもよく、患者の換気（Ｖｅｎｔ）を示す測定を決定してもよい。患者の換気（Ｖｅｎｔ）の現在の値は、呼吸フローＱｒのローパスフィルタリングされた絶対値の半数として決定されてもよい。
【０１８７】
換気決定４３２３
本技術の１つの形態では、換気決定アルゴリズム４３２３は、入力として、呼吸フローＱｒを受け取り、患者の換気（Ｖｅｎｔ）を示す測定を決定する。
【０１８８】
本技術のいくつかの形態では、換気決定アルゴリズム４３２３は、患者の換気（Ｖｅｎｔ）の現在の値を、呼吸フローＱｒのローパスフィルタリングされた絶対値の半数として決定する。
【０１８９】
吸気フロー制限の決定４３２４
本技術の１つの形態では、中央制御装置は、吸気フロー制限の検知のために１以上のアルゴリズム４３２４を実行する。
【０１９０】
１つの形態では、アルゴリズム４３２４は、入力として、呼吸フロー信号Ｑｒを受け取り、出力として、呼吸の吸気部が吸気フロー制限を表す程度のメトリックを提供する。
【０１９１】
本技術の１つの形態では、各呼吸の吸気部はゼロ交差検知器により識別される。時間におけるポイントを表す、均等に間隔が開けられたポイントの数（例えば、６５）は、各呼吸に対する吸気フロー時間曲線に沿って、補間器により補間される。ポイントにより記述される曲線は、その後、呼吸レートおよび深度を変化させる効果を除去するために、単位長（持続時間／期間）および単位面積を有するようにスケーラーによりスケーリングされる。スケーリングされた呼吸は、その後、図６ａに示す呼吸の吸気部と同様の、通常の妨害されていない呼吸を表す、予め記憶されたテンプレートを伴う比較器で比較される。このテンプレートからの吸気中の任意の時間における特定のしきい値（通常、１スケーリングされた単位）より多いものにより偏差される呼吸、例えば、呼吸、溜息、嚥下およびしゃっくりによるものは、テストエレメントにより決定されたものとして、拒絶される。拒絶されていないデータに関して、このような第１のスケーリングされたポイントの移動平均は、先行する複数の吸気事象に対して、中央制御装置４２３０により計算される。これは、第２のこのようなポイント等に対する同じ吸気事象にわたって繰り返される。したがって、例えば、６５のスケーリングされたデータポイントは、中央制御装置４２３０により発生され、先行する複数の吸気事象、例えば、３事象の移動平均を表す。（例えば、６５）ポイントの持続的に更新された値の移動平均は、ここより後では、Ｑｓ（ｔ）として示される、「スケーリングされたフロー」と呼ばれる。代替的に、単一の吸気事象は、移動平均よりむしろ、利用できる。
【０１９２】
スケーリングされたフローから、部分閉塞の決定に関する２つの形状係数が、計算されてもよい。
【０１９３】
形状係数１は、中間（例えば、３２）のスケーリングされたフローポイント対全（例えば、６５）スケーリングされたフローポイントの平均の比である。この比が１を超える場合、呼吸は正常であるととられるだろう。比が１以下の場合、呼吸は閉塞であるととられるだろう。約１．１７の比は、部分閉塞と閉塞していない呼吸との間のしきい値ととられ、典型的なユーザにおける適切な酸素負荷の維持を可能にする閉塞の程度に等しくなる。
【０１９４】
形状係数２は、単位スケーリングされたフローからのＲＭＳ偏差として計算され、中間（例えば、３２）ポイントにわたってとられる。約０．２単位のＲＭＳ偏差は正常であるととられる。ゼロのＲＭＳ偏差は、総合的にフロー制限された呼吸であるととられる。ＲＭＳ偏差がゼロに近づけば近づくほど、呼吸は、さらにフロー制限されたものであるととられるだろう。
【０１９５】
形状係数１および２は、代替として、または、組み合わせとして、使用されてもよい。本技術の１つの形態では、サンプリングされたポイント、呼吸および中間ポイントの数は、上述したものとは異なってもよい。さらに、しきい値は、記述したものとは他の値とすることができる。
【０１９６】
無呼吸および低呼吸の決定４３２５
本技術の１つの形態では、中央制御装置４２３０は、無呼吸および／または低呼吸の存在の決定のために１以上のアルゴリズム４３２５を実行する。
【０１９７】
好ましくは、１以上のアルゴリズム４３２５は、入力として、呼吸フロー信号Ｑｒを受け取り、出力として、無呼吸または低呼吸が検知されたことを示すフラグを提供する。
【０１９８】
１つの形態では、無呼吸は、呼吸フローＱｒの関数が予め定められた時間期間の間、フローしきい値を下回ったときに、検知されたと言われるだろう。関数は、ピークフロー、比較的短期間の平均フロー、または、比較的短期間の平均フローとピークフローの中間のフローを、例えば、ＲＭＳフローを決定してもよい。フローしきい値は、比較的長期間のフローの測定であってもよい。
【０１９９】
１つの形態では、低呼吸は、呼吸フローＱｒの関数が予め定められた時間期間の間、第２のフローしきい値を下回ったときに、検知されたと言われるだろう。関数は、ピークフロー、比較的短期間の平均フロー、または、比較的短期間の平均フローとピークフローの中間のフローを、例えば、ＲＭＳフローを決定してもよい。第２のフローしきい値は、比較的長期間のフローの測定であってもよい。第２のフローしきい値は、無呼吸を検知するのに使用されるフローしきい値より大きい。
【０２００】
いびきの決定４３２６
本技術の１つの形態では、中央制御装置４２３０は、いびきの検知のために１以上のいびきアルゴリズム４３２６を実行する。
【０２０１】
１つの形態では、いびきアルゴリズム４３２６は、入力として、呼吸フロー信号Ｑｒを受け取り、出力として、いびきが存在する程度のメトリックを提供する。
【０２０２】
好ましくは、アルゴリズム４３２６は、３０〜３００Ｈｚの範囲のフロー信号の強度を決定するステップを含む。さらに好ましくは、アルゴリズム４３２６は、呼吸フロー信号Ｑｒをフィルタリングして、背景ノイズを、例えば、ブロワからのシステム中の空気の流れの音を低下させるステップを含む。
【０２０３】
気道開存性の決定４３２７
本技術の１つの形態では、中央制御装置４２３０は、気道開存性の決定のために１以上のアルゴリズム４３２７を実行する。
【０２０４】
１つの形態では、気道開存性アルゴリズム４３２７は、入力として、呼吸フロー信号Ｑｒを受け取り、約０．７５Ｈｚ〜約３Ｈｚの周波数範囲にある信号のパワーを決定する。本周波数範囲中のピークの存在は、開いた気道を示すようにとられる。ピークの不在は、閉じた気道を示すようにとられる。
【０２０５】
１つの形態では、ピークが探索される周波数範囲は、治療圧力Ｐｔにおける小さな強制振動の周波数である。１つの実現では、強制振動は、約１ｃｍＨ２０の振幅を有する、２Ｈｚの周波数である。
【０２０６】
１つの形態では、気道開存性アルゴリズム４３２７は、入力として、呼吸フロー信号Ｑｒを受け取り、心原性の信号の存在または不在を決定する。心原性の信号の不在は、閉じた気道を示すようにとられる。
【０２０７】
治療パラメータ決定４３２８の決定
本技術の１つの形態では、中央制御装置４２３０は、ＲＰＴデバイス４０００により伝えられる目標治療圧力Ｐｔの決定のために、１以上の治療パラメータ決定アルゴリズム４３２８を実行する。
【０２０８】
好ましくは、治療パラメータ決定アルゴリズム４３２８は、入力として、以下のうちの１以上を受け取る：
・呼吸相の測定
・波形
・換気の測定
・吸気フロー制限の測定
・無呼吸および／または低呼吸の存在の測定
・いびきの存在の測定
・気道の開存性の測定
【０２０９】
治療パラメータ決定アルゴリズム４３２８は、治療圧力Ｐｔを、フロー制限、無呼吸、低呼吸、開存性およびいびきのうちの１以上の指数あるいは測定の関数として、決定する。１つの実現では、これらの測定は、複数の過去の呼吸の集積ではなくむしろ、単一の呼吸ベースで決定される。
【０２１０】
図４ｅは、アルゴリズム４３２８の１つの実現として、中央制御装置４２３０により実行される方法４５００を示すフローチャートである。方法４５００は、ステップ４５２０において開始し、そこで中央制御装置４２３０が無呼吸／低呼吸の存在の測定を第１のしきい値と比較し、無呼吸／低呼吸の存在の測定が、予め定められた時間期間の間、無呼吸／低呼吸が生じていることを示す、第１のしきい値を超過するか否かを決定する。そうである場合に、方法４５００は、ステップ４５４０に進み、そうでない場合は、方法４５００はステップ４５３０に進む。ステップ４５４０において、中央制御装置４２３０は、気道の開存性の測定と第２のしきい値を比較する。気道の開存性の測定が、気道が開存していることを示す、第２のしきい値を超過する場合に、検知された無呼吸／低呼吸は中央だと思われ、方法４５００は、ステップ４５６０に進み、そうでない場合には、無呼吸／低呼吸は、閉塞だと思われ、方法４５００はステップ４５５０に進む。
【０２１１】
ステップ４５３０において、中央制御装置４２３０は、フロー制限の測定と第３のしきい値を比較する。フロー制限の測定が、吸気フローが制限されていることを示す、第３のしきい値を超過する場合に、方法４５００はステップ４５５０に進み、そうでない場合に、方法４５００はステップ４５６０に進む。
【０２１２】
ステップ４５５０において、増加された治療圧力Ｐｔが上限Ｐｍａｘを超過しない場合、中央制御装置４２３０は、予め定められた圧力漸増ΔＰだけ治療圧力Ｐｔを増加させる。１つの実現では、予め定められた圧力漸増ΔＰおよび上限Ｐｍａｘは、それぞれ、１ｃｍＨ２０および２０ｃｍＨ２０である。
方法４５００は、その後、ステップ４５２０に戻る。
【０２１３】
ステップ４５６０において、減少された治療圧力Ｐｔが下限Ｐｍｉｎを下回らない場合、中央制御装置４２３０は、漸減により治療圧力Ｐｔを減少させる。方法４５００は、その後、ステップ４５２０に戻る。１つの実現では、漸減は、Ｐｔ〜Ｐｍｉｎの値に比例し、これにより、任意の検知された事象の不在下での下限ＰｍｉｎへのＰｔの減少は、指数的である。代替的に、Ｐｔの漸減は予め定めることができ、そのため、任意の検知された事象の不在下での下限ＰｍｉｎへのＰｔの減少は、線形である。
【０２１４】
制御モジュール４３３０
本技術の１つの態様にしたがった制御モジュール４３３０は、入力として、目標治療圧力Ｐｔを受け取り、その圧力を伝えるために圧力発生器４１４０を制御する。
【０２１５】
本技術の１つの態様にしたがった制御モジュール４３３０は、入力として、ＥＰＡＰ圧力およびＩＰＡＰ圧力を受け取り、それらのそれぞれの圧力を伝えるために圧力発生器４１４０を制御する。
【０２１６】
故障状態の検知４３４０
本技術の１つの形態では、中央制御装置４２３０は、故障状態の検知のための１以上の方法を実行する。好ましくは、１以上の方法により検知される故障状態は、以下のうちの少なくとも１つを含む：
・電力の故障（電力がない、または、不十分な電力）
・変圧器の故障の検知
・コンポーネントの存在を検知する故障
・推奨範囲外の動作パラメータ（例えば、圧力、フロー、温度、ＰａＯ２）
・検知可能なアラーム信号を発生するテストアラームの故障
・故障状態の検知時に、対応するアルゴリズムは、以下のうちの１以上による故障の存在をシグナリングする：
・聴覚、視覚および／または運動的（例えば、振動）アラームの開始
・外部デバイスへのメッセージの送信
・インシデントのログ
【０２１７】
加湿器５０００
加湿器の概要
本技術の１つの形態では、環境空気に対して、患者に伝えるための空気の絶対湿度を変化させるための加湿器５０００が提供される。通常、加湿器５０００は、絶対湿度を増加させ、患者の気道に伝わる前に、環境空気に対して、空気の流れの温度を増加させるように使用される。
【０２１８】
加湿器に関連することがある多数の性能要件および／または設計要件がある。加湿器の設計に関するいくつかの既知の性能要件および／または設計要件は、以下を含んでもよい：容積の減少および／または加湿器のフットプリント（例えば、ベッドサイドの配置に関するもの）、治療セッション全体に対して加湿を提供する能力、水の供給の効率的な使用、呼吸器装置に結合するための要件、加湿器による空気の流れに対する圧力低下の最小化、および／または、患者の気道の入口で陽圧を維持するための要件（例えば、このため、加湿器において陽圧を維持するための要件）。本技術の目的の１つは、少なくともいくつかの先の性能要件および／または設計要件に対処またはそれらを改善することである。
【０２１９】
加湿器５０００の簡略図を図５ａに示す。１つの形態では、加湿器５０００は、加湿器リザーバー５１１０、熱エレメント５２４０および１以上のセンサ５２７０を含んでもよい。加湿器５０００は、空気回路４１７０を介して圧力発生器４１４０から空気の流れを受け取り、例えば、熱空気回路４１７１を介して、加湿された空気の流れを患者インターフェース３０００（図５ａに示されていない）に伝えるように構成されてもよい。
【０２２０】
本技術の例にしたがった、加湿器５０００の簡略化された概略を図５ｂに示す。加湿器５０００は、複数の機能を実行する離散制御装置または１つの制御装置であってもよい、熱空気回路制御装置５２５４、熱エレメント制御装置５２５２または中央加湿器制御装置５２５１のような、１以上の制御装置５２５０を含んでもよい。制御装置５２５０は、以下の１つ以上と電気通信してもよい：図５ｂに示すような、１以上のセンサ５２７０、入力デバイス４２２０、出力デバイス４２９０、熱空気回路４１７１および熱エレメント５２４０。
【０２２１】
加湿器の機械的コンポーネント５１００
ウォーターリザーバードック５１３０
図１３〜図１６に示すように、加湿器５０００は、ウォーターリザーバー５１１０を受け入れるためのウォーターリザーバードック５１３０を含んでもよい。図１４に示すように、ウォーターリザーバードック５１３０は、ウォーターリザーバー５１１０を受け入れるためにウォーターリザーバードック５１３０において形成されたキャビティ５１６０を含んでもよい。１つの形態では、ウォーターリザーバードック５１３０は、図１３〜図１６に示すように、加湿器５０００と一体化していてもよい。ウォーターリザーバードック５１３０は、さらに、ウォーターリザーバー５１１０を含気性経路に接続してもよい。この配置では、リザーバードック５１３０は、空気の流れをウォーターリザーバー５１１０に伝えるためのドック空気出口５１６８、ウォーターリザーバー５１１０で加湿された空気の流れを受け取るためのドック空気入口５１７０、および、加湿された空気の流れを空気回路４１７０に伝達するための加湿器出口５１７２を含む。キャビティ５１６０は、リザーバー５１１０のリッドの少なくとも一部およびヒータープレート５１２０を含む底部をカバーするように構成された上部を含んでもよい。
【０２２２】
リザーバードック５１３０は、代替的な配置で加湿器５０００に別個に提供されてもよいことを理解すべきである。このような配置では、リザーバードック５１３０を加湿器５０００に接続するために、追加のインターフェースが使用されてもよい。
【０２２３】
別の配置では、ウォーターリザーバードック５１３０は、実質的に水平な面における開口部を含んでよく、これにより、ウォーターリザーバー５１１０がウォーターリザーバードック５１３０の上または下から挿入されてもよい。
【０２２４】
ウォーターリザーバー５１１０
図９〜図１２は、リザーバーベース５１１２、リザーバーリッド５１１４およびコンプライアント部５１１６を有する中間部５２０２を含む、ウォーターリザーバー５１１０の１つの形態を示す。液体の他の容量、例えば、１００ミリリットル（ｍＬ）、２００ｍＬ、２５０ｍＬ、５００ｍＬ、またはそれより多くもしくは少なく利用されてもよいことを理解すべきであるが、リザーバー５１１０は、通常は数百ミリリットル、例えば、３００ｍＬ、３２５ｍＬ、３５０ｍＬまたは４００ｍＬの、所定の最大量の液体（例えば、水）を保持するように構成される。１つの形態では、リザーバー５１１０は、図１１および図１２に示すように、所定の最大量の液体を保持するために、複数の壁により形成されるキャビティを含んでもよい。
【０２２５】
１つの態様にしたがって、ウォーターリザーバー５１１０は、ＲＰＴデバイス４０００からの空気の流れに湿度を加えるように構成される。ウォーターリザーバー５１１０は、リザーバー５１１０を通して、曲がった経路を空気の流れが移動することを促すことにより、そのようなことを行うように構成されてもよい。リザーバー５１１０は、さらに、リザーバー５１１０がその通常の作動の向きから離脱および／または回転しているとき、液体が開口部を通っておよび／またはそのサブコンポーネントの間に漏れない等、リザーバー５１１０から液体が排出しないように構成されている。加湿された空気５０００により加湿されることになる空気の流れは通常圧縮されるので、リザーバー５１１０は、リークおよび／またはフローインピーダンスにより含気性圧力における損失を防ぐように構成されてもよい。
【０２２６】
ウォーターリザーバー５１１０は、リザーバー５１１０への空気の流れを受け取るための入口５１１８と、リザーバー５１１０からの空気の流れを伝えるための出口５１２２を含んでもよい。１つの形態では、リザーバー５１１０は、入口チューブ５１２４および／または出口チューブ５１２６を含んでもよい（例えば、図１０および図１２参照）。１つの構成では、入口５１１８および入口チューブ５１２４は、１つの入口コンポーネントとして一体化して形成され、出口５１２２および出口チューブ５１２６は、１つの出口コンポーネントとして一体化して形成される（図１０〜図１２、図２２〜図２９および図４７ａ〜図５２ｂ参照）。他の構成では、入口チューブ５１２４および／または出口チューブ５１２６は、入口５１１８および／または出口５１２２にそれぞれ結合される別のチューブであってもよい（図４１ａ〜図４６参照）。ウォーターリザーバー５１１０は、空気がリザーバー５１１０を通して流れるために、空気の流れの加湿を増加させるように構成される。
【０２２７】
ウォーターリザーバーリッド５１１４
１つの形態では、ウォーターリザーバーリッド５１１４は、リザーバー５１１０が図１１に示すような開構成と、図９および図１０に示すような閉構成との間で変換可能なように、ヒンジ５１５８によりベース５１１２に旋回可能に接続される。ウォーターリザーバー５１１０が閉構成にあるときに、コンプライアント部５１１６は、ベース５１１２およびリッド５１１４を密封し、リザーバー５１１０からの水の排出を防ぐために、ベース５１１２とリッド５１１４との間の密封係合とされる。
ヒンジ５１５８は、リザーバーベース５１１２に位置する補完的なヒンジ陥凹部５１５９（図１２参照）に結合されてもよい。１つの形態では、リッド５１１４は、プラスチック性または熱可塑性ポリマー、例えば、アクリロニトリル・ブタジエン・スチレン（ＡＢＳ）またはポリカーボネート材料のような、生体適合性材料から構成されてもよい。
【０２２８】
本技術の別の態様は、ベース５１１２に対するリッド５１１４の旋回作用の動作に関する。リッド５１１４がヒンジ５１５８の周囲を回転するときに、回転の範囲は図５１ａおよび図５１ｂに示すように定義されてもよい。１つの形態では、回転の範囲の２つの端は、ベース５１１２に関するリッド５１１４の閉鎖により定義されてもよく、２つの端のうちの１つは、回転ガイド５２２０により定義される完全に開いたポジションであってもよく、完全に開いたポジションにおいて回転ストップ５２２２に干渉することがある。
【０２２９】
別の態様にしたがって、リッド５１１４は、ユーザが、回転ストップ５２２２および回転ガイド５２２０よりさらにリッド５１１４を開こうと試みたときに、リッド５１１４がベース５１１２から外れるように構成されてもよい。図５１ｂおよび図５２ｂに示すように、完全に開いたポジションでは、回転ガイド５２２０は回転ストップ５２２２と接触してもよい。この形態では、ベース５１１２に関してリッド５１１４をさらに開く試みにより、回転ストップ５２２２がカンチレバーの旋回軸として動作し、ヒンジ５１５８においてリッド５１１４をベース５１１２から離れさせ、それにより、例えば、リザーバー５１１０に対する過剰な力の印加によるリザーバー５１１０に対するダメージを回避することができる。１つの形態では、ヒンジ５１５８は、ベース５１１２に関するリッド５１１４の１つの向きにおいて、別の向きよりも容易に外れやすくなるように構成されてもよい（例えば、それから、リザーバー５１１０は完全に開いたポジションになる）。これは、例えば、図４７ａおよび図４７ｂに示すように、リッド５１１４におけるヒンジ５１５８に対するテーパリングの導入により達成されてもよい。
【０２３０】
コンプライアント部５１１６
１つの形態では、ウォーターリザーバー５１１０が使用中のときに、コンプライアント部５１１６は、リザーバーベース５１１２とリザーバーリッド５１１４との間の密封として動作してもよい。コンプライアント部５１１６はさらに、例えば、以下にさらに詳細に記述するように、リザーバー５１１０とヒータープレート５１２０との間の熱的接触を改善するために、他の機能を実行してもよい。
【０２３１】
コンプライアント部５１１６は、リザーバーリッド５１１４の一部またはリザーバーベース５１１２の一部として提供されてもよく、あるいは、例えば、中間部５２０２の一部として、双方とも関係なく、提供されてもよい。コンプライアント部５１１６は、これらに限定されないが、超音波溶接、摩擦接合、接着剤、または、中間コンポーネントの使用を含む、任意の数の手段により、リザーバーリッド５１１４またはリザーバーベース５１１２と係合してもよい。中間部５２０２は、（図１２に示すように）コンプライアント部５１１６およびキャリア５１１７を含んでもよい。
【０２３２】
コンプライアント部５１１６は、好ましくは、リザーバー５１１０で発生される力および／または圧力、例えば、ユーザ、リザーバードック５１３０ならびに／あるいはリザーバー５１１０を通って流れる空気の流れにより発生される力および／または圧力に抵抗できるように、十分に弾力のある構成を含む。コンプライアント部５１１６は、さらに、リッド５１１４および／またはベース５１１２に結合でき、その形に一致するようにコンプライアントする。１つの形態では、中間部のキャリア５１１７は、およそ２ミリの厚さ（例えば、１ミリ、１．５ミリ、２．５ミリまたは３ミリ）のナイロン材料から構成されてもよく、中間部５２０２のコンプライアント部を形成するためにキャリア５１１７にオーバーモールドするため、シリコーン材料が使用されてもよい。
【０２３３】
いくつかの配置では、コンプライアント部５１１６は、リッド５１１４および／またはベース５１１２に結合されもよく、ベース５１１２および／またはリッド５１１４は、その間に結合されたコンプライアント部５１１６と組み立てることができる２つの別個の部品として形成されてもよい。
【０２３４】
代替的な配置では、コンプライアント部５１１６は、例えば、オーバーモールドにより一体的に、リザーバーベース５１１２の壁および／またはリザーバーリッド５１１４の壁の中に位置してもよく、あるいは、サブアセンブリとして接続された別個のコンポーネントとして位置してもよい。このような配置では、コンプライアント部は、リザーバーベース５１１２とリザーバーリッド５１１４との間に位置しないが、リザーバーベース５１１２および／またはリザーバーリッド５１１４の中に位置する。１より多いコンプライアント部５１１６があってもよく、コンプライアント部は、リザーバー５１１０の動きにさらにコンプライアンスをもたらすために複数の部品で形成されてもよい。
【０２３５】
ウォーターリザーバーベース５１１２
１つの配置にしたがって、リザーバーベース５１１２は、加湿器５０００のヒータープレート５１２０と熱的に結合するように構成された伝導部（例えば、ベースコンダクタプレート５１５２、例えば、図１２参照）を含む。伝導部は、ヒータープレート５１２０から、リザーバー５１１０中の液体の容積への熱伝達効率を改善する。ベースコンダクタプレート５１５２の全てまたは一部は、アルミニウムのような熱伝導材料（例えば、１ミリ、１．５ミリ、２．５ミリまたは３ミリのような、およそ２ミリの厚さ）または金属のような別の熱伝導材料からなってもよい。
いくつかのケースでは、適切な熱伝導は、適切な厚さのより伝導性の低い材料により達成されてもよい。
【０２３６】
リザーバーベース５１１２はさらに、リザーバーベース５１１０が保持するように構成される所定の最大容量の液体を維持するための容器として構成されてもよい。１つの形態では、ベース５１１２は、以下でさらに詳細に記述するような、過剰充填防止機能のような、さらなる機能を含んでもよい。１つの形態では、リザーバーベース５１１２は、ベースコンダクタプレート５１５２とともに容器を形成してもよい、ベース上部ボディ５１４６およびベース底部プレート５１４８を含んでもよい（例えば、図１２参照）。
【０２３７】
ベース上部ボディ５１４６および／またはベース底部プレート５１４８は、液体の容量を維持するのに適した、プラスチック性または熱可塑性ポリマー、例えばＡＢＳまたはポリカーボネート材料のような、生体適合性材料から構成されてもよい。ベースコンダクタプレート５１５２は、ウォーターリザーバー５１１０、特にベース５１１２からの水の排出を防ぐために、ベース上部ボディ５１４６およびベース底部プレート５１４８の双方に一体化した、ならびに／あるいは、密封して接続された、密封エレメント５１５０（例えば、図１２参照）からなってもよい。例えば、密封エレメント５１５０は、ベースコンダクタプレート５１５２にオーバーモールドされてもよく、結果的に生じるコンポーネントは、ベース上部ボディ５１４６とベース底部プレート５１４８との間で固定されてもよい。
【０２３８】
図１２に示すような１つの形態では、ベース５１１２は、ベース上部ボディ５１４６、ベース底部プレート５１４８およびベースコンダクタプレート５１５２を含んでもよい。しかし、リザーバーベース５１１２は、任意の数の部品で構成されてもよいことを正しく認識すべきである。リザーバーベース５１１２は、例えば、アルミニウムまたは金属のような別の熱伝導材料からなる単一の部品として構成されてもよい。別の配置では、リザーバーベース５１１２は、例えば、下部コンポーネントと上部コンポーネントの、２つの部品で構成されてもよい。このような配置では、下部コンポーネントは、熱伝導材料から構成され、ベースコンダクタプレート５１５２、密封エレメント５１５０およびベース底部プレート５１４８の役割を果してもよく、上部コンポーネントは、ベース上部ボディ５１４６と同等なものであってもよく、ポリカーボネート材料から構成されてもよい。
【０２３９】
１つの形態では、例えば、図５３および図５４に示すように、リザーバーベース５１１２はさらに、内側リップ５２２４および／または外側リップ５２２６を含んでもよい。１つの態様にしたがって、内側リップ５２２４および／または外側リップ５２２６は、例えば、中間部５２０２が圧縮されるときに、または、中間部５２０２が振動下にあるときに、中間部５２０２（例えば、コンプライアント部５１１６）とベース５１１２との間のインターフェースを通してのリザーバー５１１０からの液体の排出を防いでもよい。
【０２４０】
ウォーターリザーバー対加湿器の接続
使用中に、ウォーターリザーバー５１１０は、例えば、ＲＰＴデバイス４０００により出力された空気の流れを受け取る。１つの形態では、例えば、スライドさせることによってウォーターリザーバーをウォーターリザーバードック５１３０に挿入することにより、ウォーターリザーバー５１１０は図１３〜図１６に示すように加湿器５０００と取り外し可能に結合される。ウォーターリザーバー５１１０の入口５１１８は、ＲＰＴデバイス４０００により出力される空気の流れを受け取り、空気の流れをウォーターリザーバー５１１０に向かわせるように構成される。空気がリザーバー５１１０を通って移動するときに、空気の流れに湿度（すなわち、水蒸気）が加えられ、加湿された空気の流れは出口チューブ５１２６を通してリザーバー出口５１２２までリザーバー５１１０に存在する。リザーバー出口５１２２は、加湿された空気の流れを患者１０００に伝えるために、空気回路４１７０に接続可能である。
【０２４１】
図１４〜図１６の両端矢印は、本配置において接続および非接続された加湿器５０００とウォーターリザーバー５１１０との間の相対的な動き、すなわち、一般的に水平の運動の方向を示す。しかし、ウォーターリザーバー５１１０は、一般的に垂直方向での挿入、１以上の中間コンポーネント（例えば、チューブ）による接続のような、他の方法により加湿器５０００に結合されてもよく、または、加湿器と一体化して形成される。
【０２４２】
示されていないが、代替的な配置では、ウォーターリザーバー５１１０は、スライドする動きを使用するのではなく、垂直方向からドックキャビティ５１６０に挿入されてもよい。このような配置では、加湿器５０００のドックキャビティは、リッドまたは上部のような、移動可能なカバー部を含んでもよく、これらは、ウォーターリザーバー５１１０の挿入が可能なように少なくとも部分的に開き、挿入後、ドックキャビティ５１６０内にウォーターリザーバー５１１０を固定するために閉じられる。
【０２４３】
示した配置では（図１６参照）、リザーバー出口５１２２はリザーバードック空気入口５１７０に接続可能であり、リザーバードック空気入口５１７０を通して、加湿された空気の流れが加湿器出口５１７２に移動する。加湿器出口５１７２は、点線の両端矢印により図１３に示すように、空気回路４１７０に接続可能である（例えば、図１３参照）。このような配置の利点は、加湿器リザーバー５１１０をドックキャビティ５１６０から取り外すことができる一方、空気回路４１７０が加湿器出口５１７２に取り付けられたままであることである。このため、加湿器リザーバー５１１０の挿入および取り外しは、空気回路４１７０の接続から独立している。さらなる利点は、加湿器リザーバー５１１０に液体を充填するために、加湿器リザーバー５１１０がリザーバードック５１３０から取り外されなければならないことである。この形態では、リザーバー５１１０の入口５１１８および出口５１２２のいずれも露出しないが、リザーバー５１１０は動作構成で加湿器５０００に挿入され、一方、リザーバー５１１０自体は、例えば、加湿器５０００から容易に取り外すことができるように、患者１０００がアクセス可能であり続ける。この配置は、以下にさらに記述するように、過剰充填を防ぐ機能を加湿器リザーバー５１１０が組み込んでいるため、ユーザが、水の所定の最大容量を超えてウォーターリザーバー５１１０を過剰充填する可能性を低下させることができる。なおさらに、ユーザは、リザーバー５１１０を液体で充填するためにウォーターリザーバー５１１０を取り外すよう促されるため、水が加湿器５０００および／またはＲＰＴデバイス４０００上または中にこぼれる可能性が低下する。
【０２４４】
図１６に示すように、リザーバー入口５１１８とドック５１３０との間の接続およびリザーバー出口５１２２とドック５１３０との間の接続を密封する助けとなるように、第１のドック密封５１３２および第２のドック密封５１３４が提供されてもよい。
【０２４５】
図１５および図１６に示す配置では、ウォーターリザーバー５１１０は、ウォーターリザーバー５１１０をウォーターリザーバードック５１３０中に配置することにより、加湿器５０００と接続される。この配置では、ドック内部キャビティ５１６０およびウォーターリザーバー５１１０の高さおよび形は、ウォーターリザーバー５１１０をウォーターリザーバードック５１３０に係合するために、コンプライアント部５１１６が、例えば、約１ミリ〜約５ミリの間、例えば、約２ミリ、約３ミリまたは約４ミリ、圧縮されるようなものである。このため、ドック５１３０に挿入されるウォーターリザーバー５１１０の一部の形は、ドックキャビティ５１６０の形を補完するものであり、コンプライアント部５１１６が圧縮されるときのウォーターリザーバー５１１０の高さは、ウォーターリザーバー５１１０がドックキャビティ５１６０に挿入可能であるように、ドックキャビティ５１６０の高さよりわずかに低い。
【０２４６】
コンプライアント部５１１６は、図３９に示すもののような断面の形で構成されてもよい。コンプライアント部５１１６を十分に圧縮し、ウォーターリザーバー５１１０とウォーターリザーバードック５１３０との間の相対的な運動（すなわち、スライドすること）が可能になるような圧縮力が必要とされる。例えば、ウォーターリザーバー５１１０がドックキャビティ５１６０に挿入可能なように、ハンドル陥凹部５１５４および５１５６で測定されるような、約１０Ｎ〜約３０Ｎの間、すなわち、約２０Ｎの圧縮力または他の何らかの圧縮力が必要とされる。挿入中（または取り外し中）にウォーターリザーバー５１１０とドック内部キャビティ５１６０との間で達成される垂直ギャップは、この圧縮力がハンドル陥凹部において印加され、ウォーターリザーバー５１１０がリザーバードック５１３０に挿入されるときに、約１ミリ〜約５ミリの間、例えば、約２ミリ、３ミリまたは４ミリであってもよい。ウォーターリザーバー５１１０がリザーバードック５１３０に接続され、患者１０００がもはや圧縮力を印加しなくなると、ウォーターリザーバー５１１０およびリザーバードック５１３０は、コンプライアント部５１１６における圧縮の量が低下するように配置されてもよい。圧縮の低下は、約０．５ミリ〜約２．５ミリの間、例えば、約１ミリ、１．５ミリまたは２ミリであってもよい。
【０２４７】
コンプライアント部５１１６は、シリコーン熱可塑性エラストマー（ＴＰＥ）、ＴＰＥポリエステル、ＴＰＥポリウレタンまたは天然ゴムのような、エラストマー材料から構成されてもよい。コンプライアント部５１１６に使用する材料を選択する際に、コンプライアント部５１１６が曝露し得る保存および動作温度の範囲にわたって機械的緩和を経験しないものを選択することに利点があることがある。こうした要件に合致する、コンプライアント部５１１６のための材料の１例は、シリコーンであってもよい。
【０２４８】
図４０に示すように、リザーバーラッチ５１８６は、リザーバーラッチ５１８６が係合するときに、リザーバーリッド５１１４とリッドベース５１１２を共に固定するように、ウォーターリザーバー５１１０に提供されてもよい。ラッチ５１８６は、リザーバーリッド５１１４およびリザーバーベース５１１２が、例えば、圧縮により、リッド５１１４とベース５１１２との間の密封係合にあるときに、コンプライアント部５１１６から離れるのを防ぎ、コンプライアント部５１１６を維持してもよい。１つの形態では、ラッチ５１８６は、ベース５１１２に対するリッド５１１４の相対的な運動を１つの方向のみに制限し、それにより、コンプライアント部５１１６のさらなる圧縮を可能にし、リッド５１１４とベース５１１２との分離を防ぐように構成されてもよい。これにより、ウォーターリザーバー５１１０のリザーバードック５１３０への挿入が可能になってもよく、および／または、本開示の他の箇所で記述するように、コンプライアント部５１１６がリザーバー５１１０とヒータープレート５１２０との間の熱的関与を支援できるようになる。
【０２４９】
リザーバーハンドル５１５４、５１５６
図１３〜図１６は、リザーバーリッド５１１４の上に位置する上側のハンドル５１５４と、リザーバーベース５１１２上に位置する下側のハンドル５１５６を示す。これらのハンドルは、患者（またはユーザ）１０００が、ウォーターリザーバー５１１０を握るまたは保持するのを支援するよう意図されている。示した配置では、ハンドル５１５４、５１５６は、ハンドル５１５４、５１５６によってリザーバー５１１０を保持することにより、患者１０００が、コンプライアント部５１１６を圧縮し、リッド５１１４およびベース５１１２を互いに押し合わせる、リザーバー５１１０への力を加えるように、ヒンジ５１５８から離れて位置する。圧縮力はさらに、リザーバー５１１０への液体の輸送／リザーバー５１１０からの液体の再充填中等に、リザーバーベース５１１２とリザーバーリッド５１１４との間の密封係合にコンプライアント部５１１６を維持する助けとなり得る。ハンドル５１５４および５１５６はウォーターリザーバー５１１０の他のコンポーネントまたはエリアに配置されてもよいことを理解すべきである。
【０２５０】
図１４に示すように、ハンドルグリップ５１６６は、ハンドル５１５４、５１５６のいずれかまたは双方の表面に提供されてもよい。ハンドルグリップ５１６６は、例えば、リザーバー５１１０の周辺エリアよりさらに高い摩擦材料、さらに高い摩擦生地および／または保持が容易な形からなることで、患者１０００がリザーバー５１１０を保持するのを支援するように構成されてもよい。例えば、ハンドルグリップ５１６６は、シリコーンのようなエラストマー材料から構成されてもよいが、ウォーターリザーバー５１１０は主にポリカーボネート材料から構成されてもよい。さらにまたは代替的に、ハンドルグリップ５１６６は、指とハンドル５１５４、５１５６との間で滑る可能性を低下させるリブまたはリッジのような幾何学的な機能を含んでもよい。
【０２５１】
空気の流れ経路
本技術の１つの形態では、空気の流れは、入口５１１８と出口５１２２との間の曲がった経路でリザーバー５１１０中を移動するように導かれる。これは、患者１０００に伝わる空気の流れが十分に加湿されないことがある、空気の流れの任意の「短い回路」を防ぐ。
【０２５２】
図１７ａ〜図１７ｃ、図１８ａ〜図１８ｃおよび図１９ａ〜図１９ｃは、入口５１１８を通って入り、出口５１２２を通って出るときの、リザーバー５１１０を通る空気の流れの例示的な経路を示す。図は、例示的な流れの経路を視覚的に示すために、図ごとに別の３つの直交図を時系列で配置する。この配置では、入口５１１８を通して受け取られた空気の流れは入口チューブ５１２４を通って通過し（図１７ａ〜図１７ｃ）、ウォーターリザーバー５１１０の内部容積に至る（図１８ａ〜図１８ｃ）。その後、空気の流れは出口チューブ５１２６を通って通過し、出口５１２２（図１９ａ〜図１９ｃ）で、加湿された空気として、ウォーターリザーバー５１１０から出る。図１７ａ〜図１７ｃ、図１８ａ〜図１８ｃおよび図１９ａ〜図１９ｃは、リッド５１１４およびベース５１１２を有するリザーバー５１１０を分解立体の向きで明確に図示し、ウォーターリザーバー５１１０の内部容積で生じる任意の空気の流れは点線で示す。示される点線の矢印は、例示的な空気の流れの一般的な方向を示すが、空気の流れの性質は、任意の空気の流れ経路が、直線的および直接の空気の流れ経路ではなく、空気の撹拌（例えば、乱れ）を含むことを意味することに留意されたい。
【０２５３】
本技術のいくつかの形態では、リザーバー５１１０は、図４２に示す整流装置５１９２のような、曲がった流れ経路の長さを増加させ、ならびに／あるいは、入口チューブ５１２４および／または出口チューブ５１２６への水の排出を防ぐように構成された、流れエレメントを含んでもよい。例えば、リザーバー５１１０は、図４１ａ、図４１ｂ、図４２、図４３ａ、図４３ｂおよび図４４に示すような偏向部５１９８、あるいは、図４７ａおよび図４７ｂに示すような偏向部５１９８およびフローダイレクター５１９５を含んでもよい。いくつかの配置では、整流装置５１９２はさらに、以下でさらに詳細に記述するように、位置付け部５１９６を含んでもよい。
【０２５４】
図４１ａ、図４１ｂ、図４２、図４３ａ、図４３ｂおよび図４４に示す配置では、偏向部５１９８は、入口チューブ内側端（または内側チューブ出口）５１２５を通って入口チューブ５１２４から出た直後に（すなわち、短い回路）、空気の流れが出口チューブ５１２６に入るのを防ぐように構成される。（例えば、図４１ａ、図４１ｂ、図４２、図４３ａ、図４３ｂおよび図４４に示すような）配置のうちのいくつかでは、出口チューブ５１２６は、中間部５２０２の一部として形成され、リッド部５１１４と組み立てられるときにリザーバーの出口５１２２に接続されてもよい。中間部５２０２およびリッド部５１１４が図４１ａに見られるように共に組み立てられたときに、偏向部５１９８は、例えば、隣接することにより、入口チューブ内側端５１２５の近くに位置してもよい。この配置では、偏向部５１９８は、入口チューブ内側端５１２５と出口チューブ内側端５１２７のベースとの間のカバーを形成する。このカバーは、湿度の取り込みを改善するために、カバーとリザーバー５１１０中の水の容積とにより生成されるチャネルで空気の流れを移動させるという点で、さらに利点があり得る。
【０２５５】
図４７ａおよび図４７ｂに示す配置では、リザーバー５１１０は、フローダイレクター５１９５および偏向部５１９８を含む。偏向部５１９８は、空気の流れの短い回路を防ぐように構成され、フローダイレクター５１９５はさらに、入口チューブ５１２４を出る空気の流れを、リザーバー５１１０中の液体の容積とおよそ平行な方向に向けるように構成される。これにより、空気の流れが、液体の容積の表円と垂直な方向で入口チューブ５１２４を出るときに生じ得る「吹き返し」の発生を改善できる。
【０２５６】
図２２および図２３に示すように、リザーバー５１１０は、入口チューブ内側端５１２５付近または入口チューブ内側端５１２５と反対にある端壁５１２８を含んでもよい。リザーバー５１１０の内側端壁５１２８は、入口チューブ５１２４を出た空気が、出口チューブ内側端５１２７に達し、出口チューブ５１２６を通って出口５１２２から流れ出る前に、水面にわたって流れるように向けられる。図２４〜図２７は、リザーバー５１１０が、入口チューブ５１２４の内側端５１２５付近に配置されたターニングベーン５１３６を含んでもよい、流れエレメントの他の配置の例を示す。ターニングベーン５１３６は、図２６および図２７に示すように、入口チューブ５１２４の拡張として一体的に形成されてもよく、あるいは、ターニングベーン５１３６は、入口チューブ５１２４に隣接して位置するまたは入口チューブ５１２４に結合した別のコンポーネントであってもよい。ターニングベーン５１３６もまた図２６および図２７に示すようにプロファイルされてもよい。
【０２５７】
図１７ａ〜図１７ｃ、図１８ａ〜図１８ｃおよび図１９ａ〜図１９ｃに示す空気の流れの経路は、単に例示的なものであり、空気の流れがウォーターリザーバー５１１０を通って移動することがある多数の経路のうちの１つを示すこと、すなわち、空気の流れが入口５１１８を通ってウォーターリザーバー５１１０に入り、ウォーターリザーバー５１１０の容積内で、何らかの程度の撹拌を経験した後に出口５１２２から出ることを示すことを目的としている。当業者は、例えば、ウォーターリザーバー５１１０内の局所的な乱れ（渦）または圧力勾配を含む多数の要因が原因で、空気の流れを形成する粒子または分子がウォーターリザーバー５１１０内で単一の経路を通らないことがあることを理解するだろう。結果として、空気の流れの累積経路は、任意の数の経路を含んでもよく、空気の流れは、出口チューブ５１２６を介して出口５１２２から出る前にウォーターリザーバー５１１０内で様々な程度の「撹拌」を経験する。空気の流れの何らかの少ない部分が、リークとしてウォーターリザーバー５１１０から逃げることもあり得る。
【０２５８】
熱的接触／関与
上述したように、本技術の１つの態様にしたがって、加湿器のウォーターリザーバー５１１０およびヒータープレート５１２０は、熱的接触をし、または、熱的関与をする。例えば、熱伝導性または熱的接触抵抗にて測定された、２つのコンポーネント間の熱的接触の程度は、多数のパラメータにしたがって変化することがある。
【０２５９】
先行技術では、ウォーターリザーバーとヒータープレートとの間の接触圧力を増加させることにより、これらの間の熱的接触を改善するために、追加のコンポーネントが使用されている。１例は、米国特許第４，２０３，０２７号に記載されているような、ヒータープレートを加湿器ボディに接続するのに使用される、スプリングエレメントの使用であり、それにより、ヒータープレートをウォーターリザーバーに向けて押す。別の例は、ＷＯ２０１０／０３１１２６に記載されているような、圧縮可能なエラストマー密封がリッドに提供される、リッドを有する加湿器である。この例では、リッドが閉じられたポジションにあるときに、密封がウォーターリザーバーに対して係合し、ウォーターリザーバーをヒータープレートに対して押す。
【０２６０】
熱的接触の改善のための前圧縮
本技術では、例えば、ウォーターリザーバードック５１３０と係合しているウォーターリザーバー５１１０の前圧縮は、リッド５１１０とヒータープレート５１２０との間の熱的接触を改善する助けとなるように使用されてもよい。
【０２６１】
１つの配置では、ウォーターリザーバー５１１０は、ウォーターリザーバードック５１３０中に配置されているとき等、動作構成にあるときに、コンプライアント部５１１６が上述したように圧縮されるように構成されてもよい。リザーバー５１１０およびリザーバードック５１３０はさらに、ウォーターリザーバー５１１０のベース５１１２とヒータープレート５１２０との間の熱的接触を改善するために、コンプライアント部５１１６に対する反力がウォーターリザーバー５１１０のベース５１１２をヒータープレート５１２０に対して押すように構成されてもよい。
【０２６２】
そのため、コンプライアント部５１１６は、リザーバーベース５１１２および／またはリザーバーリッド５１１４を、ヒータープレート５１２０と垂直の方向に押すようにバイアスされたスプリングとして動作してもよい。リザーバー５１１０が、リザーバードック５１３０内に制限される等、外部に固定されているため、コンプライアント部５１１６の圧縮は、ヒータープレート５１２０との熱的関与の改善を促す力により反応する。図２０は、リッド５１１４、コンプライアント部５１１６およびベース５１１２に印加される分散された力あるいは圧力を、示された矢印によって示すことにより、この作用を示す。
【０２６３】
ウォーターリザーバー５１１０が加湿器５０００に接続されるときに、コンプライアント部５１１６の圧縮に必要とされる力は、好ましくは、伝導部の表面に垂直であるのと同じ方向にある。方向は、さらに、好ましくは、熱的関与の方向と同じ方向であってもよい。この力は、接触ポイントおよび／または接触面においてウォーターリザーバードック５１３０により反応を受け、それにより、ウォーターリザーバー５１１０のベース５１１２とヒータープレート５１２０を共に押す。
【０２６４】
ウォーターリザーバー５１１０がウォーターリザーバードック５１３０に配置されているときに、圧縮力の大きさは、ヒータープレート５１２０での測定時に、約５Ｎと約１５Ｎの間であってもよい。しかし、異なる構成のウォーターリザーバー５１１０は、異なる大きさの圧縮力を必要としてもよいことを理解すべきである。この力の大きさは、コンプライアント部５１１６、リッド５１１４、ベース５１１２またはリザーバードック５１３０のいずれかまたは全ての設計を変更することにより、変化してもよい。例えば、コンプライアント部５１１６が、より高いヤング率を有する材料から構成される場合に、それに応じて力の大きさを増加させる。図２０は垂直方向での力および圧力のみを示すことに留意すべきである。
【０２６５】
いくつかのケースでは、リザーバー５１１０中のコンプライアント部５１１６の圧縮の量は、
伝導部とヒータープレート５１２０との間の熱的関与のレベルを変化させるために使用されてもよい。
【０２６６】
熱的接触改善のための圧縮された空気の使用
別の態様にしたがって、ウォーターリザーバー５１１０が加湿器５０００に接続されたときに、ＲＰＴデバイスから受け取る空気の流れは、リザーバー５１１０の内部等のチャンバへの圧力を増加させてもよい。チャンバの圧力増加は、リザーバー５１１０とヒータープレート５１２０との間の熱的関与（すなわち、熱的接触）のレベルを増加させるのに使用されてもよい。リザーバー５１１０は、さらに、チャンバにおける圧力のレベルを変化させることにより、リザーバー５１１０とヒータープレート５１２０との間の熱的接触のレベルを変化させてもよいように構成されてもよい。
【０２６７】
１つの形態では、コンプライアント部５１１６は、熱的接触の方向に拡大可能であるように構成されてもよく、リザーバー５１１０は、リザーバードック５１３０により同じ方向に制限されてもよい。この形態では、ヒータープレート５１２０とベース５１１２との間の熱的関与のレベルを改善するために、内部圧力がウォーターリザーバー５１１０のベース５１１２をヒータープレート５１２０に対して押す。
【０２６８】
図２１は、リッド５１１４とベース５１１２に印加される分散された力あるいは圧力を、示された矢印によって示すことにより、この作用を示す。図２１は、垂直方向にある力および圧力のみを示し、この形態では、熱的関与は垂直方向に生じる。ウォーターリザーバー５１１０内の先の環境圧力の存在は、結果的に、熱的関与の方向での力になり、接触面にてウォーターリザーバードック５１３０により反応を受け、それにより、ウォーターリザーバー５１１０のベース５１１２とヒータープレート５１２０を共に熱的関与の方向に押す。この力の大きさは、２０ｃｍＨ２Ｏ圧力においてヒータープレート５１２０での測定時に、約５Ｎ〜約１５Ｎの間であってもよい。
【０２６９】
異なる構成のウォーターリザーバー５１１０が異なる大きさの力を必要とすることがあり、異なる大きさの力は、圧力が働く表面エリア、すなわち、表面に動作する有効圧力を変化させることにより達成されることを理解すべきである。このような変化は、例えば、圧力調整バルブにより達成されてもよい。
【０２７０】
別の配置では、ウォーターリザーバー５１１０の開かないコンプライアント部によって、上述したものと実質的に同じ作用が達成されてもよい。ウォーターリザーバー５１１０およびリザーバードック５１３０は、弾性または柔軟性が、運動の自由を可能にするエラストマー材料またはジョイント（例えば、スライドする接続あるいはウォーターリザーバーの柔軟なプラスチックの蛇腹セクションまたは柔軟部）により、熱伝達の方向に提供されるように、配置されてもよい。この構成では、リッド５１１４およびベース５１１２は、熱的接触の方向に互いに制約されない。リザーバー５１１０は、その後、圧力が増加した空気の流れによりリザーバー５１１０の内部に生成される圧力とバランスをとるように反応する力を生成させるために、別の方法で（例えば、ウォーターリザーバードックまたは同様のハウジングにより）、熱伝達方向に制約されてもよく、反力のうちのいくつかは、熱的接触を改善するためにヒータープレート５１２０において生じることがある。このような配置では、リッド５１１４のような、ウォーターリザーバー５１１０を再充填するための別の開口がリザーバー５１１０に導入されてもよく、これは、このような開口の周囲に対する別個の密封を含んでもよい。
【０２７１】
図３４は、ベース５１７４、上部５１７６、コンプライアント部５１７８および再充填キャップ５１８０を含む、このような配置の例を示す。ベース、上部およびコンプライアント部は、リザーバーの再充填が再充填キャップ５１８０により適応される、別の配置で共に添付されてもよい。
再充填キャップ５１８０は、加湿器リザーバー５１１０がリザーバードック５１３０と係合するときに、再充填キャップ５１８０にアクセス可能でないように、配置されてもよい。このような配置は、上述した利点を保存してもよく、すなわち、リザーバー５１１０は、リザーバードック５１３０と係合している間、再充填できない。さらに、コンプライアント部５１７８は、リザーバー内での垂直の長さの変化に適応できる、当該技術分野で知られている任意のメカニズムにより置換されてもよい。
【０２７２】
さらに別の代替的な配置では、空気の流れは、二次コンポーネントの圧力増加または膨張による、加湿器リザーバー５１１０とヒータープレート５１２０との間の熱的接触のレベルを改善するために使用されてもよい。二次コンポーネントは、加湿器リザーバー５１１０において働くチャンバ、ボディまたは表面であってもよく、これらは次に、熱的関与の方向に、ウォーターリザーバー５１１０およびヒータープレート５１２０を共に押す。同様に、二次コンポーネントは、熱的関与の方向に、ヒータープレート５１２０およびウォーターリザーバー５１１０を押すように、ヒータープレート５１２０において働いてもよい。
【０２７３】
二次コンポーネントは、リザーバー５１１０および／またはヒータープレート５１２０の外部に配置されてもよい。さらに、二次コンポーネントは、空気の流れの圧力が変化するにつれて、熱的接触に対する変化をさらにプロファイルするために、リザーバー５１１０および／またはヒータープレート５１２０と接触するエリアを変化させるように構成されてもよい。
【０２７４】
代替的な配置では、ウォーターリザーバードック５１３０は、意図したポジションにウォーターリザーバー５１１０を保持するために、維持メカニズム（例えば、ウォーターリザーバー５１１０周囲で閉まるリッド）を含んでもよい。このような配置では、リザーバードックリッドは、熱的接触のレベルを改善するために、コンプライアント部５１１６を圧縮および／または制限するように構成されてもよい。
【０２７５】
熱的接触のレベルはまた、先行技術で知られているような、負荷をかけられたまたははじかれたスプリングを使用して、さらに改善されてもよい。ヒータープレートは、加湿器リザーバー５１１０がリザーバードック５１３０と係合するときに、凸面ヒータープレートが平らになり、これにより、ヒータープレート５１２０をウォーターリザーバー５１１０に押す型締力を発生させるように、加湿器リザーバー５１１０に対して凸面型またはドーム型で構成されてもよい。同様に、ウォーターリザーバー５１１０のコンダクタプレート５１５２は、凸面型またはドーム型であってもよく、ウォーターリザーバー５１１０が、加湿器５０００のドックキャビティ５１６０に係合するときに、ヒータープレートに対して平らになるよう構成されてもよい。
【０２７６】
熱的接触を改善する先の手段のうちのいずれか１つを互いに独立して使用してもよく、あるいは、加湿器リザーバーとヒータープレートとの間の熱的関与を達成または改善する先行技術の手段の組み合わせを含む、これらの任意の組み合わせを使用してもよい。
【０２７７】
リザーバーの入口／出口
上述したように、リザーバー入口５１１８は、空気の流れをリザーバー５１１０に受け入れるように構成され、リザーバー出口５１２２は、加湿された空気の流れを出力するように構成される。入口５１１８および／または出口５１２２は、好ましくは、さらに、リザーバー５１１０がその通常の動作の向きから外れるおよび／または回転するときに、リザーバー５１１０からの液体の排出を防ぐように構成される。なおさらに、入口５１１８および／または出口５１２２は、好ましくは、上述したような、空気の流れの短い回路を防ぐように構成される。１つの形態では、入口５１１８は、リザーバー５１１０中の液体の容積に衝突する空気の噴射により引き起こされることがある、液体の「吹き返し」または飛び散りを防ぐように構成されてもよい。
【０２７８】
図２２に示すような１つの配置では、リザーバー入口５１１８は、入口に対する空気の流れの経路をリザーバー入口５１１０に提供するための入口チューブ５１２４を含み、リザーバー出口５１２２は、出口に対する流れの経路を、リザーバー５１１０からの加湿された空気の流れに提供するための出口チューブ５１２６を含む。
【０２７９】
図２６および図２７に示すような１つの構成では、ターニングベーン５１３６の最下部が、出口チューブ５１２６の最下部より下に拡張するようにターニングベーン５１３６を構成することに利点がある。これはさらに、任意の水の「吹き返し」による入口チューブ５１２４への水の移入を防ぐことができる。
【０２８０】
ウォーターリザーバー５１１０は、好ましくは、出口チューブ５１２６または入口チューブ５１２４を通しての水の逆流からの傾き戻り保護を提供するように構成される。入口チューブ５１２４を通しての水の排出は、入口チューブ５１２４がＲＰＴデバイス４０００に水を導き入れ、水に対する曝露により電子コンポーネント（電気モーター、フローセンサまたはプリント回路板）にダメージを与えることから、特に望ましくないことがある。
【０２８１】
本技術の１つの配置では、リザーバー５１１０は、リザーバー５１１０がその動作している水平の向きから任意の方向に９０度だけ回転するときに、水の所定の最大容積も、入口チューブ内側端５１２５に達することなく、リザーバー５１１０中に保存されることになるように、入口チューブ内側端５１２５を配置することにより、戻り保護を達成する。
【０２８２】
リザーバー５１１０の別の配置では、図２８および図２９において先に示したもののように、入口チューブ５１２４および出口チューブ５１２６の軸が、平面で見たときに交差してもよい。チューブのうちの１つが他のチューブの下を通過しているため、例えば、入口チューブ５１２４が出口チューブ５１２６の下を通過しているため、入口チューブ５１２４と出口チューブ５１２６は互いに接続していなくてもよい。
【０２８３】
この構成は、リザーバー５１１０がその作業の向きから離れて傾いたときに、水が、リザーバー５１１０から出るように、入口チューブ５１２４または出口チューブ５１２６の端より高く達していなければならないように、入口チューブ５１２４および出口チューブ５１２６を配置することにより、傾き戻り保護を改善してもよい。例えば、リザーバー５１１０は、水が入口チューブ内側端５１２５より下に達するように傾けられた場合、水は、図２９に示すようにリザーバー５１１０から出るように、入口５１１８の入口チューブ５１２４の外側端に達するより高く上昇したままでなければならない。
【０２８４】
交差した入口チューブおよび出口チューブにより生成される作用の簡略図を、図３５〜図３８に示す。内部表面は点線で示す。これらの図は、それぞれ入口チューブ５１２４および出口チューブ５１２６を含む入口５１１８ならびに出口５１２２を有する、ウォーターリザーバー５１１０の代替的な配置を示す。図３５および図３６は、（図３６に示すように）側面から見たときに、チューブの軸が交差する構成を示し、図３７および図３８は、（図３８に示すように）側面から見たときに、チューブの軸が実質的に平行である代替的な構成を示す。図３５〜図３８では、水の容積５１８２は、リザーバー５１１０の容積のおよそ半分を充填すると仮定され、水レベル５１８４は、水平に拡張した点線により示される。
【０２８５】
ウォーターリザーバー５１１０が図３５および図３６で示されるように向けられているときに、入口チューブ５１２４および出口チューブ５１２６の配置は、任意の水５１８２がウォーターリザーバー５１１０から出る場合に、水レベル５１８４が、入口チューブ５１２４の高いほうの端、または出口チューブ５１２６の高いほうの端よりも上昇することを必要とする。一方、図３７および図３８に示す配置では、水レベル５１８４が、単に、ウォーターリザーバー５１１０から出るために、入口チューブ５１２４または出口チューブ５１２６の低いほうの端と同じ高さまで上昇する必要がある。
【０２８６】
水レベル５１８４がウォーターリザーバー５１１０の向きの関数として変化するために、入口チューブ５１２４と出口チューブ５１２６を交差する本作用は、ウォーターリザーバー５１１０の形に合うように、入口チューブ５１２４および出口チューブ５１２６を再度方向付けることにより、必要な時に任意の向きに再生成されてもよい。いくつかの形態では、入口チューブ５１２４および出口チューブ５１２６は、互いに直交した多数の角度から見たときに交差していてもよい。
【０２８７】
図２８および図２９ならびに図３５〜図３８に示す形態では、入口チューブ内側端５１２５および出口チューブ内側端５１２７は、キャビティ内に位置し、入口チューブの外側端および出口チューブの外側端５１２６は、入口５１１８および出口５１２２においてそれぞれキャビティの複数の壁のうちの１つに位置する。第１の軸（入口チューブ軸）は、入口チューブ内側端５１２５と入口５１１８の間に定義され、第２の軸（出口チューブ軸）は、出口チューブ内側端と出口５１２２の間に定義される。リザーバーが（例えば、通常の作動の向きに対しておよそ９０度）傾けられるときに、第１の軸は、入口チューブ内側端５１２５と入口５１１８が異なる高さに位置付けられるような、第１の角度にあり、これにより、水の予め定められた最大容積が、入口チューブ５１２４を通る水の戻りを防ぐために、入口チューブ内側端５１２５または入口５１１８のうちの少なくとも１つより下になる。さらに、リザーバーが（例えば、通常の作動の向きに対しておよそ９０度）傾けられるときに、第２の軸は、出口チューブ内側端５１２７と出口５１２２が異なる高さに位置付けられるような、第２の角度にあり、これにより、水の予め定められた最大容積が、出口チューブ５１２６を通る水の戻りを防ぐために、出口チューブ内側端５１２７または出口５１２２のうちの少なくとも１つより下になる。本作用はまた、加湿器５０００ならびに／あるいはリザーバー５１１０の設計および／または傾き条件に合うように、設計リザーバーが他の任意の角度に傾けられて、生成されてもよい。
【０２８８】
取り外し可能な入口／出口チューブを有するリザーバー配置
現在の技術のまださらなる例では、リザーバー５１１０は、図４１ａ、図４１ｂおよび図４２に示すように構成されてもよい。この例では、リザーバー５１１０は、リッド部５１１４、中間部５２０２およびベース部５１１２を含む（明確さのためにベース部は図４１ａおよび図４１ｂに示されていない）。リッド部５１１４および中間部５２０２は、互いにリリース可能に係合するように構成されてもよい。これらはさらに、入口５１１８、出口５１２２、入口チューブ５１２４および出口チューブ５１２６等が、互いにリリース可能に係合しながら、互いに係合するときに、多数の機能を含むように構成されてもよい。図４１ｂに示すように、例えば、リッド部５１１４は、入口５１１８、出口５１２２および入口チューブ５１２４を含んでもよく、中間部５２０２は、出口チューブ５１２６を含んでもよい。
【０２８９】
示されているように、中間部５２０２はまた、キャリア５１１７、整流装置５１９２および少なくとも１つのサポートスポーク５１９４を含んでもよい。サポートスポーク５１９４は、構造的なサポートのために、ならびに／あるいは、出口チューブ５１２６および／または整流装置５１９２を中間部に位置付けるために、提供されてもよい。整流装置５１９２は、リザーバー５１１０内の空気の流れによる湿度の取り込みを改善するためにリザーバー内の空気の流れの運動を促すように、入口チューブ内側端５１２５と出口チューブ内側端５１２７との間の直接的な空気の経路（または、上述したような短い回路）をブロックするように配置される。さらに、コンプライアント部５１１６は、示されているように、中間部５２０２と一体化してもよく、または、中間部とは別個のコンポーネントとして形成されてもよい。
【０２９０】
本配置の利点は、入口チューブ５１２４および／または出口チューブ５１２６等の、コンポーネントのうちのいくつかをリザーバーから分離することにより、リザーバー５１１０の洗浄可能性の改善であってもよい。本配置は、入口チューブ５１２４または出口チューブ５１２６のうちの少なくとも１つがリザーバー５１１０の内部容積に拡張するときに、このような機能がリザーバー５１１０の内部へのアクセスを妨害するかもしれないこのようなシチュエーションでは、特に利点がある。中間部５２０２が通常の作動の向きでリッド部５１１４と係合することは、図４１ａおよび図４１ｂにおいて見ることができる。しかし、中間部５２０２がリッド部５１１４から分離可能であるため、入口チューブ５１２４および出口チューブ５１２６は、リッド部５１１４の内部へのアクセスを改善するように分離されてもよい。
【０２９１】
リザーバーの上部を構成するために２つの別個の部分５１１４、５２０２を使用することにより、ならびに／あるいは、リザーバー５１１０にリリース可能に係合するように入口チューブ５１２４および／または出口チューブ５１２６を構成することにより、小さいアクセス困難なエリアの数が減少し、これにより、リザーバー５１１０の洗浄可能性を改善してもよい。さらに、取り外し可能な入口チューブ５１２４および／または取り外し可能な出口チューブ５１２６は、それら自体が洗浄のためにさらに容易にアクセス可能でもあってもよい。
【０２９２】
（示されていない）現在の技術の別の例では、リッド部５１１４および中間部５２０２は各々、機能の部品を含んでもよく、これらを組み合わせて完全な機能を形成する。例えば、リッド部５１１４は、入口チューブ５１２４の一部および出口チューブ５１２６の一部を含んでもよく、中間部５２０２は、入口チューブ５１２４の別の一部および出口チューブ５１２６の別の一部を含んでもよい。当業者は、リザーバーが任意の数の分離可能な部分にさらに再分割されてもよく、入口チューブ５１２４および／または出口チューブ５１２６のような分離可能な機能が、分離可能な部分に対して任意の数の配置に位置してもよいことを理解するだろう。
【０２９３】
現在の配置の別の利点は、リザーバー５１１０の戻り性能（入口チューブ５１２４および／または出口チューブ５１２６を通しての液体の排出の防止）を改善することであってもよい。戻り性能は、リザーバー５１１０の内部容積を増加させることにより改善されてもよく、これは、入口チューブ５１２４および／または出口チューブ５１２６より上のボイドの導入により達成されてもよい。
【０２９４】
戻り性能を改善する別の方法は、入口チューブ内側端５１２５および／または出口チューブ内側端５１２７を、リザーバー５１１０の中心に近接するように、例えば、リザーバー容積の重心に近接するように、配置することである。この構成では、リザーバー５１１０がその作動の水平の向きから任意の方向に９０度回転するときに、リザーバー５１１０に保存可能な最大水レベルは、入口チューブ内側端５１２５および／または出口チューブ内側端５１２７に達することなく、同じである。例では、単一のモールドされたコンポーネントにより、例えば、入口チューブ５１２４および／または出口チューブ５１２６を所望の配置で形成するために、水平および垂直なモールドツールを組み合わせることにより、入口チューブ５１２４および／または出口チューブ５１２６のこのような構成が提供されてもよい。リザーバー５１１０は注入モールドにより通常生成されるため、入口チューブ５１２４および／または出口チューブ５１２６をリッド５１１４の一部として形成することは、入口チューブ５１２４および／または出口チューブ５１２６より上のボイドの導入を禁じる。このような構成では、リッド５１１４の内部容積を含むモールドツールは、入口チューブ５１２４および／または出口チューブ５１２６により正しい位置にピン付けされ、このため、モールドは可能ではなく、または、複雑かつコストのかかるツールの配置を必要とする。このようなケースでは、入口チューブ５１２４と出口チューブ５１２６を分離する能力はさらに利点があり得る。
【０２９５】
リッド部５１１４、中間部５２０２およびベース部５１１２は任意の数の方法で構成されてもよいことが理解されるだろう。例えば、リッド部５１１４およびベース部５１１２の相対的なサイズは、変化してもよく、リッド部５１１４および／またはベース部５１１２はさらに複数の材料またはコンポーネントをその構成において含んでもよい。入口チューブ５１２４および出口チューブ５１２６のうちの１つ以上は、例えば、中間部の一部として、リッド部５１１４またはベース部５１１２に、取り外し可能にまたはリリース可能に結合されてもよい。中間部はまた、例えば、リッド部５１１４またはベース部５１１２に挿入されるように構成されることによって、リッド部５１１４および／またはベース部５１１２を最初に係合するように構成されてもよい。
【０２９６】
この配置の別の機能は、中間部５２０２に構造的な硬度を提供するために、サポートスポーク５１９４を使用することである。スポーク５１９４は、それ自体により、または、整流装置５１９２と組み合わせて、リッド部５１１４またはベース部５１１２からの中間部５２０２の離脱のためのハンドルを提供してもよい。これにより、リッド部５１１４またはベース部５１１２から中間部５２０２を分離するために、ユーザが整流装置５１９２および／またはスポーク５１９４を握ることができるため、ユーザビリティが改善され得る。サポートスポーク５１９４が図４３および図４４に示されているような例示的な配置に代替的に配置される、多数の他の構成が可能であることを理解すべきである。
【０２９７】
現在の技術の例では、図４３ａ、図４３ｂおよび図４４に見られるように、整流装置５１９２は、位置付け部５１９６および偏向部５１９８を含んでもよい位置付け部５１９６は、入口チューブ５１２４の垂直部の外側の周りに、すなわち、入口チューブ内側端５１２５に適合させることにより、入口チューブ５１２４に対して整流装置５１９２を正確に位置付けるのを支援するために、シリンダーの形であってもよい。いくつかの形態では、整流装置５１９２は、さらに、例えば、図４８ｂに示すような、整流装置５１９２と入口チューブ５１２４との間を密封するための整流装置密封５１９７を含んでもよい。整流装置５１９２はまた、整流装置５１９２の少なくともいくつかの部分がスポーク５１９４として働くことができるように、または、その逆もしかりであるように、スポーク５１９４と組み合わせて構成されてもよい。
【０２９８】
組み立てられたリッド５１１４の例示的な断面を図４５ａおよび図４５ｂに示す。入口チューブ５１２４または位置付け部５１９６の直径は、例えば、円錐台形配置では、互いに漸増的に係合するように、その長さに沿って変化してもよい。入口チューブ５１２４および位置付け部５１９６はまた、図４５ａおよび図４５ｂに示すように、突起／溝の組み合わせ５２０５のような、補完的な維持メカニズムを組み込んでもよい。
【０２９９】
図４１ａ、図４１ｂ、図４２、図４３ａ、図４３ｂおよび図４４に示す例示的な配置に対して、コンプライアント部５１１６が代替的な位置に位置してもよいことを理解すべきである。例えば、コンプライアント部５１１６は、リッド部５１１４の一部として、リザーバーベース部５１１２の一部として、または、リッド部５１１４、中間部５２０２およびベース５１１２のいずれかに一体化して形成されないそれ自体別個のコンポーネントとして、形成されてもよい。リッド部５１１４またはベース部５１１２を有するコンプライアント部５１１６を形成する例示的な１つの方法は、オーバーモールドされてもよく、または、化学的接着剤を使用してもよい。
【０３００】
図４６は、現在の技術の別の例の分解立体図を示す。この配置では、リザーバー５１１０は、リッド部５１１４、中間部５２０２およびベース部５１１２を含む（明確さのために図４６に示されていない）。中間部５２０２は、入口チューブ５１２４および出口チューブ５１２６とともに、リッド部５１１４と結合されるように構成された壁部５２０６を含む。代替的に、中間部５２０２は、ベース部５１１２と係合してもよく、入口チューブ５１２４および出口チューブ５１２６のうちの１つあるいは双方を含んでもよい。いくつかのケースでは、リッド部５１１４と結合するように構成された壁部５２０６は、入口チューブ５１２４および出口チューブ５１２６のうちの１つ以上と接続してもよい。
【０３０１】
この構成により、リザーバー５１１０の洗浄可能性を改善するために、入口チューブ５１２４および／または出口チューブ５１２６の取り外しが可能になる。さらに、この構成は、上述したように、リザーバー５１１０の内部容積を増加させることにより、５１１０の戻り性能を改善してもよい。
【０３０２】
いくつかのケースでは、入口チューブ５１２４および出口チューブ５１２６は、チューブ５１２４、５１２６のいずれかまたは双方のリザーバー５１１０からの取り外しが、リザーバー５１１０が維持することができる水の予め定められた最大容積に影響を与えないように配置されてもよい。
このような構成により、リザーバー５１１０から任意の水を除去することなく、チューブ５１２４、５１２６の洗浄が可能になる。
【０３０３】
過剰充填の防止
いくつかの先行技術の加湿器ウォーターリザーバーでは、例えば、液体の予め定められた最大容積を超えたおよび上回った液体の容積によるウォーターリザーバー５１１０の過剰充填は、こぼれ防止機能の効果を低下させるかもしれない。例えば、リザーバー５１１０が、過剰充填されている間、その意図した向きから離れて回転した場合に、リザーバー５１１０中の過剰充填された液体は、リザーバー５１１０が液体の予め定められた最大容積でのみ充填されていた場合より小さい角度の傾きで入口５１１８に達することがある。結果として、いくつかの先行技術の加湿器ウォーターリザーバーは、このような過剰充填の発生を減少させるために水充填表示マークを含んでいたが、これにより、ユーザ（患者１０００）が、例えば、表示マークを見ることができない、または、その意味に気づくことができないために、このリスクを回復する多少の助けにしかならないかもしれない。
【０３０４】
いくつかの先行技術の加湿器ウォーターリザーバーは、リザーバーがしきい値の容積を超過した液体（通常は水）の容積で充填されるときに、液体に対する排出経路として働くことができる、１以上のチューブを含む。このような先行技術の加湿器の１例はＰＣＴ特許公報ＷＯ２００９／１５６９２１に記載されている。しかし、このような配置の１つの欠点は、リザーバーがこのしきい値の容積まで充填される場合に、リザーバーの任意の運動が、リザーバーからの（例えば、液体の容積の運動による）液体の排出につながることがあるということである。結果的に、こぼれることなく、このようなリザーバーを（患者のキッチンまたはトイレから）運ぶことは難しいかもしれず、使用中に（すなわち、リザーバーの１以上のチューブを通して）こぼれるリスクは高いかもしれない。結果的に、このような先行技術の加湿器ウォーターリザーバーは、リザーバーが充填される水の推奨される予め定められた最大容積を示す水充填表示マークを含むことが多く、水の推奨される予め定められた最大容積は、リザーバーの１以上のチューブをから水がこぼれ始めることがあるしきい値の容積を下回る（時には、かなり下回る）。いくつかのケースでは、このような先行技術の加湿器ウォーターリザーバーは、さらに、例えば、水が上流に位置するＲＰＴデバイスに入り得る前に、リザーバーを回避する水を含むように構成された二次チャンバを含んでもよい。
【０３０５】
本技術の別の態様は、例えば、開構成および／または閉構成で、加湿器リザーバーを充填するときに、水の最大容積を上回ってリザーバーを充填するのを防ぐように構成された１以上の過剰充填保護機能を含むことである。
【０３０６】
図３０ａおよび図３０ｂに見られるような１つの配置では、過剰充填保護機能は、過剰充填を示すために、ウォーターリザーバー５１１０に少なくとも１つのオリフィス５１３８を含んでもよい。技術の本態様にしたがって、リザーバーリッド５１１４が開いた状態でウォーターリザーバー５１１０が充填されるときに、リザーバー５１１０の予め定められた最大容積を超えてリザーバー５１１０に導入される任意の水は、オリフィス５１３８からこぼれる。これにより、ユーザに、リザーバー５１１０が満量であることを示すとともに、このような過剰充填を防ぐ。利点として、水が、ウォーターリザーバーの全てのエリアからではなく、少なくとも１つのオリフィス５１３８のみを通してこぼれることにより、結果的に、ユーザが洗浄するためのオーバーフローしたこぼれが少なくなる。このため、少なくとも１つのオリフィスは、水の予め定められた最大容積を超えたときに水の排出経路を定義する。図３０ａは、ベース５１１２の上側のフランジまたはリップ５２２４が開口全体の周囲径を伸ばさずにオリフィス５１３８を生成させる、開構成でのウォーターリザーバー５１１０を示す。図３０ｂは、少なくとも１つのオリフィス５１３８を示すベース５１１２の一部を示す。少なくとも１つのオリフィス５１３８は、１以上の開口部、孔、スリットまたはスロットの形であってもよく、あるいは、ウォーターリザーバー５１１０への流体の伝達およびウォーターリザーバー５１１０からの流体の伝達を可能にする他の何らかの形であってもよい。少なくとも１つのオリフィス５１３８は、ベースの５１１２の上側のリップまたはフランジ５２２４の周囲の１以上のポジションに形成されてもよい。
【０３０７】
代替的な配置では、過剰充填保護機能は、スロープのついたプロファイル５１３９を含んでもよい。図３０ｃおよび図３０ｄに示すように、リザーバーベース５１１２は、その側面のプロファイルが１以上の方向でのスロープのついたプロファイル５１３９を有するように、配置されてもよい。この配置はまた、リザーバーベース５１１２が水で充填されるときに過剰充填を示してもよい。この配置では、リザーバーリッド５１１４が開構成にあるときに、水が、リザーバーの全てのエリアからではなく、スロープのついたプロファイル５１３９のベースにおいてこぼれる。このため、スロープのついたプロファイルは、水の予め定められた最大容積を超えたときに水の排出経路を定義する。先の方法の利点は、過剰充填が、先行技術におけるよりも難しくなり、意図された過剰充填に対応して、さらに予測可能な位置でこぼれが発生することがあるという別の利点が提示される。
【０３０８】
上述したような、少なくとも１つのオリフィス５１３８およびスロープのついたプロファイル５１３９の例では、過剰充填保護機能は、入口チューブ５１２４および出口チューブ５１２６とは独立している。すなわち、水の排出経路は、入口チューブ５１２４および／または出口チューブ５１２６を介してこぼれるのではなく、少なくとも１つのオリフィス５１３８またはスロープのついたプロファイル５１３９により提供される。
【０３０９】
１つの形態では、ウォーターリザーバー５１１０が閉構成にあるときに、水が入口チューブ５１２４および／または出口チューブ５１２６に達する、したがって、チューブ５１２４、５１２６が水の排出経路を定義するために必要とされる水のしきい値の容積は、水の予め定められた最大容積より大きくてもよい。このような配置により、リザーバー５１１０を運んでいる間または使用中にリザーバー５１１０から水が排出するリスクを低下させることができる。
【０３１０】
いくつかのケースでは、リザーバー５１１０は、少なくとも１つの水充填表示マーク５１４０を（例えば、図５７ａおよび図５７ｂに示すように、ベース５１１２上に）含んでもよい。水充填表示マーク５１４０は、リザーバー５１１０が充填されることになる水レベルを示すこと等により、リザーバー５１１０が含む水の予め定められた最大容積をユーザに示してもよい。（例えば、図５７ａおよび図５７ｂに示すような）さらなる水充填表示マーク５１４０＿ａ、５１４０＿ｂは、リザーバー５１１０の充填のレベルを示してもよい。（図５７ａおよび図５７ｂに示すような）１つの配置では、リザーバー５１１０はさらに、水の予め定められた最大容積が、示したような少なくとも１つのオリフィス５１３８（または、示されていないスロープのついたプロファイル５１３９）を介して排出されることなくリザーバー中に残る水の最大容積に実質的に一致するように構成されてもよい。このため、ユーザ（例えば、患者１０００）が、水充填表示マーク５１４０を超えてリザーバー５１１０を充填しようとしたときに、ユーザは、少なくとも１つのオリフィス５１３８またはスロープのついたプロファイル５１３９を介して水を排出させるだろう。
【０３１１】
リザーバー５１１０はさらに、例えば、図５８ａおよび図５８ｂに示すように、リザーバー５１１０が閉構成にあるときに、水が入口チューブ５１２４および／または出口チューブ５１２６に達するのに必要とされる水のしきい値の容積（水の線５１４１＿２により示されている）が、水の予め定められた最大容積より大きい容積（水の線５１４１＿１により示されている）であってもよいように、構成されてもよい。図５８ｂに示すように、水の予め定められた最大容積における水の線５１４１＿１は、実質的に、水充填表示マーク５１４０より上に追加される任意の過剰な水の排出を可能にする少なくとも１つのオリフィス５１３８におけるベースまたは下側の端と一致してもよい。このような配置により、リザーバー５１１０が水の予め定められた最大容積を含む間に、患者１０００が、リザーバー５１１０をより容易に運ぶことが可能になるとともに、加湿器５０００を使用中に水がこぼれる／水の排出のリスクが低下する。
【０３１２】
代替的な例では、少なくとも１つのオリフィス５１３８あるいはスロープのついたプロファイル５１３９のベースまたは下側の端は、（水の線５１４１＿１により示す）水の予め定められた最大容積を上回ってもよいが、（水の線５１４１＿２により示す）水のしきい値の容積を下回ってもよい。好ましくは、少なくとも１つのオリフィス５１３８あるいはスロープのついたプロファイル５１３９のベースまたは下側の端は、（水の線５１４１＿２により示す）水のしきい値の容積よりも、（水の線５１４１＿１により示す）水の予め定められた最大容積の近くにあったほうがよい。
【０３１３】
本技術の別の態様は、ウォーターリザーバー５１１０が閉構成にあるときに、コンプライアント部５１１６がベース５１１２とリザーバーリッド５１１４とを密封するように係合させ、オリフィス５１３８またはスロープのついたプロファイル５１３９をブロックまたは密封し、ウォーターリザーバー５１１０への流体の伝達およびウォーターリザーバー５１１０からの流体の伝達を防ぐ。
本機能の１つの配置を図３１ａに示す。これは、リザーバーリッド５１１４が閉じられているときに（リッドはこの図で示していない）、コンプライアント部５１１６がオリフィス５１３８の外側のベース５１１２と密封するように係合し、もはや、オリフィス５１３８を通してウォーターリザーバー５１１０への液体または空気の伝達およびウォーターリザーバー５１１０からの液体または空気の伝達が可能ではないことを示す。同様に、図３１ｂに示すように、コンプライアント部５１１６は、スロープのついたプロファイルの端を囲むようにベース５１１２と係合し、スロープのついたプロファイル５１３９を通してウォーターリザーバー５１１０への液体または空気の伝達およびウォーターリザーバー５１１０からの液体または空気の伝達を防ぐ。
【０３１４】
本技術の別の態様にしたがって、過剰充填防止機能は、リザーバー５１１０が閉構成にあるときに、例えば、入口５１１８または出口５１２２を介してユーザがリザーバー５１１０を充填しようと試みているときに過剰充填を防ぐように構成されてもよい。
【０３１５】
（リザーバーベース５１１２がない状態で図４９に示されている）１つの形態では、過剰充填防止機能は、液体の予め定められた最大容積がリザーバー５１１０中にあるときに、リザーバー５１１０への液体のさらなる移入を防ぐように、１以上の空気ロックを形成してもよい。この形態では、入口５１１８または出口５１２２を介して、閉構成にあるリザーバー５１１０を充填するときに、１以上の空気ロックは、リザーバー５１１０中の液体の容積により置換されない、リザーバー５１１０中の空気の囲い込みを形成する。図４９に示す例では、ユーザが、リザーバー５１１０を水で充填している間、リザーバー５１１０に向きをつけているため、リザーバー５１１０は、入口５１１８に対する垂直と出口５１２２に対する垂直が垂直に向いている方向にある。水レベル５１８４は上昇し、図４９に示すレベルに達し、ここで、リザーバー５１１０中の空気の残りの容積はもはや入口チューブ５１２４または出口チューブ５１２６にアクセス可能ではなく、そのため、もはやリザーバー５１１０から逃げられない。したがって、リザーバー５１１０は、水の任意のさらなる容積をリザーバー５１１０の内部容積に受け入れることができない。さらなる水の追加は、リザーバーが入口５１１８または出口５１２２をそれぞれ通して再充填されていたかに依存して、入口チューブ５１２４または出口チューブ５１２６を充填し、その後、入口５１１８または出口５１２２からそれぞれオーバーフローさせる。これは、ユーザに、リザーバー５１１０が過剰充填されていることを示す。
【０３１６】
好ましくは、リザーバー５１１０への水の任意のさらなる移入が、１以上の空気ロックの形成により防止されているときのリザーバー５１１０中の水の容積は、実質的に、リザーバー５１１０中に維持される液体の予め定められた最大容積に等しい。いくつかのケースでは、内部容積への水のさらなる移入は空気ロックによって防止されているが、リザーバー５１１０は、入口チューブ５１２４および／または出口チューブ５１２６のさらなる充填が可能であってもよい。このようなケースでは、空気ロックが形成されるときのリザーバー５１１０中の液体の容積とともに入口チューブ５１２４および／または出口チューブ５１２６の容積は、共に追加されるときに、それらがリザーバー５１１０中に維持される液体の予め定められた最大容積に実質的に等しいように構成されてもよい。
【０３１７】
いくつかのケースでは、例えば、入口５１１８に対する垂直と出口５１２２に対する垂直は平行でなくてもよく、ユーザは、閉じている間に複数の向きのうちの１つにリザーバー５１１０を充填してもよい。このようなケースでは、リザーバー５１１０は、複数の向きのうちの１つまたはいくつかにおいて、適切な空気ロックが形成可能なように構成されてもよい。空気ロックは、入口チューブ５１２４および／または出口チューブ５１２６の単に閉塞により形成される必要はない。（示されていない）いくつかの形態では、１以上の空気ロックは、リザーバー５１１０の内部と外部との流体の伝達を可能にする任意のキャビティまたはポートの閉塞により形成されてもよい。さらに、閉塞は、リザーバー５１１０中の液体の容積により行われる必要はない。いくつかの形態では、液体の容積は、増加するにつれて、リザーバー中の密封（と、したがって空気ロック）を形成するために別のコンポーネントを変形または動かしてもよい。
【０３１８】
折り畳み可能な入口／出口チューブ
上述したように、特に入口チューブを通しての、リザーバー５１１０からの水の任意のこぼれは、望ましくないことがある。水のこぼれが発生することがある１つのシナリオは、リザーバー５１１０および／または加湿器５０００が、そのユーザ（例えば、患者１０００）により、その通常の作動の向きから離れて傾けられているときである。リザーバー５１１０および／または加湿器５０００の傾きは、例えば、加湿器５０００が動かされるおよび／または梱包されるために取り上げられているため、患者１０００が治療を受けていない間に生じることがある。
【０３１９】
加湿器５０００は、折り畳み可能な入口チューブおよび／または折り畳み可能な出口チューブのような、１以上の折り畳み可能なチューブを含んでもよい。折り畳み可能なチューブ５２０８は、（図５５ａに示すような）開かれた状態および（図５５ｂに示すような）閉じられた状態のような複数の構成のうちの１つを仮定できてもよい。いくつかのケースでは、折り畳み可能なチューブは２０％、４０％、６０％または８０％のような（例えば、「完全に開かれた」断面エリアの割合により測定時）、それらの間の「開き」の様々な程度を仮定できてもよい。
【０３２０】
折り畳み可能なチューブは、軟部５２１０を含んでもよく、軟部５２１０は、図５５ａおよび図５５ｂに示したような（軟部５２１０は点線の境界でマークした）折り畳み可能なチューブ５２０８を閉じるまたは開くための複数の状態の間で構成可能であってもよい。代替的にまたはさらに、折り畳み可能なチューブ５２０８は、軟部５２１０を位置付けるおよび／またはサポートするために硬部５２１２を含んでもよい。いくつかの形態では、硬部５２１２は、折り畳み可能なチューブ５２０８のおよそ半分（５０％）（例えば、断面において）を構成してもよいが、３０％、４０％、６０％、７０％のような、他の分量も、折り畳み可能なチューブ５２０８の特定の構成にしたがって適切であってよい。
【０３２１】
１つの形態では、水の折り畳み可能なチューブへの衝突、リザーバーの５１１０の向きのような（したがって、折り畳み可能なチューブの向き）、イベントの発生時に、折り畳み可能なチューブは、開かれた状態のような、１つの状態に対してバイアスされてもよく、閉じられた状態のような、別の状態を仮定してもよい。別の形態では、折り畳み可能なチューブは閉じられた状態に対してバイアスされてもよく、圧力が増加した空気の流れにより働きかけられるときに、例えば、ＲＰＴデバイス４０００のスイッチがオンであるときに、開かれた状態を仮定するようにさらに構成されてもよい。いくつかの形態では、折り畳み可能なチューブは、折り畳み可能なチューブが仮定している最新の状態に対してバイアスされてもよい。すなわち、圧力が増加したガスの流れが、折り畳み可能なチューブを開かれた状態にさせた場合に、折り畳み可能なチューブは閉じられた状態を強いられるまでその方法であり続けてもよい。
【０３２２】
折り畳み可能なチューブ５２０８は、多数の適切な配置のうちのいずれか１つで構成されてもよく、そのうちの１つは、軟部５２１０を硬部５２１２にオーバーモールドすることによりなされてもよい。他の配置では、軟部５２１０および硬部５２１２は、別個に構成されてもよく、スナップフィット等により、あるいは、１方向のパーマネントラッチまたは接着剤の使用により、共に留められてもよい。１つの形態では、折り畳み可能なチューブ５２０８の軟部５２１０は、折り畳み可能なチューブ５２０８の長さ全体にわたって拡張してもよく、このケースでは、軟部５２１０および硬部５２１２は、折り畳み可能なチューブ５２０８の外周において、または、外周の周りでジョイントされてもよい。別の形態では、軟部５２１０は、折り畳み可能なチューブ５２０８の長さ全体の一部にわたってのみ拡張してもよく、これにより、軟部５２１０および硬部５２１２は、折り畳み可能なチューブ５２０８の外周において、または、外周の周りでジョイントされてもよく、互いに隣接している。折り畳み可能なチューブの他の任意の数の配置（例えば、ジオメトリ、構成、成分）は、本開示で説明するものと同じ作用を達成するのに適していてもよい。
【０３２３】
図５６ａに示す本技術の例では、入口チューブ５１２４および出口チューブ５１２６を含む加湿器のリッド５１１４を示す。この例では、入口チューブ５１２４は、入口チューブ５１２４の上部に対する硬部５２１２と、入口チューブ５１２４の底部に対する軟部５２１０（図５６で影がつけられた部分）とを含む。したがって、１つの配置では、軟部５２１０は開構成に対してバイアスされてもよく、（例えば、リザーバー５１１０内からの）水の容積からの圧力が軟部５２１０の外部に働くときのみ折り畳まる。別の配置では、軟部５２１０は閉構成に対してバイアスされてもよく、リザーバーの入口５１１８からリザーバー５１１０に圧力が増加した空気の流れが伝えられたときのみ開く。
【０３２４】
折り畳み可能なチューブの使用は、折り畳み可能なチューブの容積がリザーバーの内部に効果的に加えられ、それにより、リザーバー中の水の容積の深度を下げるという点に利点があってもよい。これは、２つの成果を有することになってもよく、１つは、リザーバー中の水の容積が入口チューブおよび／または出口チューブの開口に達する可能性の低下、もう１つは、リザーバーのサイズをそれ以外の方法で可能なよりも小さくすることができることである。折り畳み可能なチューブの別の利点は、水が達したときに閉じられ、および／または、圧力が増加した空気の流れが達したときに、開かれることにより、１方向バルブとして働くことができてもよいことであってもよい。
【０３２５】
保持クリップ
リザーバーリッド５１１４は、いったん２つのメンバーが互いに係合すると、ウォーターリザーバー５１１０がウォーターリザーバードック５１３０に保持されることになる機能を含んでもよい。１つの配置では、保持機能は、図３２〜図３３に示すような、リザーバーリッド５１１４における突起またはクリップ５１４２であってもよい。図３２〜図３３は、ウォーターリザーバー５１１０およびウォーターリザーバードック５１３０を示す。ここで、リザーバーリッド５１１４における突起またはクリップ５１４２は、ウォーターリザーバー５１１０がウォーターリザーバードック５１３０に挿入されるときに、ウォーターリザーバードック５１３０における対応するドックロッキング陥凹部５１４４と取り外し可能に係合する。この接続は、ウォーターリザーバードック５１３０にウォーターリザーバー５１１０を固定する。
【０３２６】
上述したように、リザーバーのコンプライアント部５１１６は、ドック５１３０へのリザーバーの挿入を可能にするように圧縮される。コンプライアント部５１１６の圧縮により、リザーバー５１１０の一部をドック５１３０中にスライドすることが可能になり、ドックロッキング陥凹部５１４４に達するように、ドック５１３０の外側端表面下に最初に突起（またはクリップ）５１４２をスライドさせることを可能にする。挿入のためにリザーバーに印加される圧縮力は、その後、突起（またはクリップ）５１４２をドックロッキング陥凹部５１４４と係合し、リザーバー５１１０をドック５１３０内に固定することが可能になるように、リリースされてもよい。リザーバー５１１０がドック５１３０内に固定されるときに、コンプライアント部５１１６はもはや圧縮低下状態でなく、または、圧縮低下状態である。同様に、ウォーターリザーバードック５１３０からウォーターリザーバー５１１０を取り外せるように、コンプライアント部５１１６は、リッド突起５１４２をドックロッキング陥凹部５１４４から離脱するように圧縮されなければならない。
【０３２７】
図３３に示すように、リッド突起５１４２はさらにテーパリングにより構成されてもよい。テーパリングは、挿入の方向から離れるように高さを増加させるように、突起５１４２とドック５１３０との間の干渉量を挿入中に漸増的に増加させるように、向けられてもよい。代替的な配置では、リッド突起５１４２は陥凹部であってもよく、ドックロッキング陥凹部５１４４は、対応する突起であってもよいことが当業者に明らかであろう。代替的に、当技術分野で知られている任意の数の保持機能のうちの１つは、上述したのと同じ成果を達成するために使用されてもよい。
【０３２８】
ヒータープレート５１２０
ヒータープレート５１２０は、ウォーターリザーバー５１１０に熱を伝達するために使用される。ヒータープレート５１２０は、リザーバードック５１３０の一部を形成してもよく、図１４に示したような加湿器５０００のベースまたはベース付近に位置してもよい。ヒータープレート５１２０は、例えば、ニッケルクロム合金、ステンレス鋼および酸化アルミニウムから形成されてもよい。ヒータープレート５１２０は、例えば、ＰＣＴ特許出願公開番号ＷＯ２０１２／１７１０７２に記載されているもののような、階層化された熱エレメントのような、熱エレメント５２４０を含んでもよく、この文書全体が参照により本明細書に組み込まれている。
【０３２９】
加湿器端キャップ５３００
図５９に示したような本技術の１つの例では、加湿器５０００は、ＲＰＴデバイス４０００から加湿器の出口５１７２に空気の流れを向かわせるように構成される加湿器端キャップ５３００を含んでもよい。いくつかの配置では、加湿が必要ではなく、加湿器５０００がＲＰＴデバイス４０００と一体化されたときに、加湿器５０００は、加湿器リザーバー５０００の代わりに端キャップを含んでもよい。図５９に示したように、加湿器端キャップ５３００は、リザーバー５１１０と交換可能なウォーターリザーバードック５１３０に受け入れられるように構成されてもよい。
【０３３０】
１つの形態では、図５９および図６０に示すように、加湿器端キャップ５３００は、（例えば、ドックの出口５１６８から）空気の流れを受け取るための端キャップ入口５３１０、空気の流れを（例えば、ドックの空気入口５１７０に）伝えるための端キャップ出口５３２０ならびにウォーターリザーバードック５１３０に／ウォーターリザーバードック５１３０から端キャップ５３００をロックおよび／またはリリースするための端キャップラッチ５３３０を含んでもよい。
【０３３１】
端キャップ５３００は、制御装置、例えば、中央制御装置４２３０または加湿器制御装置５２５０が、例えば、リザーバードック５１３０中のその存在（または不在）を検知できるための、識別エレメントを含んでもよい。リザーバードック５１３０は、端キャップ５３００の存在（または不在）を検知するための、相補検知エレメントを含んでもよい。１つの形態では、加湿器制御装置５２５０の存在または不在の検知は、制御装置に以下のうちの１以上を実行させてもよい：ヒータープレート５１２０のスイッチのオフ／オン、ヒータープレート５１２０の電力出力の調整、熱空気回路４１７１のスイッチのオフ／オン、熱空気回路４１７１の電力出力の調整、圧力発生器４１４０と患者インターフェース３０００との間の圧力低下推定の調整、加湿器５０００の動作に関するユーザインターフェースエレメントのディスエーブル／イネーブル、あるいは、加湿器５０００の動作に関するデータログ／データ報告のディスエーブル／イネーブル。１つの形態では、図５９および図６０に示すように、加湿器端キャップ５３００は、端キャップマグネットホルダー５３４５のような、端キャップ５３００に配置された識別エレメント（マグネット５３４０の形で示されている）を含んでもよい。識別エレメントは、検知エレメントを介して制御装置により加湿器端キャップ５３００の検知のために使用されてもよく、例えば、検知エレメントは、ＲＰＴデバイス４０００中のプリント回路板（ＰＣＢ）のような、リザーバードック５１３０（示されていない）において、または、リザーバードック５１３０（示されていない）付近に、ホール効果センサを含んでもよい。
【０３３２】
識別エレメントを含む端キャップ５３００の１つの利点は、端キャップ５３００が使用される加湿器５０００の電力消費の低下またはカスタマイズされた動作を可能にすることであってもよい。デフォルトではオン、端キャップ５３００の関与により電源がオフになる、ヒータープレートを有するさらなる利点は、端キャップをインストールする単一のステップでは、ヒータープレート５１２０は動作停止され、および、ヒータープレートへのアクセスが防がれる。
【０３３３】
なおさらに、製造業者が、端キャップ５３００を含むシステムではなく、リザーバー５１１０を伴う加湿器５０００を含むさらなるシステムを生成してもよい場合に、製造業者（例えば、コスト）が、識別エレメントとして、端キャップ５３００に識別エレメントを配置する利点であってもよく、追加のコスト（または時間）を、結合されることがあるいずれかのコンポーネント（すなわち、リザーバー５１１０または端キャップ５３００）に課すことがある。
【０３３４】
加湿器の電気的および温熱コンポーネント５２００
加湿器５０００は、以下にリストするもののような、多数の電気的および／または温熱コンポーネントを含んでもよい。
【０３３５】
センサ５２７０
加湿器５０００は、１以上のセンサ５２７０、例えば、空気圧力センサ、空気フローセンサ、温度センサおよび／または相対湿度センサを含んでもよい。センサは、センサが測定する特性を示す出力信号を生成してもよく、出力信号は、中央制御装置４２３０および／または加湿器制御装置５２５０のような、制御装置に伝達されてもよい。いくつかの形態では、出力信号を制御装置に伝達する間、センサは（例えば、空気回路４１７０または外部モジュールにある）加湿器５０００の外側に位置してもよい。
【０３３６】
フローセンサ
フローセンサは、ＲＰＴデバイス４０００に提供されるフローセンサ４２７４に加えて、または、このセンサの代わりに、加湿器５０００に提供されてもよい。
【０３３７】
温度センサ
加湿器５０００は、熱エレメント５２４０の温度および／またはリザーバー５１１０中の空気の流れの温度を測定するのに構成されてもよい温度センサを含んでもよい。いくつかの形態では、加湿器５０００は、環境空気の温度を検知するための温度センサをさらに含んでもよい。
【０３３８】
湿度センサ
１つの形態では、加湿器５０００は、環境空気の相対湿度を検知するための湿度センサを含んでもよい。湿度センサは、絶対湿度センサまたは相対湿度センサであってもよい。相対湿度センサが使用されるときに、絶対湿度の値は、空気の流れの相対湿度の測定値および温度に基づいて決定されてもよい。
【０３３９】
熱エレメント５２４０
熱エレメント５２４０は、電気的抵抗熱トラックのような、熱発生コンポーネントであってもよい。熱エレメント５２４０の１つの適切な例は、ＰＣＴ特許出願公開番号ＷＯ２０１２／１７１０７２に記載されているもののような、階層化された熱エレメントであり、この文書全体が参照により本明細書に組み込まれている。
【０３４０】
熱空気回路４１７１
熱空気回路４１７１は、空気回路４１７０に加えて、または、空気回路４１７０の代わりに、使用されてもよい。加湿器５０００からの出力である空気の流れの温度は、環境温度より高くてもよい。結果として、熱損失は、環境空気に対する空気の流れから生じることがあり、それにより、加湿された空気の流れの相対湿度が増加する。いくつかのケースでは、相対湿度が１００％ＲＨに、または、１００％ＲＨ付近に増加する場合に凝結が生じることがある。
【０３４１】
１つの形態では、加湿器５０００は、熱空気回路４１７１を含んでもよく、または、熱空気回路４１７１に接続されてもよい。熱空気回路４１７１の使用は、加湿器５０００から患者インターフェース３０００まで水が移動するときの空気の流れから、水の凝結を防ぐ、または、減少させてもよい。例えば、熱空気回路４１７１は、環境空気に対する熱損失を補償するために、空気の流れに熱を提供してもよい。
【０３４２】
熱空気回路４１７１は、１以上のセンサ、例えば、温度センサおよび／または湿度センサを含んでもよい。温度センサおよび／または湿度センサの使用は、例えば、熱空気回路４１７１の出口におけるような、熱空気回路４１７１における（絶対および／または相対）温度および／または湿度を決定するに役立つことがある。いくつかのケースでは、熱空気回路４１７１は、熱空気回路４１７１に熱の入力を提供するように構成された、熱エレメント５２４０、例えば、熱コイルを含んでもよい。
【０３４３】
加湿器制御装置５２５０
本技術の１つの配置にしたがって、加湿器５０００は、図５ｂにおいて示されているような加湿器制御装置５２５０を含んでもよい。１つの形態では、加湿器制御装置５２５０は、中央制御装置４２３０の一部であってもよい。別の形態では、加湿器制御装置５２５０は、別の制御装置であってもよく、中央制御装置４２３０と伝達してもよい。
【０３４４】
１つの形態では、加湿器制御装置５２５０は、例えば、リザーバー５１１０および／または加湿器５０００における空気の流れ、水のような、特徴（例えば、温度、湿度、圧力および／またはフローレート）の測定値を入力として（例えば、センサ５２７０から）受け取ってもよい。
加湿器制御装置５２５０は、加湿器アルゴリズムを実行または実現するように、ならびに／あるいは、１以上の出力信号を伝達するように、構成されてもよい。
【０３４５】
図５ｂにおいて示したように、加湿器制御装置は、複数の制御装置、例えば、中央加湿器制御装置５２５１、熱空気回路４１７１の温度を制御するように構成された熱空気回路制御装置５２５４、および／または、ホットプレートの温度を制御するように構成された熱エレメント制御装置５２５２を含んでもよい。熱空気回路制御装置５２５４は、熱空気回路４１７１の動作を制御するために１以上のセンサから入力を受け取ってもよい。例として、熱空気回路制御装置５２５４は、熱空気回路４１７１による熱出力を調整するために、加湿された空気の流れの温度および相対湿度をセンサ５２７０から受け取ってもよい。
【０３４６】
用語集
本技術の開示の目的のために、本技術のある形態では、以下の定義のうちの１以上が適用されてもよい。本技術の他の形態では、代替的な定義が適用されてもよい。
【０３４７】
一般的事項
空気：空気は、呼吸可能なガス、例えば、大気および追加の酸素を含むものとしてとられるだろう。
【０３４８】
経鼻持続気道陽圧（ＣＰＡＰ）：ＣＰＡＰ治療は、大気に関して持続的に陽である圧力で気道への入口に空気を供給する適用を意味するものとしてとられるだろう。
【０３４９】
ＲＰＴデバイスの態様
空気回路：上流コンポーネント（例えば、ＲＰＴデバイス）と下流コンポーネント（例えば、患者インターフェース）の間の空気の供給を伝えるのに使用されるように構成および配置された導管またはチューブである。特に、空気回路は、含気性ブロックの出口および患者インターフェースと流体伝達してもよい。空気回路は空気伝達チューブと呼ばれてもよい。いくつかのケースでは、吸気および呼気のための回路の別々の脚があってもよい。
他の形態では、単脚が使用される。
【０３５０】
加湿器
ウォーターリザーバー：ウォーターリザーバー（一般的にウォータータブ、加湿器タブまたは加湿器リザーバーとも呼ばれる）は、空気の流れに湿度を加えるために使用される液体（例えば、水）のボディ／容量を含むように構成されたチャンバである。
【０３５１】
物質
シリコーンまたはシリコーンエラストマー：合成ゴム。本明細書では、シリコーンに対する参照は、液状シリコーンゴム（ＬＳＲ）または圧縮成型シリコーンゴム（ＣＭＳＲ）に対する参照である。商業的に入手可能なＬＳＲの一つの形態は、Ｄｏｗ  Ｃｏｒｎｉｎｇ社により製造される、ＳＩＬＡＳＴＩＣ（本商標の下で販売されている製品の範囲に含まれる）である。ＬＳＲの別の製造業者はＷａｃｋｅｒ社である。反対のことが明記されていない限り、ＬＳＲの好ましい形態は、ＡＳＴＭ  Ｄ２２４０を使用して測定されたときに約３５〜約４５の範囲のショアＡ（またはタイプＡ）の圧入硬度を有する。
【０３５２】
ポリカーボネート：通常、透明な炭酸ビスフェノールＡの熱可塑性ポリマー。
【０３５３】
他の所見
本特許文書の開示の一部は、著作権保護を受けている物質を含む。特許商標庁の特許ファイルまたは記録にある場合、著作権所有者は、任意の者による特許文書または特許開示の複写複製に異議を唱えることはできないが、それ以外のものに対しては何であれ、全ての著作権を保持できる。
【０３５４】
そうではないことが文脈から明らかでない限り、および、幅広い範囲の値が提供される場合、その範囲の上限値と下限値の間で、下限値の単位の１０倍までの各媒介値ならびに述べられた範囲中の他の何らかの述べられたまたは媒介値が、技術内に含まれることが理解される。これらの媒介範囲の上限値および下限値は、媒介範囲に独立して含まれてもよく、さらに、技術内に含まれ、述べられた範囲中の任意の特に除外された限界値の対象となる。述べられた範囲が限界値の１つまたは双方を含む場合、これらの組み入れられた限界値のいずれかまたは双方を除外する範囲も、技術に含まれる。
【０３５５】
さらに、本明細書では、値または複数の値は、技術の一部として実現されるものとして述べられており、そうではないと述べられていない限り、このような値は近似されてもよく、このような値は、実用的な技術的実現が有効桁を許容または必要としてもよい範囲で、任意の適切な有効桁に利用されてもよいことが理解される。
【０３５６】
そうではないと規定されていない限り、本明細書で使用される全ての技術的および科学的用語は、本技術が属する当業者が一般的に理解するように、同じ意味を有する。本明細書で説明されるものと同様または均等な任意の方法ならびに物質は、本技術の実践またはテストで使用することもできるが、限定された数の例示的な方法および物質が、本明細書では説明される。
【０３５７】
特定の物質がコンポーネントを構築するのに好ましく使用されるものとして特定されるときに、同様の性質を持つ明白な代替物質が置換として使用されてもよい。さらに、反対のことが明記されていない限り、本明細書中の任意および全てのコンポーネントは、製造可能なものとして理解され、そのため、共にまたは別々に製造されてもよい。
【０３５８】
本明細書中および添付の特許請求の範囲中で使用されるように、単数形である「ａ」、「ａｎ」および「ｔｈｅ」は、文脈からそうではないことが明らかではない限り、これらの複数形の均等物を含むことに留意されたい。
【０３５９】
本明細書で言及される出版物の主題である方法および／または物質を開示ならびに説明するために、これらの出版物は参照により組み込まれる。本明細書で論じた出版物は、単に、本出願の出願日以前のこれらの出版物の開示のため、提供される。先行技術の発明のため、このような出版物に先立つ権利を与えられない承認として構築されるものは本明細書中にはない。さらに、提供される出版物の日付は、実際の出版物の日付とは異なることがあり、個別に確認される必要があり得る。
【０３６０】
さらに、開示を解釈する際に、全ての用語は、文脈と一致する広く合理的な方法で解釈されるべきである。特に、用語である「含む」および「含んでいる」は、参照されるエレメント、コンポーネントまたはステップが存在する、利用される、あるいは、明確に参照されない他のエレメント、コンポーネントまたはステップと組み合わせられ得ることを示す、排他的でない方法でのエレメント、コンポーネント、またはステップのことを指すものとして解釈すべきである。
【０３６１】
詳細な説明で使用される主題の見出しは、読者の参照を容易にするためにのみ含まれ、開示全体または特許請求の範囲を通して見られる主題事項を制限するように使用されるべきではない。主題の見出しは、特許請求の範囲または特許請求の範囲の制限を構築するのに使用すべきではない。
【０３６２】
本明細書中の技術は、特定の例を参照して説明されてきたが、これらの例は単に技術の原則および適用を示すことを理解すべきである。いくつかの例では、技術用語およびシンボルは、技術を実践するのに必要とされない特定の詳細を示唆してもよい。例えば、用語である「第１の」および「第２の」が使用されてもよいが、そうではないと明記されていない限り、これらの用語は、任意の順序を示すことを意図しないが、別個のエレメント間を区別するのに利用されてもよい。さらに、方法におけるプロセスのステップは、順序で説明または例示されてもよいが、このような順序付けは必要とされない。当業者は、このような順序付けは変更されてもよく、および／または、これらの態様は、同時にまたは同期的にさえ行われてもよいことを認識するだろう。
【０３６３】
それゆえ、多数の変更は、例示的な例に対して行われてもよく、技術の精神および範囲から逸脱することなく、他の構成が考案されてもよいことを理解すべきである。
【０３６４】
最も実用的かつ好ましい例と現在考えられているものに関連して、本技術を説明してきたが、技術は、開示した例に限定されず、反対に、技術の精神および範囲内に含まれる様々な改良および均等な構成をカバーすることを意図していることを理解すべきである。また、先に説明した様々な例は、他の例に関連して実現されてもよく、例えば、１つの例の態様は、さらに他の例を実現するために別の例の態様と組み合わせてもよい。さらに、任意の所定のアセンブリの各個別の特徴またコンポーネントは、追加の例を構築してもよい。
【０３６５】
追加の技術例
例１  空気の流れを加湿するための装置は、ヒータープレート、空気の流れと流体伝達するチャンバ、およびヒータープレートと熱関与する伝導部を含むリザーバーを備え、装置は、チャンバ中の空気の流れの第１の圧力を変化させることにより、伝導部とヒータープレートとの間の熱関与のレベルを変化させるように構成される。
【０３６６】
例２  例１に記載の装置において、リザーバーはさらに入口および出口を含む。
【０３６７】
例３  例２に記載の装置において、熱関与は、伝導部の表面に実質的に垂直な第１の方向である。
【０３６８】
例４  例１〜３のいずれか１つに記載の装置において、装置はさらに、第１の圧力が変化するときに伝導部とヒータープレートとの間の力の大きさを第１の方向に変化させるように構成される。
【０３６９】
例５  例１〜４のいずれか１つに記載の装置において、チャンバはリザーバーの一部である。
【０３７０】
例６  例１〜５のいずれか１つに記載の装置において、チャンバはさらにコンプライアント部を備える。
【０３７１】
例７  例１〜６のいずれか１つに記載の装置において、装置はさらに、リザーバーを受け入れるように構成されたドックを備え、ドックはヒータープレートを含む。
【０３７２】
例８  例７に記載の装置において、ドックはさらに、上部と底部とを有するキャビティを含み、底部は底部に位置するヒータープレートを有し、キャビティは、キャビティにあるリザーバーの少なくとも一部を保持するように構成される。
【０３７３】
例９  例８に記載の装置において、コンプライアント部は、ドックのキャビティへのリザーバーの挿入を可能にするように圧縮される。
【０３７４】
例１０  例８または９のいずれか１つに記載の装置において、キャビティの上部は、リザーバーのキャビティへの挿入を促進するために、開構成と閉構成との間で移動可能である。
【０３７５】
例１１  例６〜１０のいずれか１つに記載の装置において、コンプライアント部は、ヒータープレートと伝導部との間の熱関与のレベルを変化させるために第１の圧力を変化させるために、サイズを調整するように構成される。
【０３７６】
例１２  例１〜１１のいずれか１つに記載の装置において、リザーバーはさらに、ベースおよびリッドを含み、ベースは、液体の容量を保持するように構成され、伝導部を含む。
【０３７７】
例１３  例１２に記載の装置において、ベースおよびリッドは、共に旋回可能に結合される。
【０３７８】
例１４  例１２〜１３のいずれか１つに記載の装置において、コンプライアント部は、ベースとリッドとの間に密封を形成する。
【０３７９】
例１５  例１２〜１４のいずれか１つに記載の装置において、リザーバーはさらに、ベースとリッドを共に固定するためのラッチを含む。
【０３８０】
例１６  例７〜１５のいずれか１つに記載の装置において、リザーバーはさらに、リザーバーのドックへの結合を促進するための少なくとも１つのハンドルを含む。
【０３８１】
例１７  例８〜１６のいずれか１つに記載の装置において、リザーバーはさらに、ドックのキャビティにリザーバーを保持するために、ドック上の陥凹部と係合するように適合される保持クリップを含む。
【０３８２】
例１８  例７〜１７のいずれか１つに記載の装置において、リザーバーは、リザーバーがドックに結合されるときに、リザーバーの再充填を防ぐように構成される。
【０３８３】
例１９  例１８に記載の装置において、リザーバーの少なくとも一部は、リザーバーがドックに結合されるときに開くのが防がれる。
【０３８４】
例２０  例１８または１９のいずれか１つに記載の装置において、リザーバーは、再充填キャップを含む。
【０３８５】
例２１  例１〜２０のいずれか１つに記載の装置において、装置はさらに、水の予め定められた最大容量を上回ってリザーバーが充填されるのを防ぐように構成された過剰充填保護エレメントを備える。
【０３８６】
例２２  例２１に記載の装置において、過剰充填保護エレメントは、リザーバーの壁に形成される少なくとも１つのオリフィスを含み、少なくとも１つのオリフィスは、水の予め定められた最大容量が超過しているときの水の排出経路を規定する。
【０３８７】
例２３  例２１に記載の装置において、過剰充填保護エレメントは、リザーバーの壁の側面のプロファイルにあるスロープのついたプロファイルを含み、スロープのついたプロファイルは、水の予め定められた最大容量が超過しているときの水の排出経路を規定する。
【０３８８】
例２４  空気の流れを加湿するための加湿システム中のヒータープレートとリザーバーとの間の熱的接触を変化させる方法であって、方法は、ヒータープレートとリザーバーとの間の力を変化させるために、空気の流れと流体伝達する、リザーバー中の空気の流れの圧力を変化させることを含む。
【０３８９】
例２５  空気の流れを加湿するための装置は、ヒータープレート、ならびに空気の流れを受け取る入口、出口、およびヒータープレートと熱接触する伝導部を含むリザーバーを備え、装置は、リザーバー中の空気の流れの圧力を変化させることが、熱的接触の方向に、ヒータープレートと伝導部との間の力を変化させるように構成される。
【０３９０】
例２６  例２５に記載の装置において、装置はさらに、リザーバーと接続可能なドックを備える。
【０３９１】
例２７  例２６に記載の装置において、ドックは、熱的接触の方向に、リザーバーが開くのを制約するように構成される。
【０３９２】
例２８  圧力をかけられた空気の流れを加湿するための液体の容量を含むように構成されたリザーバーであって、リザーバーは、伝導部を含む底部、入口および出口を含むリッド部ならびにコンプライアント部を備え、ここで、底部およびリッド部は、旋回可能に係合し、旋回可能に係合しながら、開構成および閉構成で構成可能であり、密封は、リザーバーが閉構成にあるときに底部およびリッド部を密封するように係合させる。
【０３９３】
例２９  例２８に記載の装置において、コンプライアント部は、出口チューブおよび整流装置を備え、整流装置は、入口チューブに接続するように構成される。
【０３９４】
例３０  空気の流れを加湿するための装置は、ヒータープレートと、入口、出口、コンプライアント部、およびヒータープレートと熱接触する伝導部を含むリザーバーとを備え、装置は、コンプライアント部の高さを変化させることで、伝導部とヒータープレートとの間の熱的関与のレベルを変化させるように構成される。
【０３９５】
例３１  例３０に記載の装置において、装置は、熱関与が、伝導部の表面に実質的に垂直な第１の方向であるように構成される。
【０３９６】
例３２  加湿器装置における熱的関与のレベルを変化させる方法であって、方法は、（ｉ）リザーバーの伝導部とヒータープレートとを熱的に関与させることと、（ｉｉ）リザーバーのコンプライアント部の高さを変化させることで、伝導部とヒータープレートとの間の熱的関与のレベルを変化させることとを含む。
【０３９７】
例３３  加湿器装置のためのウォーターリザーバーであって、リザーバーは、水の予め定められた最大容量を保持するように構成されるキャビティを形成する複数の壁と、入口内側端および入口外側端を含む、リザーバーへの空気の供給を受け入れるための入口チューブと、出口内側端および出口外側端を含む、リザーバーから空気の供給を伝えるための出口チューブとを備え、入口チューブおよび出口チューブは、リザーバーが水の予め定められた最大容量を含むときに、入口チューブの内側端または外側端のうちの少なくとも１つならびに出口チューブの内側端または外側端のうちの少なくとも１つが、リザーバーの向きにかかわらず、水の予め定められた最大容量を上回るように構成される。
【０３９８】
例３４  加湿器装置のためのウォーターリザーバーであって、リザーバーは、リザーバーへの空気の供給を受け入れるための入口チューブと、リザーバーから空気の供給を伝えるための出口チューブとを備え、入口チューブまたは出口チューブのうちの少なくとも１つは、少なくとも２つの構成を仮定することができる。
【０３９９】
例３５  例３４に記載のウォーターリザーバーにおいて、少なくとも２つの構成は、開構成および閉構成を含む。
【０４００】
例３６  例３５に記載のウォーターリザーバーにおいて、入口チューブまたは出口チューブのうちの少なくとも１つは、閉構成を形成するように折り畳み可能である。
【符号の説明】
【０４０１】
１０００  患者
３０００  患者インターフェース
３１００  密封形成構造
３２００  プレナムチャンバ
３３００  安定化構造
３６００  接続ポート
４０００  ＲＰＴデバイス
４０１０  外部ハウジング
４０２０  含気性ブロック
４１００  含気性コンポーネント
４１１０  空気フィルタ
４１１２  入口空気フィルタ
４１１４  出口空気フィルタ
４１２０  マフラー
４１２２  入口マフラー
４１２４  出口マフラー
４１４０  圧力発生器
４１４２  ブロワ
４１４４  モーター
４１６０  抗戻りバルブ
４１７０  空気回路
４１７１  熱空気回路
４１８０  追加の酸素
４２００  電気コンポーネント
４２３０  中央制御装置
４２４０  治療デバイス制御装置
４２７０  変圧器
４２７４  フローセンサ
４３００  アルゴリズム
５０００  加湿器
５１００  加湿器の機械的コンポーネント
５１１０  ウォーターリザーバー
５１１２  リザーバーベース
５１１４  リザーバーリッド
５１１６  コンプライアント部
５１１７  キャリア
５１１８  リザーバーの入口
５１２０  ヒータープレート
５１２２  リザーバーの出口
５１２４  入口チューブ
５１２５  入口チューブ内側端
５１２６  出口チューブ
５１２７  出口チューブ内側端
５１２８  内側端壁
５１３０  ウォーターリザーバードック
５１３２  第１のドック密封
５１３４  第２のドック密封
５１３６  ターニングベーン
５１３８  オリフィス
５１３９  スロープのついたプロファイル
５１４０  水充填表示マーク
５１４０＿ａ  水充填表示マーク
５１４０＿ｂ  水充填表示マーク
５１４１＿１  水の予め定められた最大容積での水レベル
５１４１＿２  水のしきい値の容積での水レベル
５１４２  維持突起
５１４４  ドックロッキング陥凹部
５１４６  ベース上部ボディ
５１４８  ベース底部プレート
５１５０  密封エレメント
５１５２  コンダクタプレート
５１５４  ハンドル陥凹部
５１５６  ハンドル陥凹部
５１５８  ヒンジ
５１５９  ヒンジ陥凹部
５１６０  ドックキャビティ
５１６６  ハンドルグリップ
５１６８  ドック空気出口
５１７０  ドック空気入口
５１７２  加湿器出口
５１７４  ベース
５１７６  トップ
５１７８  コンプライアント部
５１８０  キャップ
５１８２  水
５１８４  水レベル
５１８６  リザーバーラッチ
５１９２  整流装置
５１９４  サポートスポーク
５１９５  フローダイレクター
５１９６  位置付け部
５１９７  密封
５１９８  偏向部
５２００  温熱コンポーネント
５２０２  中間部
５２０６  壁部
５２０８  折り畳み可能なチューブ
５２１０  軟性部
５２１２  硬性部
５２２０  回転ガイド
５２２２  回転ストップ
５２２４  内側リップ
５２２６  外側リップ
５２４０  熱エレメント
５２５０  加湿器制御装置
５２５１  中央加湿器制御装置
５２５２  熱エレメント制御装置
５２５４  熱空気回路制御装置
５３００  加湿器端キャップ
５３１０  端キャップ入口
５３２０  端キャップ出口
５３３０  端キャップラッチ
５３４０  マグネット
５３４５  端キャップマグネットホルダー
【図１ａ】
2020049255.tif 000004
【図１ｂ】
2020049255.tif 000005
【図１ｃ】
2020049255.tif 000006
【図２ａ】
2020049255.tif 000007
【図２ｂ】
2020049255.tif 000008
【図３ａ】
2020049255.tif 000009
【図４ａ】
2020049255.tif 000010
【図４ｂ】
2020049255.tif 000011
【図４ｃ】
2020049255.tif 000012
【図４ｄ】
2020049255.tif 000013
【図４ｅ】
2020049255.tif 000014
【図５ａ】
2020049255.tif 000015
【図５ｂ】
2020049255.tif 000016
【図６ａ】
2020049255.tif 000017
【図７】
2020049255.tif 000018
【図８】
2020049255.tif 000019
【図９】
2020049255.tif 000020
【図１０】
2020049255.tif 000021
【図１１】
2020049255.tif 000022
【図１２】
2020049255.tif 000023
【図１３】
2020049255.tif 000024
【図１４】
2020049255.tif 000025
【図１５】
2020049255.tif 000026
【図１６】
2020049255.tif 000027
【図１７ａ】
2020049255.tif 000028
【図１７ｂ】
2020049255.tif 000029
【図１７ｃ】
2020049255.tif 000030
【図１８ａ】
2020049255.tif 000031
【図１８ｂ】
2020049255.tif 000032
【図１８ｃ】
2020049255.tif 000033
【図１９ａ】
2020049255.tif 000034
【図１９ｂ】
2020049255.tif 000035
【図１９ｃ】
2020049255.tif 000036
【図２０】
2020049255.tif 000037
【図２１】
2020049255.tif 000038
【図２２】
2020049255.tif 000039
【図２３】
2020049255.tif 000040
【図２４】
2020049255.tif 000041
【図２５】
2020049255.tif 000042
【図２６】
2020049255.tif 000043
【図２７】
2020049255.tif 000044
【図２８】
2020049255.tif 000045
【図２９】
2020049255.tif 000046
【図３０ａ】
2020049255.tif 000047
【図３０ｂ】
2020049255.tif 000048
【図３０ｃ】
2020049255.tif 000049
【図３０ｄ】
2020049255.tif 000050
【図３１ａ】
2020049255.tif 000051
【図３１ｂ】
2020049255.tif 000052
【図３２】
2020049255.tif 000053
【図３３】
2020049255.tif 000054
【図３４】
2020049255.tif 000055
【図３５】
2020049255.tif 000056
【図３６】
2020049255.tif 000057
【図３７】
2020049255.tif 000058
【図３８】
2020049255.tif 000059
【図３９】
2020049255.tif 000060
【図４０】
2020049255.tif 000061
【図４１ａ】
2020049255.tif 000062
【図４１ｂ】
2020049255.tif 000063
【図４２】
2020049255.tif 000064
【図４３ａ】
2020049255.tif 000065
【図４３ｂ】
2020049255.tif 000066
【図４４】
2020049255.tif 000067
【図４５ａ】
2020049255.tif 000068
【図４５ｂ】
2020049255.tif 000069
【図４５ｃ】
2020049255.tif 000070
【図４６】
2020049255.tif 000071
【図４７ａ】
2020049255.tif 000072
【図４７ｂ】
2020049255.tif 000073
【図４８ａ】
2020049255.tif 000074
【図４８ｂ】
2020049255.tif 000075
【図４９】
2020049255.tif 000076
【図５０ａ】
2020049255.tif 000077
【図５０ｂ】
2020049255.tif 000078
【図５１ａ】
2020049255.tif 000079
【図５１ｂ】
2020049255.tif 000080
【図５２ａ】
2020049255.tif 000081
【図５２ｂ】
2020049255.tif 000082
【図５３】
2020049255.tif 000083
【図５４】
2020049255.tif 000084
【図５５ａ】
2020049255.tif 000085
【図５５ｂ】
2020049255.tif 000086
【図５６】
2020049255.tif 000087
【図５７ａ】
2020049255.tif 000088
【図５７ｂ】
2020049255.tif 000089
【図５８ａ】
2020049255.tif 000090
【図５８ｂ】
2020049255.tif 000091
【図５９】
2020049255.tif 000092
【図６０】
2020049255.tif 000093
【手続補正書】
【提出日】令和2年1月14日(2020.1.14)
【手続補正１】
【補正対象書類名】特許請求の範囲
【補正対象項目名】全文
【補正方法】変更
【補正の内容】
【特許請求の範囲】
【請求項１】
患者に送られる加圧された呼吸可能なガスの流れを加湿するための加湿器であって、前記加湿器は、ウォーターリザーバーを備え、
前記ウォーターリザーバーは、
前記ウォーターリザーバーが作動方向にある場合に所定の最大量の水を保持するよう構成されたキャビティを形成する底部および複数の壁であって、前記ウォーターリザーバーの前記底部が前記ウォーターリザーバーが作動方向にある場合に略水平の平面を画定する底面を含む、底部および複数の壁と、
前記キャビティに入る加圧された呼吸可能なガスの流れのための入口流路を提供する入口チューブであって、前記入口チューブは、前記複数の壁の１つに配置された入口チューブ外側端、および前記キャビティ内に配置された入口チューブ内側端を含む、入口チューブと、
前記キャビティから出る加湿および加圧された呼吸可能なガスの流れのための出口流路を提供する出口チューブであって、前記出口チューブは、前記複数の壁の１つに配置された出口チューブ外側端、および前記キャビティ内に配置された出口チューブ内側端を含む出口チューブと、
前記入口チューブ内側端において前記キャビティに入る加圧された呼吸可能なガスの流れを導くよう構成および配置された流れ誘導装置であって、
前記入口チューブ内側端から出る加圧された呼吸可能なガスの流れを前記底面に略平行な方向に導くよう構成された第１の流れ誘導部材、および
前記入口チューブ内側端および前記出口チューブ内側端の間の誘導経路を妨害するよう構成された第２の流れ誘導部材
を備える流れ誘導装置と、
を備える、加湿器。
【請求項２】
前記入口チューブの一部が前記底面に非平行な軸を備える、請求項１に記載の加湿器。
【請求項３】
前記軸が前記底面に垂直である、請求項２に記載の加湿器。
【請求項４】
前記ウォーターリザーバーが前記ウォーターリザーバーの前記作動方向において水の前記所定の最大量を保持するよう構成されたベース部と、開構成および閉構成の間で前記ウォーターリザーバーを変換可能にするように、前記ベース部に接続するよう構成されたリッド部と、を備える、請求項１〜３のいずれか一項に記載の加湿器。
【請求項５】
前記ウォーターリザーバーが前記ベース部およびリッド部の間に配置された中間部をさらに備える、請求項４に記載の加湿器。
【請求項６】
前記中間部が前記流れ誘導装置を備える、請求項５に記載の加湿器。
【請求項７】
前記中間部が、構造的に支持し、かつ前記流れ誘導装置を前記中間部に配置するよう構成されたサポートスポークを備える、請求項６に記載の加湿器。
【請求項８】
前記中間部が、前記ウォーターリザーバーが前記閉構成の場合に前記リッド部および前記ベース部を密封係合するよう構成されたコンプライアント部を含む、請求項５〜７のいずれか一項に記載の加湿器。
【請求項９】
前記リッド部が前記入口チューブおよび前記出口チューブを備える、請求項４〜８のいずれか一項に記載の加湿器。
【請求項１０】
前記リッド部が前記中間部を備える、請求項５〜９のいずれか一項に記載の加湿器。
【請求項１１】
前記ベース部は、水の前記所定の最大量を上回って前記ベース部を充填することを防ぐように構成、および配置された過剰充填保護エレメントを含む、請求項４〜１０のいずれか一項に記載の加湿器。
【請求項１２】
前記流れ誘導装置が、前記入口チューブ内側端に対して前記流れ誘導装置を設置するよう構成された位置決め部をさらに備える、請求項１〜１１のいずれか一項に記載の加湿器。
【請求項１３】
前記流れ誘導装置が、前記流れ誘導装置および前記入口チューブ内側端の間の密封を形成するよう構成されたシール部をさらに備える、請求項１〜１２のいずれか一項に記載の加湿器。
【請求項１４】
前記ウォーターリザーバーを受け入れるよう構成されたキャビティを含むリザーバードックをさらに備える、請求項１〜１３のいずれか一項に記載の加湿器。
【請求項１５】
前記リザーバードックが前記ウォーターリザーバーの前記底部に設けられた伝導部を熱的に関与させるよう適合されたヒータープレートを含む、請求項１４に記載の加湿器。
【外国語明細書】
2020049255000001.pdf